(57)【要約】本発明は、ａ）シンコリン様活性を有するシンコリン様タンパク質；ｂ）アミノ酸配列が配列番号６により与えられるか、または配列番号６に類似するポリペプチド；ｃ）クラウディン様活性を有するクラウディン様タンパク質；ｄ）アミノ酸配列がヒトＧＲＯ−βに少なくとも８０％の同一性を有し、かつＧＲＯ−β様活性を有するサイトカイン様タンパク質、およびｅ）それらのいずれかのフラグメントから選択されるポリペプチド；ならびにそれらをコードするポリヌクレオチドおよびそれらに免疫特異的に結合する抗体を提供する。本発明は、これらのタンパク質、ポリヌクレオチドおよび抗体が検出方法に使用される方法も提供し、処置方法もまた開示する。これらの方法はさらに、システインリッチ可溶性タンパク質、およびマンマグロビンホモログ／子宮内膜特異的ステロイド結合因子ＩＩＩに関するタンパク質、ポリヌクレオチドおよび抗体を用いる方法を包含する。
2004500011.tif 000002
【特許請求の範囲】
【請求項１】
単離された核酸分子であって、配列番号３、５、７、９、２５および２７からなる群より選択されるヌクレオチド配列に少なくとも８５％相同なヌクレオチド配列、またはそれらの相補体を含む、単離された核酸分子。
【請求項２】
前記核酸分子が前記ヌクレオチド配列、またはそれらの相補体に少なくとも９０％相同である、請求項１に記載の核酸分子。
【請求項３】
前記核酸分子が前記ヌクレオチド配列、またはそれらの相補体に少なくとも９５％相同である、請求項１に記載の核酸分子。
【請求項４】
前記核酸分子が前記ヌクレオチド配列、またはそれらの相補体に少なくとも９８％相同である、請求項１に記載の核酸分子。
【請求項５】
前記核酸分子がシンタキシン、ＳＮＡＰ、ＳＮＡＰ−２５、シナプトブレビン、シナプトガミン、またはＮ型カルシウムチャネルに結合するポリペプチドをコードする、請求項１に記載の核酸分子。
【請求項６】
前記核酸が配列番号４のアミノ酸配列を含むポリペプチドをコードする、請求項１に記載の核酸分子。
【請求項７】
前記核酸分子が配列番号３および配列番号２７、またはそれらの相補体のいずれか１つを含む、請求項１に記載の核酸分子。
【請求項８】
前記核酸分子が配列番号６のアミノ酸配列を含むポリペプチドをコードする、請求項１に記載の核酸分子。
【請求項９】
前記核酸分子が配列番号５またはその相補体を含む、請求項１に記載の核酸分子。
【請求項１０】
前記核酸分子が抗クラウディン抗体と反応性であるポリペプチドをコードする、請求項１に記載の核酸分子。
【請求項１１】
前記核酸分子が配列番号８のアミノ酸配列を含むポリペプチドをコードする、請求項１に記載の核酸分子。
【請求項１２】
前記核酸分子が配列番号７、または配列番号２６において示されるようにその相補体を含む、請求項１に記載の核酸分子。
【請求項１３】
前記核酸分子がＴ細胞増殖活性を有するポリペプチドをコードする、請求項１に記載の核酸分子。
【請求項１４】
前記核酸分子が配列番号１０のアミノ酸配列を含むポリペプチドをコードする、請求項１に記載の核酸分子。
【請求項１５】
前記核酸分子が配列番号９の配列を含む、請求項１に記載の核酸分子。
【請求項１６】
請求項１に記載の核酸分子を含む、ベクター。
【請求項１７】
請求項１６に記載のベクターを含む、細胞。
【請求項１８】
単離されたポリペプチドであって、以下の群：
ａ）配列番号４のアミノ酸配列に少なくとも８０％相同なポリペプチド；
ｂ）配列番号６のアミノ酸配列に少なくとも８０％相同なポリペプチド；
ｃ）配列番号８のアミノ酸配列に少なくとも６０％相同なポリペプチド；
ｄ）配列番号１０のアミノ酸配列に少なくとも８０％相同なポリペプチド；
ｅ）配列番号４、６、８、または１０のアミノ酸配列のいずれかを含むポリペプチドのフラグメントであって、ここで該フラグメントが配列番号４、６、８、または１２の少なくとも６個のアミノ酸を含む、フラグメント；ならびに
ｆ）配列番号４、６、８、または１０のアミノ酸配列からなる天然に存在する対立遺伝子改変体であって、ここで該ポリペプチドが、ストリンジェントな条件下で配列番号３、５、７、９、または２７からなる核酸分子にハイブリダイズする核酸分子によってコードされる、対立遺伝子改変体、
からなる群より選択される、単離されたポリペプチド。
【請求項１９】
請求項１８に記載のポリペプチドであって、該ポリペプチド、またはそのフラグメントが、以下：
ａ）カルシウムイオンの結合および放出によって調整される、シンクライン（ｓｙｎｃｌｉｎｅ）様活性；
ｂ）クラウディン様活性；ならびに
ｃ）サイトカイン様活性、
からなる群より選択される活性を有する、ポリペプチド。
【請求項２０】
前記ポリペプチドが配列番号４、配列番号６、配列番号８、または配列番号１０のアミノ酸配列を含む、請求項１８に記載のポリペプチド。
【請求項２１】
前記ポリペプチドが、配列番号４、配列番号６、配列番号８、または配列番号１０のアミノ酸配列からなる、請求項１９に記載のポリペプチド。
【請求項２２】
請求項１８に記載のポリペプチドに選択的に結合する、抗体。
【請求項２３】
配列番号２または配列番号１２のアミノ酸配列を含むポリペプチドに選択的に結合する、抗体。
【請求項２４】
前記方法が、前記核酸分子が発現される条件下で、請求項１７に記載の宿主細胞を培養する工程を包含する、請求項１８に記載のポリペプチドを産生するための方法。
【請求項２５】
哺乳動物由来のサンプル中のポリペプチドの存在を検出するための方法であって、該方法が、以下の工程：
ａ）該ポリペプチドを含むと疑われるサンプルと、請求項２２または３４に記載の抗体および該ポリペプチドを含む複合体の形成を可能にする条件下で該ポリペプチドに結合する該抗体とを接触させる工程；ならびに
ｂ）該抗体および該ポリペプチドを該サンプル中に含む反応複合体の形成を検出する工程であって、ここで該反応複合体の形成の検出が、該サンプル中の該ポリペプチドの存在を示す、工程、
を包含する、方法。
【請求項２６】
前記哺乳動物がヒトである、請求項２５に記載の方法。
【請求項２７】
サンプル中の、配列番号２、配列番号４、配列番号６、配列番号８、配列番号１０、および配列番号１２からなる群より選択されるアミノ酸配列を有するポリペプチドに少なくとも８０％同一なアミノ酸配列を有するポリペプチドのレベルの変化と関連した疾患の存在を、検出または診断するための方法であって、該方法が、以下の工程：
ａ）請求項２５に従って哺乳動物の被験体由来の生物学的サンプルにおけるポリペプチドのレベルを測定する工程；ならびに
ｂ）正常な被験体または異なる時間での同じ被験体に存在するポリペプチドのレベルに対して、工程ａ）において検出されたレベルを比較する工程であって、ここで正常レベルと比較した、該ポリペプチドのレベルにおける増加または減少が疾患状態を示す、工程、
を包含する、方法。
【請求項２８】
哺乳動物由来のサンプル中の、配列番号１、３、５、７、９、１１、２５、または２７からなる群より選択される配列を含む核酸に少なくとも８０％同一である配列を有する核酸分子、あるいはそれらの相補体の存在を検出する方法であって、該方法が、以下の工程：
ａ）該サンプルと、該核酸分子に選択的にハイブリダイズする核酸プローブまたはプライマーとを接触させる工程；および
ｂ）該核酸プローブまたはプライマーが、該サンプル中の核酸分子に結合するか否かを決定する工程、
を包含し、ここで該核酸プローブまたは該プライマーの結合が、該核酸分子が該サンプル中に存在することを示す、方法。
【請求項２９】
前記哺乳動物がヒトである、請求項２８に記載の方法。
【請求項３０】
哺乳動物由来のサンプル中の配列番号１、配列番号３、配列番号５、配列番号７、配列番号９、配列番号１１、配列番号２５、または配列番号２７からなる群より選択される配列を含む核酸、あるいはそれらの相補体に少なくとも８０％同一である核酸のレベルの変化と関連した疾患の存在を検出または診断するための方法であって、該方法が、以下の工程：
ａ）請求項２８に従って哺乳動物の被験体由来の生物学的サンプルにおける核酸のレベルを測定する工程；ならびに
ｂ）正常な被験体または異なる時間での同じ被験体に存在する核酸のレベルに対して、工程（ａ）において検出されたレベルを比較する工程であって、ここで正常レベルと比較した、該核酸のレベルにおける増加または減少が疾患状態を示す、工程、
を包含する、方法。
【請求項３１】
哺乳動物における病的状態を処置する方法であって、該方法は、該病的状態を軽減する量において、該被験体にポリペプチドを投与する工程を包含し、ここで該ポリペプチドが配列番号２、配列番号４、配列番号６、配列番号８、配列番号１０、および配列番号１２からなる群より選択されるアミノ酸配列を有するポリペプチドに少なくとも８０％同一であるアミノ酸配列を有するポリペプチド、またはそれらの生物学的に活性なフラグメントである、方法。
【請求項３２】
前記哺乳動物がヒトである、請求項３１に記載の方法。
【請求項３３】
哺乳動物における病的状態を処置する方法であって、該方法が、該病的状態を軽減する量において、請求項２２または２３に記載の抗体を被験体に投与する工程を包含する、方法。
【請求項３４】
前記哺乳動物がヒトである、請求項３３に記載の方法。
【発明の詳細な説明】
【０００１】
（関連出願）
本出願は、米国仮出願番号６０／１０３，１９５（１９９８年１０月６日出願）、ならびに「新規分泌タンパク質およびそれをコードするポリヌクレオチド」と表題を付された米国非仮出願（Ｕｎｉｔｅｄ　Ｓｔａｔｅｓ　Ｎｏｎｐｒｏｖｉｓｉｏｎａｌ　Ａｐｐｌｉｃａｔｉｏｎ）（１９９９年１０月５日出願）（それらの全体が本明細書中で参考として援用される）に対する優先権を主張する。
【０００２】
（発明の分野）
本発明は、ポリヌクレオチド、およびこのようなポリヌクレオチドによりコードされるポリペプチド、ならびにベクター、宿主細胞、抗体ならびにこのポリペプチドおよびポリヌクレオチドを産生するための組換え方法に関する。
【０００３】
（発明の背景）
真核生物細胞は、膜によって、オルガネラといわれる複数の機能的に異なる区画へと部分分割される。各オルガネラは、その適切な機能に必須なタンパク質を含む。これらのタンパク質は、しばしば選別シグナルといわれる配列モチーフを含み得る。この選別シグナルは、タンパク質がそれらの適切な細胞オルガネラに標的化することを補助し得る。さらに、選別シグナルは、細胞からいくつかのタンパク質が搬出される（すなわち、分泌される）ことを指向し得る。
【０００４】
選別シグナルの１つの型は、シグナル配列である。これはまた、シグナルペプチドまたはリーダー配列ともいわれる。このシグナル配列は、新しく合成されたポリペプチド鎖上のアミノ末端伸長物として存在する。シグナル配列は、タンパク質を小胞体（ＥＲ）と呼ばれる細胞内オルガネラに標的化し得る。
【０００５】
このシグナル配列は、タンパク質間相互作用およびタンパク質−脂質相互作用のアレイに参加し、ＥＲにおけるチャネルを通して、シグナル配列を含むポリペプチドの移行を生じる。移行後に、膜結合酵素（シグナルペプチダーゼと呼ばれる）は、シグナル配列から成熟タンパク質を開放する
ＥＲは、細胞質に残存するタンパク質から膜結合タンパク質および分泌タンパク質を分離するように機能する。一旦、ＥＲに標的化されると、分泌タンパク質および膜結合タンパク質の両方が、ゴルジ装置と呼ばれる別の細胞オルガネラにさらに分配され得る。ゴルジは、タンパク質を、別の細胞オルガネラ（例えば、小胞、リソソーム、原形質膜、ミトコンドリアおよびマイクロボディ）に指向する。
【０００６】
ヒト膜結合タンパク質および分泌タンパク質をコードする、限られた数の遺伝子のみが、同定されている。既知の分泌タンパク質の例としては、ヒトインスリン、インターフェロン、インターロイキン、トランスフォーミング増殖因子β、ヒト成長ホルモン、エリトロポイエチン、およびリンホカインが挙げられる。
【０００７】
（発明の要旨）
本発明は、推定シグナル配列を含むと同定された新規なポリヌクレオチドの発見に一部基づいている。これらのクローンヌクレオチド配列は、クローン２３５５８７５（配列番号３および２７）（これは、シンクラインに対する配列類似性を有するタンパク質をコードする）；クローン３２２３８６７（配列番号５）；クローン３２２４６４６（配列番号７）（これは、クラウディンに対する類似性を有するタンパク質をコードする）；ならびにクローン３４８２６９９（配列番号９）（これは、サイトカイン様タンパク質をコードする）と称される。これらの配列によってコードされるタンパク質もまた、本発明において提供される。これらのポリペプチドは、それぞれ、配列番号４、６、８および１０のアミノ酸配列に対応する。
【０００８】
本発明は、配列番号３、５、７、９、または２７のヌクレオチド配列に少なくとも８５％類似のヌクレオチド配列、またはそれらの相補体を含む、単離された核酸分子を含む。
【０００９】
本発明はまた、配列番号４、６、８または１０に少なくとも８０％相同なアミノ酸配列を有する、単離されたポリペプチド、あるいはこれらのアミノ酸配列の少なくとも１５のアミノ酸を有するフラグメントを含む。配列番号４、６、８、または１０のアミノ酸配列からなる、天然に存在するポリペプチド改変体もまた含まれ、ここで、このポリペプチドは、ストリンジェントな条件下で配列番号３、５、７、９、または２７からなる核酸分子にハイブリダイズする核酸分子によってコードされる。
【００１０】
配列番号２、４、６、８、１０または１２のポリペプチドに対して選択的に結合する抗体もまた、本発明において含まれる。
【００１１】
本発明はさらに、核酸分子が発現される条件下で、本明細書中に記載の核酸のうちの１つを発現する宿主細胞を培養する工程によって、上記ポリペプチドを生成するための方法を包含する。
【００１２】
本発明はまた、哺乳動物由来のサンプルと、本明細書中に記載のポリペプチドに対して選択的に結合する抗体とを接触させる工程、およびこの抗体およびこのポリペプチドをサンプル中に含む反応複合体の形成を検出する工程によって、哺乳動物（例えば、ヒト）由来のサンプル中のこれらのポリペプチドの存在を検出するための方法を包含する。サンプル中の複合体の形成を検出する工程は、サンプル中のポリペプチドの存在を示す。
【００１３】
本発明はさらに、サンプル中の、配列番号２、配列番号４、配列番号６、配列番号８、配列番号１０、および配列番号１２からなる群より選択されるアミノ酸配列を有するポリペプチドに少なくとも８０％同一なアミノ酸配列を有するポリペプチドのレベルの変化と関連した疾患の存在を、検出または診断するための方法を包含する。この方法は、哺乳動物の被験体（例えば、ヒト）由来の生物学的サンプルにおけるポリペプチドのレベルを測定する工程、および正常な被験体または異なる時間での同じ被験体に存在するポリペプチドのレベル（例えば、状態が始まる前）に対して、検出されたレベルを比較する工程を包含する。正常レベルと比較した、このポリペプチドのレベルにおける増加または減少は、疾患状態を示す。
【００１４】
哺乳動物（例えば、ヒト）由来のサンプル中の、配列番号１、３、５、７、９、１１、２５、または２７からなる群より選択される配列を含む核酸に少なくとも８０％同一である配列を有する核酸分子の存在を検出する方法もまた、本発明において包含される。この方法は、このサンプルと、この核酸分子に選択的にハイブリダイズする核酸プローブまたはプライマーとを接触させる工程、およびこの核酸プローブまたはプライマーが、このサンプル中の核酸分子に結合するか否かを決定する工程を包含する。この核酸プローブまたはプライマーの結合は、この核酸分子がこのサンプル中に存在することを示す。
【００１５】
本発明はさらに、哺乳動物（例えば、ヒト）由来のサンプル中の配列番号１、配列番号３、配列番号５、配列番号７、配列番号９、配列番号１１、配列番号２５、または配列番号２７からなる群より選択される配列を含む核酸に少なくとも８０％同一な核酸のレベルの変化と関連した疾患の存在を検出または診断するための方法を包含する。この方法は、この哺乳動物の被験体由来の生物学的サンプルにおける核酸のレベルを測定する工程、および正常な被験体または異なる時間での同じ被験体に存在する核酸のレベルに対して、検出されたレベルを比較する工程を包含する。正常レベルと比較した、核酸のレベルにおける増加または減少は、疾患状態を示す。
【００１６】
本発明はまた、病的状態を軽減するに充分な量において、被験体にポリペプチドを投与する工程によって、哺乳動物（例えば、ヒト）における病的状態を処置する方法を包含する。このポリペプチドは、配列番号２、配列番号４、配列番号６、配列番号８、配列番号１０、および配列番号１２からなる群より選択されるアミノ酸配列を有するポリペプチドに少なくとも８０％同一であるアミノ酸配列、またはそれらの生物学的に活性なフラグメントを有する。
【００１７】
あるいは、この哺乳動物は、この病的状態を軽減するに十分な量において、本明細書中に記載される抗体を投与する工程によって処置され得る。
【００１８】
本発明の処置の方法が想定される病的状態としては、癌、腫瘍、免疫障害、免疫欠損、自己免疫疾患、後天性免疫不全症候群、移植片拒絶、アレルギー、病原性生物または病原性因子による感染、炎症性障害、関節炎、造血障害、皮膚障害、アテローム硬化症、再狭窄、神経学的疾患、アルツハイマー病、末梢神経障害、外傷、手術のまたは外傷の創傷、脊髄損傷、および骨格障害が挙げられる。
【００１９】
他に規定されなければ、本明細書中で使用される全ての技術用語および科学用語は、本発明が属する分野の当業者により共通して理解される意味と同じ意味を有する。本明細書中に記載されるものと類似するかまたは等価な方法および材料が本発明の実施および試験において使用され得るが、適切な方法および材料は、以下に記載される。本明細書中で言及される全ての刊行物、特許出願、特許、および他の参考文献は、その全体が本明細書中に参考として援用される。矛盾する場合は、本明細書（定義を含む）が優先する。さらに、材料、方法、および実施例は、例示にすぎず、限定されるとは意図されない。
【００２０】
本発明の他の特徴および利点は、以下の記載の詳細な説明および特許請求の範囲から明らかである。
【００２１】
（発明の詳細な説明）
細胞における核酸配列の差示的な発現に基づいて同定された核酸配列の試験により、候補分泌配列を有する６つのクローンが明らかになった。これらの配列のうち、４つは、以前に記載されている。これらは、クローン２３５５８７５、３２２３８６７、３２２４６４６、および３４８２６９９を含む。２つのクローン、クローン２１５６６４７およびＭＡＭＭ−Ｘ（ＭＡＭＭＡＧＬＯＢＩＮ）は、以前に記載された配列に対応する。
【００２２】
（クローン２３５５８７５（シンコリン（ｓｙｎｃｏｌｌｉｎ）ホモログ））　２３５３８７５は、７６９ヌクレオチド長であり、そしてヌクレオチド２０９から６１０までの分泌型タンパク質（本明細書中「２３５５８７５タンパク質」ともいわれる）をコードするオープンリーディングフレームを含む。２３５５８７５のヌクレオチド配列を、配列番号３および配列番号２７として図１に示す。推定アミノ酸配列もまた示す（配列番号４）。
【００２３】
ヌクレオチド配列２３５３８７５は、ＢＬＡＳＴ検索プロトコルを用いてＧｅｎＢａｎｋデータベースに対して検索された。８３％の相同性（１１３アミノ酸のうちの１１１）がラットシンコリン（ＧｅｎＢａｎｋ登録番号Ｏ３５７７５）に対して見出された。シンコリンは、外分泌組織におけるエキソサイトーシスの調節に関与する１８ｋＤａの分泌顆粒膜タンパク質である。シンコリンは、低カルシウム濃度でシンタキシンと結合し、そして既知の濃度でシンタキシンから解離してエキソサイトーシスを刺激することが報告されている（Ｅｄｗａｒｄｓｏｎら，１９９７，Ｃｅｌｌ　９０：３２５−３３３）。シンコリンは、細胞質タンパク質であるようである。シンコリンが属するタンパク質ファミリーの他のメンバーとしては、シンタキシンが挙げられる。シンタキシンは、Ｍｕｎｃ−１８の結合に必要なＮ末端ドメインおよびその膜アンカー（これに大部分の他のタンパク質が結合する）に近い第２のドメインを含み、この他のタンパク質としては、−ＳＮＡＰ、ＳＮＡＰ−２５、シナプトブレビン、シナプトタグミン、およびＮ型Ｃａ２＋チャネルが挙げられる。シンコリンはまた、シンタキシンの細胞質ドメインに、およびＣ末端領域にもまた結合することが当該分野で実証されたが、親和性は低い。シンコリンが、Ｎ末端領域と相互作用することは報告されていない。
【００２４】
ラットシンコリンのような２３５５８７５タンパク質は、そのアミノ末端に１つの疎水性ドメインを有する。相同性に基づくと、２３５５８７５タンパク質および各々の相同なタンパク質またはペプチドは、少なくともいくらかの活性を共有する。
【００２５】
２３５５８７５タンパク質を、ＳｉｇｎａｌＰｅｐおよびＰＳｏｒｔ検索プロトコルを用いて推定シグナルペプチド切断配列について試験した。２３５５８７５タンパク質は、２１位と２２位との間に（すなわち、アミノ酸配列ＡＱＧ−ＡＣを有する領域中に）切断部位を有する、切断可能なアミノ末端シグナルペプチドを有する。このタンパク質は、細胞の外側に位置する可能性が最も高い。
【００２６】
（クローン３２２３８６７）
クローン３２２３８６７は、８７６ヌクレオチド長であり、そしてヌクレオチド１２９から５３３までの分泌タンパク質（本明細書中「３２２３８６７タンパク質」ともいわれる）をコードするオープンリーディングフレームを含む。３２２３８６７のヌクレオチド配列（配列番号５）を、１３５アミノ酸のコードされたポリペプチド（配列番号６）とともに、図２に示す。３２２３８６７ヌクレオチド配列を、ＢＬＡＳＴＰ検索プロトコルを用いてＧｅｎＢａｎｋデータベースにおける他の配列に対して検索した場合、有意な相同性は、見出されなかった。クローン３２２３８６７は、ヒト精巣から単離された。
【００２７】
３２２３８６７についてのヌクレオチド配列およびアミノ酸配列を、ＳｉｇｎａｌＰｅｐおよびＰＳｏｒｔ検索プロトコルを用いて他のデータベースに対して検索した。３２２３８６７は、明らかに、アミノ末端シグナルペプチドを有さず、そしてミトコンドリア基質腔またはマイクロボディー（ペルオキシソーム）に位置するようである。
【００２８】
（クローン３２２４６４６（クラウディンホモログ））
３２２４６４６は、１５３０ヌクレオチド長であり、そしてヌクレオチド３０１から１０８３までの分泌タンパク質（本明細書中「３２２４６４６タンパク質」ともいわれる）をコードするオープンリーディングフレームを含む。３２２４６４６のヌクレオチド配列（配列番号７）を、２６１アミノ酸のコードされたポリペプチド（配列番号８）および非コード鎖（配列番号２６）とともに、図３に示す。クローン３２２４６４６は、ヒト精巣から単離された。
【００２９】
３２２４６４６核酸配列を、ＢＬＡＳＴＰ検索プロトコルを用いてＧｅｎＢａｎｋデータベースにおける他の配列に対して検索した。２１１アミノ酸のタンパク質であるヒトクラウディン−１（ＧｅｎＢａｎｋ登録番号ＴＲＥＭＢＬＮＥＷ：ＡＡＤ２２０６２）に対して５６％の類似性（１９６アミノ酸のうちの１１０）が見出された。クラウディンファミリーのタンパク質は、４つの膜貫通ドメインを有する組込型膜タンパク質であり、そして接着結合において見出された（Ｆｕｒｕｓｅら，１９９８，Ｊ．Ｃｅｌｌ  Ｂｉｏｌ．１４１：１５３９−５０）。従って、３２２４６４６タンパク質およびクラウディンタンパク質は、少なくともいくつかの活性を共有する。クラウディンは、細胞間接着結合の維持に関連する組込型膜タンパク質の新たに発見されたファミリーである（Ｍｏｒｉｔａら，ＰＮＡＳ  ９６：５１１−１６（１９９９））。それらは、極性化した上皮細胞および内皮細胞の最も先端部分に存在し、そして溶質の細胞間輸送を防止するように働く。それらは、肝臓および腎臓を含む、多くの組織に存在する。従って、本発明のクラウディン様タンパク質またはその遺伝子は、この遺伝子またはその産物タンパク質が欠損対立遺伝子であるヒト被験体における治療的介入において有用である。
【００３０】
２３５５８７５タンパク質のヌクレオチド配列およびアミノ酸配列を、ＳｉｇｎａｌＰｅｐおよびＰＳｏｒｔ検索プロトコルを用いて他のデータベースに対して検索した。２３５５８７５タンパク質は、２３位と２４位との間（ＣＩＡ：ＡＴ）に切断部位を有する、推定の切断可能なアミノ末端シグナルペプチドを有する。このタンパク質は、原形質膜に位置する可能性が最も高い。
【００３１】
ノザンブロット分析により、種々のヒト胎児組織またはヒト成体組織において３２２４６４６の発現が示された。ヒト３２２４６４６は、Ｄ３Ｓ２５７６の１．６  ｃｅｎｔｉＲａｙ下およびＷＩ−３５２２の４．６  ｃＲ上である、ヒト染色体３ｑ２１にマッピングされる。
【００３２】
（クローン３４８２６９９）
クローン３４８２６９９は、６０３ヌクレオチド長であり、そしてヌクレオチド３４１から５３８までのオープンリーディングフレーム（本明細書中「３４８２６９９タンパク質」ともいわれる）を含む。３４８２６９９のヌクレオチド配列（配列番号９）を、６６アミノ酸のコードされたポリペプチド（配列番号１０）とともに、図４に示す。
【００３３】
クローン３４８２６９９ヌクレオチド配列を、ＢＬＡＳＴＰ検索プロトコルを用いてＧｅｎＢａｎｋデータベースに対して検索した。有意な相同性は見出されなかった。ＢＬＡＳＴＮ検索タンパク質を用いたＧｅｎＢａｎｋデータベースに対する検索により、ヒトＭＧＳＡ／ＧＲＯ偽遺伝子配列（ＧｅｎＢａｎｋ登録番号Ｕ８８４３２）に対して１００％同一性を有する２つの領域が示された。同一性を有する１つの領域は、３４８２６９９のヌクレオチド１〜１７９と、ＭＧＳＡ／ＧＲＯ偽遺伝子配列のヌクレオチド１１４８および１３２６との間で見出された。同一性の第二の領域は、３４８２６９９のヌクレオチド１８０〜６０３と、ＭＧＳＡ−ＧＲＯ偽遺伝子のヌクレオチド１４２５および１８４８との間で見出された（ＭＧＳＡ／ＧＲＯ偽遺伝子配列は、ヌクレオチド１３２７と１４２４との間にイントロンを有する）。３４８２６９９配列は、ヒトサイトカイン（ＧＲＯ−β）ｍＲＮＡ配列（ＧｅｎＢａｎｋ登録番号Ｍ３６８２０）に対して８２％同一性（３０３ヌクレオチドのうち２５１）を示した。
【００３４】
３４８２６９９について本明細書中に開示されたヌクレオチド配列およびアミノ酸配列を、ＳｉｇｎａｌＰｅｐおよびＰＳｏｒｔ検索プロトコルを用いて、他のデータベースに対して検索した。３４８２６９９は、１７位と１８位との間に切断部位（ＩＱＫ−ＮＮ）を有するシグナルペプチドを有する可能性が最も高い。これは、小胞体の膜に位置する可能性が最も高い。
【００３５】
（クローン２１５５６４７１）
クローン２１５５６４７は、５０８個の長さのヌクレオチド（配列番号２５、配列番号１もまた参照のこと）であり、そしてヌクレオチド１４８〜４０２のオープンリーディングフレーム（本明細書中で「２１５５６４７タンパク質」ともいわれる）を含む。
【００３６】
２１５５６４７についてのヌクレオチド配列は、ＢＬＡＳＴＮ検索プロトコルを使用して、ＧｅｎＢａｎｋデータベースに対して検索された。このＢＬＡＳＴＮ検索は、ヒトトロンボキサンレセプターをコードするｃＤＮＡ（ＧｅｎＢａｎｋ登録番号Ｅ０３８２９）に対して５８％の相同性（３９６個のヌクレオチドのうちの２２３個）を示した。
【００３７】
１０８個のアミノ酸のアミノ酸配列は、Ｃ２３と命名されたシステインリッチ可溶性タンパク質の配列（登録番号Ｗ８７７１０、特許出願ＷＯ９８／５８０６１、Ｓｃｈｅｒｉｎｇ  Ｃｏｒｐ．）に、およびヒト分泌ポリペプチド（登録番号Ｙ１２９３３、特許出願ＷＯ９９／１１２９３、Ｈｕｍａｎ  Ｇｅｎｏｍｅ  Ｓｃｉｅｎｃｅｓ，Ｉｎｃ．）に１００％同一である。ＧｅｎＢａｎｋデータベースＢＬＡＳＴＰを使用するさらなる検索は、ラットＭＥＧＦ６タンパク質（ＳＰＴＲＥＭＢＬ−ＡＣＣ：Ｏ８８２８１）に対していくらかの相同性を示した。
【 ００３８】
２１５５６４７配列はまた、ＳｉｇｎａｌＰｅｐおよびＰＳｏｒｔ検索プロトコルを使用して、シグナルペプチダーゼ切断について試験された。２１５５６４７は、ＴＬＣとＳＭとの間の切断部位を有する見かけのアミノ酸末端シグナルペプチドを有する。このタンパク質は、細胞の外側に最も位置するようである。推定分子量は、１１４１９．２ダルトンである。
【００３９】
クローン２１５５６４７のｃＤＮＡは、哺乳動物胎児性腎臓２９３細胞および昆虫（バキュロ）細胞の発現のために、発現ベクター中に挿入された。哺乳動物細胞中に発現されたタンパク質は、２０ｋＤａのタンパク質として分泌された。Ｓｆ９昆虫細胞によって分泌されたタンパク質は、約４５ｋＤａである。
【００４０】
（ＭＡＭＭ−Ｘ（マンマグロビン（ＭＡＭＭＡＧＬＯＢＩＮ））
クローンＭａｍｍ−Ｘは、５１７個の長さのヌクレオチドであり、そして９５アミノ酸のポリペプチドをコードする、ヌクレオチド６５〜３４９のオープンリーディングフレームを含む（本明細書中で「Ｍａｍｍ−Ｘタンパク質」としてもいわれる）。Ｍａｍｍ−Ｘのヌクレオチド配列およびそれにコードされるタンパク質は、図６において、それぞれ、配列番号１１および配列番号１２として報告される。このヌクレオチド配列は、ヒトマンマグロビンＢ前駆体のｍＲＮＡ配列（ＧｅｎＢａｎｋ登録番号ＡＦ０７１２１９；Ｂｅｃｋｅｒら、１９９８、Ｇｅｎｏｍｉｃｓ  ５４：７０〜７８）に１００％同一（５１７個のヌクレオチドのうちの５１７個）である。このアミノ酸配列は、ヒトマンマグロビンホモログの配列（登録番号Ｙ０２５９０、特許出願ＷＯ９９／１９４８７、Ｉｎｃｙｔｅ  Ｐｈａｒｍａｃｅｕｔｉｃａｌｓ）に、およびヒト子宮内膜特異的ステロイド結合因子ＩＩＩの配列（登録番号Ｗ３５８０４、特許出願ＷＯ９７／３４９９７、Ｈｕｍａｎ  Ｇｅｎｏｍｅ  Ｓｃｉｅｎｃｅｓ，Ｉｎｃ．）に１００％同一である。マンマグロビンは、乳癌結節性転移の潜在的マーカーであり、そして原発性の転移性かつ潜伏性乳癌細胞中に発現される。相同性に基づくと、Ｍａｍｍ−Ｘタンパク質および各々の相同タンパク質またはペプチドは、少なくともいくらかの活性を共有し得る。
【００４１】
クローンＭａｍｍ−ＸのｃＤＮＡは、哺乳動物胎児性腎臓２９３細胞に対する発現ベクター中に挿入され、そして細胞ペレットにおいて１０ｋＤａのタンパク質として発現される。Ｍａｍｍ−Ｘの分泌形態は、全く検出されなかった。
【００４２】
本明細書中では、核酸、ポリペプチド、抗体、治療剤、ならびに前述の核酸およびそれらにコードされるポリペプチドを使用する方法が、記載される。
【００４３】
（核酸）
本発明の１つの局面は，２１５５６４７、２３５５８７５、３２２３８６７，３２２４６４６、３４８２６９９、またはＭａｍｍ−Ｘタンパク質、あるいはそれらの生物学的に活性な部分をコードする単離された核酸、ならびに２１５５６４７、２３５５８７５、３２２３８６７，３２２４６４６、３４８２６９９、またはＭａｍｍ−Ｘをコードする核酸（例えば、２１５５６４７、２３５５８７５、３２２３８６７，３２２４６４６、３４８２６９９、またはＭａｍｍ−Ｘ  ｍＲＮＡ）を同定するハイブリダイゼーションプローブとしての使用に十分な核酸フラグメント、および２１５５６４７、２３５５８７５、３２２３８６７，３２２４６４６、３４８２６９９、またはＭａｍｍ−Ｘ核酸分子の増幅または変異のためのＰＣＲプライマーとしての使用のためのフラグメントに関する。本発明はまた、本明細書中に開示されるように、アミノ酸および特定の規定された制限内で対応するコドン置換を有する、ポリヌクレオチドおよびコードされるタンパク質に関する。
【００４４】
本明細書中で使用される場合、用語「核酸分子」および／または「ポリヌクレオチド」は、ＤＮＡ分子（例えば、ｃＤＮＡまたはゲノムＤＮＡ）、ＲＮＡ分子（例えば、ｍＲＮＡ）、ヌクレオチドアナログを使用して作製されたＤＮＡまたはＲＮＡのアナログ、ならびにそれらの誘導体、フラグメントおよびホモログを含むことが意図される。この核酸分子は、一本鎖であっても二本鎖であってもよいが、好ましくは二本鎖ＤＮＡである。
【００４５】
「単離された」核酸分子は、核酸の天然供給源に存在する他の核酸分子から分離される核酸分子である。好ましくは、「単離された」核酸は、核酸が由来する生物のゲノムＤＮＡ内の核酸に天然に隣接する配列（すなわち、核酸の５’末端および３’末端に位置する配列）を含まない。例えば、種々の実施態様において、単離された２１５５６４７、２３５５８７５、３２２３８６７，３２２４６４６、３４８２６９９、またはＭａｍｍ−Ｘ核酸分子は、核酸が由来する細胞のゲノムＤＮＡ内の核酸分子に天然に隣接する、約５ｋｂ、４ｋｂ、３ｋｂ、２ｋｂ、１ｋｂ、０．５ｋｂまたは０．１ｋｂ未満のヌクレオチド配列を含み得る。さらに、「単離された」核酸分子（例えば、ｃＤＮＡ分子）は、実質的に、組換え技術によって産生される場合に、他の細胞物質もしくは培養培地を含み得ないか、または化学的に合成される場合に、化学前駆体もしくは他の化学物質を含み得ない。
【００４６】
本発明の核酸分子（例えば、配列番号１、３、５、７、９、１１、２５または２７のヌクレオチド配列を有する核酸分子、またはこれらのヌクレオチド配列のいずれかの相補体）は、標準的な分子生物学技術および本明細書中に提供される配列情報を使用して単離され得る。ハイブリダイゼーションプローブとして、配列番号１、３、５、７、９、１１、２５または２７の核酸配列の全てまたは一部を使用して、２１５５６４７、２３５５８７５、３２２３８６７，３２２４６４６、３４８２６９９、またはＭａｍｍ−Ｘ分子は、標準的なハイブリダイゼーション技術およびクローニング技術（例えば、Ｓａｍｂｒｏｏｋら、編、ＭＯＬＥＣＵＬＡＲ  ＣＬＯＮＩＮＧ：Ａ  ＬＡＢＯＲＡＴＯＲＹ  ＭＡＮＵＡＬ第２版、Ｃｏｌｄ  Ｓｐｒｉｎｇ  Ｈａｒｂｏｒ  Ｌａｂｏｒａｔｏｒｙ  Ｐｒｅｓｓ、Ｃｏｌｄ  Ｓｐｒｉｎｇ  Ｈａｒｂｏｒ，ＮＹ、１９８９；およびＡｕｓｕｂｅｌら、編、ＣＵＲＲＥＮＴ  ＰＲＯＴＯＣＯＬＳ  ＩＮ  ＭＯＬＥＣＵＬＡＲ  ＢＩＯＬＯＧＹ、Ｊｏｈｎ  Ｗｉｌｅｙ＆Ｓｏｎｓ、Ｎｅｗ  Ｙｏｒｋ、ＮＹ、１９９３）を使用して単離され得る。
【００４７】
本発明の核酸は、ｃＤＮＡ、ｍＲＮＡ、あるいはゲノムＤＮＡを、標準的なＰＣＲ増幅技術に従うテンプレートおよび適切なオリゴヌクレオチドプライマーとして使用して、増幅され得る。このように増幅された核酸は、適切なベクター中にクローニングされ得、そしてＤＮＡ配列分析によって特徴付けられ得る。さらに、２１５５６４７、２３５５８７５、３２２３８６７，３２２４６４６、３４８２６９９、またはＭａｍｍ−Ｘヌクレオチド配列に対応するオリゴヌクレオチドは、標準的な合成技術によって（例えば、自動化ＤＮＡ合成機を使用して）調製され得る。
【００４８】
別の実施態様において、本発明の単離された核酸分子は、配列番号１、３、５、７、９、１１、２５または２７に示されるヌクレオチド配列の相補体である核酸分子を含む。別の実施態様において、本発明の単離された核酸分子は、配列番号１、３、５、７、９、１１、２５または２７に示されるヌクレオチド配列、あるいはこのヌクレオチド配列の一部の相補体である核酸分子を含む。配列番号１、３、５、７、９、１１、２５または２７に示されるヌクレオチド配列に相補的である核酸分子は、配列番号１、３、５、７、９、１１、２５または２７に示されるヌクレオチド配列に十分相補的である核酸分子であり、配列番号１、３、５、７、９、１１、２５または２７に示されるヌクレオチド配列にミスマッチがほとんどないかまたは全くなく水素結合し得、それによって安定な二本鎖を形成する。
【００４９】
さらに、本発明の核酸分子は、配列番号１、３、５、７、９、１１、２５または２７の核酸配列の一部のみ（例えば、プローブまたはプライマーとして使用され得るフラグメント、あるいは２１５５６４７、２３５５８７５、３２２３８６７，３２２４６４６、３４８２６９９、またはＭａｍｍ−Ｘの生物学的に活性な部分をコードするフラグメント）を含み得る。本明細書中に提供されるフラグメントは、少なくとも６個の（連続する）核酸配列または少なくとも４個の（連続する）アミノ酸配列（それぞれ、核酸の場合には、特異的なハイブリダイゼーションを可能にし、またはアミノ酸場合には、エピトープの特異的な認識を可能にするに十分な長さ）として規定され、そして全長配列未満のせいぜいいくらかの部分である。種々の実施態様において、フラグメントは、少なくとも６個、１５個、３０個、１００個、２５０個、５００個、または１０００個の長さのアミノ酸であり得る。フラグメントは、選択された核酸配列またはアミノ酸配列の任意の連続する部分に由来し得る。誘導体は、直接的にかまたは改変または部分的置換によってかのいずれかでネイティブな化合物から形成される核酸配列またはアミノ酸配列である。アナログは、ネイティブな化合物に類似する構造を有する（しかし、同一ではない）が、特定の成分または側鎖に関してそれとは異なる核酸配列またはアミノ酸配列である。アナログは、合成物であり得るか、または進化的に異なる起源に由来し得、そして野生型と比較して、類似の代謝活性または反対の代謝活性を有し得る。ホモログは、異なる種に由来する特定の遺伝子の核酸配列およびアミノ酸配列である。
【００５０】
誘導体およびアナログは、以下に記載されるように、この誘導体またはアナログが改変核酸または改変アミノ酸を含む場合、全長または全長以外であり得る。本発明の核酸またはタンパク質の誘導体またはアナログは、種々の実施態様において、同一サイズの核酸配列またはアミノ酸配列に対して、または整列が当該分野において公知のコンピューター相同性プログラムによって実行される整列された配列に比較される場合に、少なくとも約３０％、５０％、７０％、８０％、または９５％同一性（ここで好ましくは８０〜９５％の同一性）によって本発明の核酸またはタンパク質に実質的に相同である領域、あるいはそのコードする核酸がストリンジェント、中程度にストリンジェント、もしくは低いストリンジェント条件下で前述のタンパク質をコードする配列の相補体をハイブリダイズし得る領域を含む分子を含むがそれらに限定されない。例えば、Ａｕｓｕｂｅｌら、ＣＵＲＲＥＮＴ  ＰＲＯＴＯＣＯＬＳ  ＩＮ  ＭＯＬＥＣＵＬＡＲ  ＢＩＯＬＯＧＹ、Ｊｏｈｎ  Ｗｉｌｅｙ＆Ｓｏｎｓ，Ｎｅｗ  Ｙｏｒｋ、ＮＹ、１９９３、および以下を参照のこと。
【００５１】
ヒト２１５５６４７、２３５５８７５、３２２３８６７，３２２４６４６、３４８２６９９、またはＭａｍｍ−Ｘ遺伝子のクローニングから決定されたヌクレオチド配列は、他の細胞型（例えば、他の組織由来）における２１５５６４７、２３５５８７５、３２２３８６７，３２２４６４６、３４８２６９９、またはＭａｍｍ−Ｘホモログ、ならびに他の哺乳動物由来の２１５５６４７、２３５５８７５、３２２３８６７，３２２４６４６、３４８２６９９、またはＭａｍｍ−Ｘホモログを同定および／またはクローニングする際の使用のために設計されるプローブおよびプライマーの作製を可能にする。このプローブ／プライマーは、代表的には、実質的に精製されたオリゴヌクレオチドを含む。このオリゴヌクレオチドは、代表的には、配列番号１、３、５、７、９、１１、２５または２７の少なくとも約１２個、２５個、５０個、１００個、１５０個、２００個、２５０個、３００個、３５０個または４００個の連続するセンス鎖ヌクレオチド配列、または配列番号１、３、５、７、９、１１、２５または２７のアンチセンス鎖ヌクレオチド配列、あるいは配列番号１、３、５、７、９、１１、２５または２７の天然に存在する変異体の少なくとも約１２個、２５個、５０個、１００個、１５０個、２００個、２５０個、３００個、３５０個または４００個の連続するセンス鎖ヌクレオチド配列、または配列番号１、３、５、７、９、１１、２５または２７のアンチセンス鎖ヌクレオチド配列に、ストリンジェントな条件下でハイブリダイズするヌクレオチド配列の領域を含む。
【００５２】
ヒト２１５５６４７、２３５５８７５、３２２３８６７，３２２４６４６、３４８２６９９、またはＭａｍｍ−Ｘヌクレオチド配列に基づくプローブは、同じまたは相同なタンパク質をコードする転写物またはゲノム配列を検出するために使用され得る。種々の実施態様において、このプローブはさらに、標識に付着した標識基を含み、例えば、この標識基は放射性同位体、蛍光化合物、酵素、または酵素補因子であり得る。このようなプローブは、２１５５６４７、２３５５８７５、３２２３８６７，３２２４６４６、３４８２６９９、またはＭａｍｍ−Ｘタンパク質を誤って発現する細胞または組織を同定するための診断試験キットの一部として、例えば、被験体由来の細胞のサンプル中の２１５５６４７、２３５５８７５、３２２３８６７，３２２４６４６、３４８２６９９、またはＭａｍｍ−Ｘをコードする核酸のレベルを測定すること（例えば、２１５５６４７、２３５５８７５、３２２３８６７，３２２４６４６、３４８２６９９、またはＭａｍｍ−Ｘ  ｍＲＮＡレベルを検出すること、またはゲノム２１５５６４７、２３５５８７５、３２２３８６７，３２２４６４６、３４８２６９９、またはＭａｍｍ−Ｘ遺伝子が変異しているかまたは欠失しているか否かを決定すること）によって使用され得る。
【００５３】
「２１５５６４７、２３５５８７５、３２２３８６７，３２２４６４６、３４８２６９９、またはＭａｍｍ−Ｘの生物学的に活性な部分を有するポリペプチド」は、本発明のポリペプチドの活性に類似するが必ずしも同一ではない活性を示すポリペプチドをいい、用量依存性の有無に関わらず、特定の生物学的アッセイにおいて測定されるような成熟形態を含む。「２１５５６４７、２３５５８７５、３２２３８６７，３２２４６４６、３４８２６９９、またはＭａｍｍ−Ｘの生物学的に活性な部分」をコードする核酸フラグメントは、２１５５６４７、２３５５８７５、３２２３８６７，３２２４６４６、３４８２６９９、またはＭａｍｍ−Ｘの生物学的活性（２１５５６４７、２３５５８７５、３２２３８６７，３２２４６４６、３４８２６９９、またはＭａｍｍ−Ｘのタンパク質の生物学的活性は、以下に記載される）を有するポリペプチドをコードする、配列番号１、３、５、７、９、１１、２５または２７の一部を単離し、２１５５６４７、２３５５８７５、３２２３８６７，３２２４６４６、３４８２６９９、またはＭａｍｍ−Ｘタンパク質のコードされた部分を発現し（例えば、インビトロでの組換え発現によって）、そして２１５５６４７、２３５５８７５、３２２３８６７，３２２４６４６、３４８２６９９、またはＭａｍｍ−Ｘのコードされた部分の活性を評価することによって調製され得る。
【００５４】
（２１５５６４７、２３５５８７５、３２２３８６７，３２２４６４６、３４８２６９９、またはＭａｍｍ−Ｘの改変体）
本発明はさらに、遺伝コードの縮重に起因して、配列番号１、３、５、７、９、１１、２５または２７に示されるヌクレオチド配列とは異なり、それにより配列番号１、３、５、７、９、１１、２５または２７に示されるヌクレオチド配列によってコードされるヌクレオチド配列と同じ２１５５６４７、２３５５８７５、３２２３８６７，３２２４６４６、３４８２６９９、またはＭａｍｍ−Ｘタンパク質をコードする核酸分子を包含する。別の実施態様において、本発明の単離された核酸分子は、配列番号１、３、５、７、９、１１、２５、または２７に示されるアミノ酸配列を有するタンパク質をコードするヌクレオチド配列を有する。
【００５５】
配列番号１、３、５、７、９、１１、２５、または２７に示されるヒト２１５５６４７、２３５５８７５、３２２３８６７，３２２４６４６、３４８２６９９、またはＭａｍｍ−Ｘヌクレオチド配列に加えて、２１５５６４７、２３５５８７５、３２２３８６７，３２２４６４６、３４８２６９９、またはＭａｍｍ−Ｘのアミノ酸配列における変化を導くＤＮＡ配列多型は、集団（例えば、ヒト集団）内に存在し得ることが、当業者によって理解される。２１５５６４７、２３５５８７５、３２２３８６７，３２２４６４６、３４８２６９９、またはＭａｍｍ−Ｘ遺伝子中のこのような遺伝的多型は、天然の対立遺伝子のバリエーションに起因して、集団内の個体間に存在し得る。本明細書中で使用される場合、用語「遺伝子」および「組換え遺伝子」は、２１５５６４７、２３５５８７５、３２２３８６７，３２２４６４６、３４８２６９９、またはＭａｍｍ−Ｘタンパク質、好ましくは哺乳動物の２１５５６４７、２３５５８７５、３２２３８６７，３２２４６４６、３４８２６９９、またはＭａｍｍ−Ｘタンパク質をコードするオープンリーディングフレームを含む核酸分子をいう。このような天然の対立遺伝子のバリエーションは、代表的には、２１５５６４７、２３５５８７５、３２２３８６７，３２２４６４６、３４８２６９９、またはＭａｍｍ−Ｘ遺伝子のヌクレオチド配列において１〜５％の変動性を生じる。２１５５６４７、２３５５８７５、３２２３８６７，３２２４６４６、３４８２６９９、またはＭａｍｍ−Ｘ内の任意および全てのこのようなヌクレオチドのバリエーションならびに得られるアミノ酸多型は、天然の対立遺伝子バリエーションの結果であり、そして２１５５６４７、２３５５８７５、３２２３８６７，３２２４６４６、３４８２６９９、またはＭａｍｍ−Ｘの機能的活性を変化させず、このことは、本発明の範囲内であると意図される。
【００５６】
さらに、他の種由来の２１５５６４７、２３５５８７５、３２２３８６７、３２２４６４６、３４８２６９９、またはＭａｍｍ−Ｘのタンパク質をコードし、従って、配列番号１、３、５、７、９、１１、２５または２７のヒト配列とは異なるヌクレオチド配列を有する核酸分子は、本発明の範囲内にあることが意図される。本発明の２１５５６４７、２３５５８７５、３２２３８６７、３２２４６４６、３４８２６９９またはＭａｍｍ−ＸのｃＤＮＡの天然の対立遺伝子改変体およびホモログに対する核酸分子は、本明細書中に開示されるヒト２１５５６４７、２３５５８７５、３２２３８６７、３２２４６４６、３４８２６９９またはＭａｍｍ−Ｘの核酸に対するその相同性に基づいて、ストリンジェントハイブリダイゼーション条件下で標準的なハイブリダイゼーション技術に従ってハイブリダイゼーションプローブとしてヒトｃＤＮＡまたはその一部を用いて単離され得る。例えば、可溶性ヒト２１５５６４７、２３５５８７５、３２２３８６７、３２２４６４６、３４８２６９９またはＭａｍｍ−ＸのｃＤＮＡは、ヒトの膜結合２１５５６４７、２３５５８７５、３２２３８６７、３２２４６４６、３４８２６９９またはＭａｍｍ−Ｘに対するその相同性に基づいて単離され得る。同様に、膜結合ヒト２１５５６４７、２３５５８７５、３２２３８６７、３２２４６４６、３４８２６９９またはＭａｍｍ−ＸのｃＤＮＡは、可溶性ヒト２１５５６４７、２３５５８７５、３２２３８６７、３２２４６４６、３４８２６９９またはＭａｍｍ−Ｘに対するその相同性に基づいて単離され得る。
【００５７】
従って、別の実施態様では、本発明の単離された核酸分子は、少なくとも６ヌクレオチド長であり、そしてストリンジェント条件下で配列番号１、３、５、７、９、１１、２５または２７のヌクレオチド配列を含む核酸分子にハイブリダイズする。別の実施態様では、この核酸は、少なくとも１０、２５、５０、１００、２５０または５００ヌクレオチド長である。別の実施態様では、本発明の単離された核酸分子は、コード領域にハイブリダイズする。本明細書中で用いられる場合、用語「ストリンジェント条件下でハイブリダイズする」は、ハイブリダイゼーションおよび洗浄に関して、互いに少なくとも６０％相同なヌクレオチド配列が代表的には互いにハイブリダイズしたままである条件を記載することを意図する。
【００５８】
ホモログ（すなわち、ヒト以外の種由来の２１５５６４７、２３５５８７５、３２２３８６７、３２２４６４６、３４８２６９９またはＭａｍｍ−Ｘのタンパク質をコードする核酸）または他の関連配列（例えば、パラログ（ｐａｒａｌｏｇｓ））は、特定のヒト配列の全てまたは一部をプローブとし、核酸ハイブリダイゼーションおよびクローニングに関して当該分野で周知の方法を使用して、低い、中程度の、または高いストリンジェンシーのハイブリダイゼーションによって獲得され得る。
【００５９】
ストリンジェント条件は、当業者に公知であり、そしてＣＵＲＲＥＮＴ  ＰＲＯＴＯＣＯＬＳ  ＩＮ  ＭＯＬＥＣＵＬＡＲ  ＢＩＯＬＯＧＹ，Ｊｏｈｎ  Ｗｉｌｅｙ  ＆  Ｓｏｎｓ，Ｎ．Ｙ．（１９８９），６．３．１−６．３．６に見出され得る。好ましくは、この条件は、互いに少なくとも約６５％、７０％、７５％、８５％、９０％、９５％、９８％または９９％相同な配列が、代表的には互いにハイブリダイズしたままであるような条件である。ストリンジェントハイブリダイゼーション条件の非限定的な例は、６×ＳＳＣ、５０ｍＭ  Ｔｒｉｓ−ＨＣｌ（ｐＨ７．５）、１ｍＭ  ＥＤＴＡ、０．０２％  ＰＶＰ、０．０２％  Ｆｉｃｏｌｌ、０．０２％  ＢＳＡ、および５００ｍｇ／ｍｌ変性サケ精子ＤＮＡを含む高塩緩衝液中での６５℃でのハイブリダイゼーション、続いて０．２×ＳＳＣ、０．０１％  ＢＳＡ中での５０℃での１回以上の洗浄である。ストリンジェント条件下で配列番号１、３、５、７、９、１１、２５または２７の配列にハイブリダイズする、本発明の単離された核酸分子は、天然に存在する核酸分子に対応する。本明細書中で使用される場合、「天然に存在する」核酸分子とは、天然に存在する（例えば、天然のタンパク質をコードする）ヌクレオチド配列を有する、ＲＮＡ分子またはＤＮＡ分子をいう。
【００６０】
第２の実施態様では、配列番号１、３、５、７、９、１１、２５または２７またはそれらのフラグメント、アナログもしくは誘導体のヌクレオチド配列を含む核酸分子に、中程度のストリンジェンシー条件下でハイブリダイズし得る核酸配列が提供される。中程度のストリンジェンシーハイブリダイゼーション条件の非限定的な例は、５５℃での６×ＳＳＣ、５×デンハルト溶液、０．５％  ＳＤＳおよび１００ｍｇ／ｍｌ変性サケ精子ＤＮＡ中でのハイブリダイゼーション、続いて１×ＳＳＣ、０．１％  ＳＤＳ中での３７℃での１回以上の洗浄である。用いられ得る中程度のストリンジェンシーの他の条件は、当該分野で周知である。例えば、Ａｕｓｕｂｅｌら（編），１９９３，ＣＵＲＲＥＮＴ  ＰＲＯＴＯＣＯＬＳ  ＩＮ  ＭＯＬＥＣＵＬＡＲ  ＢＩＯＬＯＧＹ，Ｊｏｈｎ  Ｗｉｌｅｙ  ＆  Ｓｏｎｓ，ＮＹおよびＫｒｉｅｇｌｅｒ，１９９０，ＧＥＮＥ  ＴＲＡＮＳＦＥＲ  ＡＮＤ  ＥＸＰＲＥＳＳＩＯＮ，Ａ  ＬＡＢＯＲＡＴＯＲＹ  ＭＡＮＵＡＬ，Ｓｔｏｃｋｔｏｎ  Ｐｒｅｓｓ，ＮＹを参照のこと。
【００６１】
第３の実施態様では、配列番号１、３、５、７、９、１１、２５もしくは２７、またはそれらのフラグメント、アナログもしくは誘導体のヌクレオチド配列を含む核酸分子に、低ストリンジェンシー条件下でハイブリダイズし得る核酸が提供される。低ストリンジェンシーハイブリダイゼーション条件の非限定的な例は、３５％ホルムアミド、５×ＳＳＣ、５０  ｍＭ  Ｔｒｉｓ−ＨＣｌ（ｐＨ７．５）、５ｍＭ  ＥＤＴＡ、０．０２％  ＰＶＰ、０．０２％  Ｆｉｃｏｌｌ、０．２％  ＢＳＡ、１００ｍｇ／ｍｌの変性サケ精子ＤＮＡ、１０％（ｗｔ／ｖｏｌ）デキストラン硫酸中での４０℃でのハイブリダイゼーション、続いて２×ＳＳＣ、２５ｍＭ  Ｔｒｉｓ−ＨＣｌ（ｐＨ７．４）、５ｍＭ  ＥＤＴＡおよび０．１％  ＳＤＳ中での５０℃での１回以上の洗浄である。用いられ得る低ストリンジェンシーの他の条件は、当該分野で周知である（例えば、種交差ハイブリダイゼーションについて用いられるように）。例えば、Ａｕｓｕｂｅｌら（編），１９９３，ＣＵＲＲＥＮＴ  ＰＲＯＴＯＣＯＬＳ  ＩＮ  ＭＯＬＥＣＵＬＡＲ  ＢＩＯＬＯＧＹ，Ｊｏｈｎ  Ｗｉｌｅｙ  ＆  Ｓｏｎｓ，ＮＹならびにＫｒｉｅｇｌｅｒ，１９９０，ＧＥＮＥ  ＴＲＡＮＳＦＥＲ  ＡＮＤ  ＥＸＰＲＥＳＳＩＯＮ，Ａ  ＬＡＢＯＲＡＴＯＲＹ  ＭＡＮＵＡＬ，Ｓｔｏｃｋｔｏｎ  Ｐｒｅｓｓ，ＮＹ；ＳｈｉｌｏおよびＷｅｉｎｂｅｒｇ，１９８１，Ｐｒｏｃ  Ｎａｔｌ  Ａｃａｄ  Ｓｃｉ  ＵＳＡ  ７８：６７８９−６７９２を参照のこと。
【００６２】
（保存的変異）
集団中に存在し得る、２１５５６４７、２３５５８７５、３２２３８６７、３２２４６４６、３４８２６９９またはＭａｍｍ−Ｘの配列の天然に存在する対立遺伝子改変体に加えて、当業者は、配列番号１、３、５、７、９、１１、２５または２７のヌクレオチド配列への変異によって変化が導入され得、それによって、２１５５６４７、２３５５８７５、３２２３８６７、３２２４６４６、３４８２６９９またはＭａｍｍ−Ｘのタンパク質の機能的能力を変更することなく、コードされる２１５５６４７、２３５５８７５、３２２３８６７、３２２４６４６、３４８２６９９またはＭａｍｍ−Ｘのタンパク質のアミノ酸配列における変化がもたらされることをさらに認識する。例えば、「非必須」アミノ酸残基にてアミノ酸置換をもたらすヌクレオチド置換は、配列番号１、３、５、７、９、１１、２５または２７の配列において行われ得る。「非必須」アミノ酸残基は、生物学的活性を有意に変更することなく、２１５５６４７、２３５５８７５、３２２３８６７、３２２４６４６、３４８２６９９またはＭａｍｍ−Ｘの野生型配列から、変更され得る残基であり、一方、「必須」アミノ酸残基は、生物学的活性に必要とされる。例えば、本発明の２１５５６４７、２３５５８７５、３２２３８６７、３２２４６４６、３４８２６９９またはＭａｍｍ−Ｘのタンパク質の間で保存されているアミノ酸残基は、特に変化を受け入れられないと予測される。
【００６３】
本発明の別の局面は、活性に必須ではないアミノ酸残基における変化を含む、２１５５６４７、２３５５８７５、３２２３８６７、３２２４６４６、３４８２６９９またはＭａｍｍ−Ｘのタンパク質をコードする核酸分子に関する。このような２１５５６４７、２３５５８７５、３２２３８６７、３２２４６４６、３４８２６９９またはＭａｍｍ−Ｘのタンパク質は、アミノ酸配列が、配列番号２、４、６、８、１０または１２とは異なるが、生物学的活性を保持する。１つの実施態様では、単離された核酸分子は、タンパク質をコードするヌクレオチド配列を含み、ここで、このタンパク質は、それぞれ、配列番号２、４、６、８、１０または１２のアミノ酸配列にその残基の少なくとも約４５％が同一であるアミノ酸配列を含む。好ましくは、この核酸分子によってコードされるタンパク質は、配列番号２、４、６、８、１０または１２に少なくとも約６０％同一であり、より好ましくは配列番号２、４、６、８、１０または１２に少なくとも約７０％同一であり、さらにより好ましくは配列番号２、４、６、８、１０または１２に少なくとも約８０％同一であり、なおより好ましくは配列番号２、４、６、８、１０または１２に少なくとも約９０％同一であり、そして最も好ましくは配列番号２、４、６、８、１０または１２に少なくとも約９５％同一である。
【００６４】
配列番号２、４、６、８、１０または１２のタンパク質に相同な２１５５６４７、２３５５８７５、３２２３８６７、３２２４６４６、３４８２６９９またはＭａｍｍ−Ｘのタンパク質をコードする単離された核酸分子は、配列番号１、３、５、７、９、１１、２５または２７のヌクレオチド配列へ１以上のヌクレオチドの置換、付加または欠失を導入することにより作製され得、その結果、１以上のアミノ酸の置換，付加または欠失が、コードされるタンパク質に導入される。
【 ００６５】
変異は、標準技術（例えば、部位特異的変異誘発およびＰＣＲ媒介変異誘発）によって配列番号１、３、５、７、９、１１、２５または２７に導入され得る。好ましくは、保存的アミノ酸置換が、１以上の推定非必須アミノ酸残基にて行われる。「保存的アミノ酸置換」は、アミノ酸残基が類似の側鎖を有するアミノ酸残基で置換される、アミノ酸置換である。類似の側鎖を有するアミノ酸残基のファミリーは、当該分野で定義されている。これらのファミリーとしては、以下が挙げられる：塩基性側鎖を有するアミノ酸（例えば、リジン、アルギニン、ヒスチジン）、酸性側鎖を有するアミノ酸（例えば、アルパラギン酸、グルタミン酸）、非荷電極性側鎖を有するアミノ酸（例えば、グリシン、アスパラギン、グルタミン、セリン、トレオニン、チロシン、システイン）、非極性側鎖を有するアミノ酸（例えば、アラニン、バリン、ロイシン、イソロイシン、プロリン、フェニルアラニン、メチオニン、トリプトファン）、β分枝側鎖を有するアミノ酸（例えば、トレオニン、バリン、イソロイシン）および芳香族側鎖を有するアミノ酸（例えば、チロシン、フェニルアラニン、トリプトファン、ヒスチジン）。従って、２１５５６４７、２３５５８７５、３２２３８６７、３２２４６４６、３４８２６９９またはＭａｍｍ−Ｘ中の予測された非必須アミノ酸残基は、同じ側鎖のファミリー由来の別のアミノ酸残基で置換される。あるいは、別の実施態様では、変異は、２１５５６４７、２３５５８７５、３２２３８６７、３２２４６４６、３４８２６９９またはＭａｍｍ−Ｘのコード配列の全てまたは一部に沿って（例えば、飽和変異誘発によって）ランダムに導入され得、そして得られる変異は、２１５５６４７、２３５５８７５、３２２３８６７、３２２４６４６、３４８２６９９またはＭａｍｍ−Ｘの生物学的活性についてスクリーニングされて、活性を維持する変異体を同定し得る。配列番号１、３、５、７、９、１１、２５または２７の変異誘発に続いて、コードされるタンパク質は、当該分野で公知の任意の組換え技術によって発現され得、そしてこのタンパク質の活性が決定され得る。
【００６６】
１つの実施態様では、変異２１５５６４７、２３５５８７５、３２２３８６７、３２２４６４６、３４８２６９９またはＭａｍｍ−Ｘのタンパク質は、以下についてアッセイされ得る：（１）他の２１５５６４７、２３５５８７５、３２２３８６７、３２２４６４６、３４８２６９９もしくはＭａｍｍ−Ｘのタンパク質、他の細胞表面タンパク質、または生物学的に活性なその部分とタンパク質：タンパク質相互作用を形成する能力、（２）変異２１５５６４７、２３５５８７５、３２２３８６７、３２２４６４６、３４８２６９９またはＭａｍｍ−Ｘのタンパク質と、２１５５６４７、２３５５８７５、３２２３８６７、３２２４６４６、３４８２６９９またはＭａｍｍ−Ｘのリガンドとの間の複合体形成；（３）変異２１５５６４７、２３５５８７５、３２２３８６７、３２２４６４６、３４８２６９９またはＭａｍｍ−Ｘのタンパク質が細胞内標的タンパク質またはその生物学的に活性な部分に結合する能力。
【００６７】
（アンチセンスポリヌクレオチド）
本発明の別の局面は、配列番号１、３、５、７、９、１１、２５もしくは２７またはそのフラグメント、アナログもしくは誘導体のヌクレオチド配列を含む核酸分子にハイブリダイズし得るかまたは相補的である、単離されたアンチセンス核酸分子に関する。「アンチセンス」核酸は、タンパク質をコードする「センス」核酸に相補的である、例えば、二本鎖ｃＤＮＡ分子のコード鎖に相補的であるかまたはｍＲＮＡ配列に相補的である、ヌクレオチド配列を含む。特定の局面では、少なくとも約１０、２５、５０、１００、２５０もしくは５００ヌクレオチドのまたは全体の２１５５６４７、２３５５８７５、３２２３８６７、３２２４６４６、３４８２６９９もしくはＭａｍｍ−Ｘのコード鎖、またはその一部のみに相補的な配列を含む、アンチセンス核酸分子が提供される。２１５５６４７、２３５５８７５、３２２３８６７、３２２４６４６、３４８２６９９またはＭａｍｍ−Ｘのタンパク質のフラグメント、ホモログ、誘導体およびアナログをコードする核酸分子、または配列番号１、３、５、７、９、１１、２５または２７の２１５５６４７、２３５５８７５、３２２３８６７、３２２４６４６、３４８２６９９もしくはＭａｍｍ−Ｘの核酸配列に相補的なアンチセンス核酸がさらに提供される。
【００６８】
１つの実施態様では、アンチセンス核酸分子は、２１５５６４７、２３５５８７５、３２２３８６７、３２２４６４６、３４８２６９９またはＭａｍｍ−Ｘをコードするヌクレオチド配列のコード鎖の「コード領域」に対してアンチセンスである。用語「コード領域」とは、アミノ酸残基に翻訳されるコドンを含む、ヌクレオチド配列の領域（例えば、配列番号１のヌクレオチド１４８〜４０２に対応し、配列番号３のヌクレオチド２０９〜６１０に対応し、配列番号５のヌクレオチド１２９〜５３４に対応し、配列番号７のヌクレオチド３０１〜１０８４に対応し、そして配列番号９のヌクレオチド３４１〜５３９に対応する、ヒト２１５５６４７、２３５５８７５、３２２３８６７、３２２４６４６、３４８２６９９またはＭａｍｍ−Ｘのコード領域）をいう。別の実施態様では、このアンチセンス核酸分子は、２１５５６４７、２３５５８７５、３２２３８６７、３２２４６４６、３４８２６９９またはＭａｍｍ−Ｘをコードするヌクレオチド配列のコード鎖の「非コード領域」に対してアンチセンスである。用語「非コード領域」とは、コード領域に隣接する、アミノ酸に翻訳されない、５’配列および３’配列をいう（すなわち、５’非翻訳領域および３’非翻訳領域ともいわれる）。
本明細書中に開示される２１５５６４７、２３５５８７５、３２２３８６７、３２２４６４６、３４８２６９９またはＭａｍｍ−Ｘをコードするコード鎖配列（例えば、配列番号１、３、５、７、９、１１、２５または２７）を考慮すれば、本発明のアンチセンス核酸は、ＷａｔｓｏｎおよびＣｒｉｃｋまたはＨｏｏｇｓｔｅｅｎの塩基対合の規則に従って設計され得る。アンチセンス核酸分子は、２１５５６４７、２３５５８７５、３２２３８６７、３２２４６４６、３４８２６９９またはＭａｍｍ−ＸのｍＲＮＡのコード領域全体に相補的であり得るが、より好ましくは、２１５５６４７、２３５５８７５、３２２３８６７、３２２４６４６、３４８２６９９またはＭａｍｍ−ＸのｍＲＮＡのコード領域または非コード領域の一部にのみアンチセンスであるオリゴヌクレオチドである。例えば、アンチセンスオリゴヌクレオチドは、２１５５６４７、２３５５８７５、３２２３８６７、３２２４６４６、３４８２６９９またはＭａｍｍ−ＸのｍＲＮＡの翻訳開始部位を取り囲む領域に相補的であり得る。アンチセンスオリゴヌクレオチドは、例えば、約５、１０、１５、２０、２５、３０、３５、４０、４５または５０ヌクレオチド長であり得る。本発明のアンチセンス核酸は、当該分野で公知の手順を用いて、化学的合成または酵素連結反応を用いて構築され得る。例えば、アンチセンス核酸（例えば、アンチセンスオリゴヌクレオチド）は、天然に存在するヌクレオチド、またはこの分子の生物学的安定性を増大させるように、もしくはアンチセンス核酸とセンス核酸との間で形成される二重鎖の物理的安定性を増大させるように設計された種々に改変されたヌクレオチドを用いて化学的に合成され得る（例えば、ホスホロチオエート誘導体およびアクリジン置換ヌクレオチドが用いられ得る）。
【００６９】
アンチセンス核酸を作製するために用いられ得る改変されたヌクレオチドの例としては以下が挙げられる：５−フルオロウラシル、５−ブロモウラシル、５−クロロウラシル、５−ヨードウラシル、ヒポキサンチン、キサンチン、４−アセチルシトシン、５−（カルボキシヒドロキシメチル）ウラシル、５−カルボキシメチルアミノメチル２−チオウリジン、５−カルボキシメチルアミノメチルウラシル、ジヒドロウラシル、β−Ｄ−ガラクトシルキューオシン、イノシン、Ｎ６−イソペンテニルアデニン、１−メチルグアニン、１−メチルイノシン、２，２−ジメチルグアニン、２−メチルアデニン、２−メチルグアニン、３−メチルシトシン、５−メチルシトシン、Ｎ６−アデニン、７−メチルグアニン、５−メチルアミノメチルウラシル、５−メトキシアミノメチル−２−チオウラシル、β−Ｄ−マンノシルキューオシン、５’−メトキシカルボキシメチルウラシル、５−メトキシウラシル、２−メチルチオ−Ｎ６−イソペンテニルアデニン、ウラシル−５−オキシ酢酸（ｖ）、ワイブトキソシン、シュードウラシル、キューオシン、２−チオシトシン、５−メチル−２−チオウラシル、２−チオウラシル、４−チオウラシル、５−メチルウラシル、ウラシル−５−オキシ酢酸メチルエステル、ウラシル−５−オキシ酢酸（ｖ）、５−メチル−２−チオウラシル、３−（３−アミノ−３−Ｎ−２−カルボキシプロピル）ウラシル、（ａｃｐ３）ｗ、および２，６−ジアミノプリン。あるいは、このアンチセンス核酸は、核酸がアンチセンス方向でサブクローニングされた発現ベクターを用いて生物学的に生成され得る（すなわち、挿入された核酸から転写されたＲＮＡは、以下のサブセクションにさらに記載される、目的の標的核酸に対してアンチセンス方向のＲＮＡである）。
【００７０】
本発明のアンチセンス核酸分子は、代表的には被験体に投与されるか、またはインサイチュで生成され、その結果それらは、２１５５６４７、２３５５８７５、３２２３８６７、３２２４６４６、３４８２６９９またはＭａｍｍ−Ｘタンパク質をコードする細胞性ｍＲＮＡおよび／またはゲノムＤＮＡとハイブリダイズするか、またはそれに結合し、それによってこのタンパク質の発現を、例えば転写および／または翻訳を阻害することによって阻害する。ハイブリダイゼーションは、安定な二重鎖を形成する従来のヌクレオチド相補性によって、または例えばＤＮＡ二重鎖に結合するアンチセンス核酸分子の場合には、二重らせんのメジャーグルーブにおける特異的相互作用を介してであり得る。本発明のアンチセンス核酸分子の投与経路の例としては、組織部位での直接的注射が挙げられる。あるいは、アンチセンス核酸分子は、選択された細胞を標的化するように改変され得、次いで全身に投与される。例えば、全身投与のために、アンチセンス分子は、それらが選択された細胞表面上に発現されたレセプターまたは抗原に特異的に結合するように改変され得る。これは、例えば、そのアンチセンス核酸分子を細胞表面レセプターまたは抗原に結合するペプチドまたは抗体に連結することによる。このアンチセンス核酸分子はまた、本明細書中に記載されるベクターを用いて細胞に送達され得る。アンチセンス分子の十分な細胞内濃度を達成するために、アンチセンス核酸分子が、強力なｐｏｌ  ＩＩプロモーターまたはｐｏｌ  ＩＩＩプロモーターの制御下に置かれているベクター構築物が好ましい。
【００７１】
なお別の実施態様において、本発明のアンチセンス核酸分子は、ａ−アノマー核酸分子である。ａ−アノマー核酸分子は、相補的ＲＮＡとの特定の二本鎖ハイブリッドを形成する。ここで、通常のｂ−ユニットとは対照的に、鎖は、互いに平行に走行する（Ｇａｕｌｔｉｅｒら（１９８７）Ｎｕｃｌｅｉｃ  Ａｃｉｄｓ  Ｒｅｓ  １５：６６２５〜６６４１）。このアンチセンス核酸分子はまた、２’−ｏ−メチルリボヌクレオチド（Ｉｎｏｕｅら、（１９８７）Ｎｕｃｌｅｉｃ  Ａｃｉｄｓ  Ｒｅｓ  １５：６１３１〜６１４８）またはキメラＲＮＡ−ＤＮＡアナログ（Ｉｎｏｕｅら（１９８７）ＦＥＢＳ  Ｌｅｔｔ  ２１５：３２７〜３３０）を含み得る。
【００７２】
（リボザイムおよびＰＮＡ部分）
なお別の実施態様において、本発明のアンチセンス核酸はリボザイムである。リボザイムは、一本鎖核酸（例えば、ｍＲＮＡ）を切断し得るリボヌクレアーゼ活性を有する触媒性ＲＮＡ分子であり、これらは、その一本鎖核酸に対して相補領域を有する。従って、リボザイム（例えば、ハンマーヘッドリボザイム（ＨａｓｅｌｈｏｆｆおよびＧｅｒｌａｃｈ（１９８８）Ｎａｔｕｒｅ  ３３４：５８５〜５９１に記載される））を使用して、２１５５６４７、２３５５８７５、３２２３８６７、３２２４６４６、３４８２６９９またはＭａｍｍ−ＸのｍＲＮＡ転写物を触媒的に切断し、それによって２１５５６４７、２３５５８７５、３２２３８６７、３２２４６４６、３４８２６９９またはＭａｍｍ−ＸのｍＲＮＡの翻訳を阻害し得る。２１５５６４７、２３５５８７５、３２２３８６７、３２２４６４６、３４８２６９９またはＭａｍｍ−Ｘをコードする核酸に特異性を有するリボザイムは、本明細書中に開示される２１５５６４７、２３５５８７５、３２２３８６７、３２２４６４６、３４８２６９９またはＭａｍｍ−ＸのｃＤＮＡのヌクレオチド配列（すなわち、配列番号１、３、５、７、９、１１、２５または２７）に基づいて設計され得る。例えば、活性部位のヌクレオチド配列が、２１５５６４７、２３５５８７５、３２２３８６７、３２２４６４６、３４８２６９９またはＭａｍｍ−ＸをコードするｍＲＮＡ内で切断されるヌクレオチド配列に相補的である、テトラヒメナＬ−１９  ＩＶＳ  ＲＮＡの誘導体が構築され得る。例えば、Ｃｅｃｈら、米国特許第４，９８７，０７１号；およびＣｅｃｈら、米国特許第５，１１６，７４２号を参照のこと。あるいは、２１５５６４７、２３５５８７５、３２２３８６７、３２２４６４６、３４８２６９９またはＭａｍｍ−Ｘを使用して、ＲＮＡ分子のプールから、特異的リボヌクレアーゼ活性を有する触媒性ＲＮＡを選択し得る。例えば、Ｂａｒｔｅｌら（１９９３）Ｓｃｉｅｎｃｅ  ２６１：１４１１〜１４１８を参照のこと。
【００７３】
あるいは、２１５５６４７、２３５５８７５、３２２３８６７、３２２４６４６、３４８２６９９またはＭａｍｍ−Ｘの遺伝子発現は、２１５５６４７、２３５５８７５、３２２３８６７、３２２４６４６、３４８２６９９またはＭａｍｍ−Ｘの調節領域（例えば、２１５５６４７、２３５５８７５、３２２３８６７、３２２４６４６、３４８２６９９またはＭａｍｍ−Ｘのプロモーターおよび／またはエンハンサー）に相補的なヌクレオチド配列を標的化し、標的細胞中での２１５５６４７、２３５５８７５、３２２３８６７、３２２４６４６、３４８２６９９またはＭａｍｍ−Ｘの遺伝子の転写を妨害する三重らせん構造を形成することによって阻害され得る。一般には、Ｈｅｌｅｎｅ．（１９９１）Ａｎｔｉｃａｎｃｅｒ  Ｄｒｕｇ  Ｄｅｓ．６：５６９〜８４；Ｈｅｌｅｎｅら（１９９２）Ａｎｎ．Ｎ．Ｙ．Ａｃａｄ．Ｓｃｉ．６６０：２７〜３６；およびＭａｈｅｒ（１９９２）Ｂｉｏａｓｓａｙｓ  １４：８０７〜１５を参照のこと。
【００７４】
種々の実施態様において、２１５５６４７、２３５５８７５、３２２３８６７、３２２４６４６、３４８２６９９またはＭａｍｍ−Ｘの核酸は、塩基部分、糖部分またはリン酸骨格で改変され、例えば、その分子の安定性、ハイブリダイゼーションまたは可溶性を改善し得る。例えば、核酸のデオキシリボースリン酸骨格を改変して、ペプチド核酸を生成し得る（Ｈｙｒｕｐら（１９９６）Ｂｉｏｏｒｇ  Ｍｅｄ  Ｃｈｅｍ  ４：５〜２３を参照のこと）。本明細書中で使用される用語「ペプチド核酸」または「ＰＮＡ」は、デオキシリボースリン酸骨格が偽ペプチド骨格によって置換され、そして４つの天然の核塩基（ｎｕｃｌｅｏｂａｓｅ）のみが保持されている核酸模倣物（例えば、ＤＮＡ模倣物）をいう。ＰＮＡの天然の骨格は、低いイオン強度の条件下でＤＮＡおよびＲＮＡに対する特異的ハイブリダイゼーションを可能にすることが示されている。ＰＮＡオリゴマーの合成は、上記のＨｙｒｕｐら（１９９６）；Ｐｅｒｒｙ−Ｏ’Ｋｅｅｆｅら（１９９６）ＰＮＡＳ  ９３：１４６７０〜６７５において記載されるような標準的固相ペプチド合成プロトコルを用いて行われ得る。
【００７５】
２１５５６４７、２３５５８７５、３２２３８６７、３２２４６４６、３４８２６９９またはＭａｍｍ−ＸのＰＮＡは、治療的適用および診断的適用において使用され得る。例えば、ＰＮＡは、例えば転写または翻訳の停止を誘導することまたは複製を阻害することによる、遺伝子発現の配列特異的調節のためのアンチセンスまたは抗原剤として使用され得る。例えば、２１５５６４７、２３５５８７５、３２２３８６７、３２２４６４６、３４８２６９９またはＭａｍｍ−ＸのＰＮＡはまた、例えばＰＮＡ指向性ＰＣＲクランピングによる遺伝子における単一塩基対変異の分析において；他の酵素（例えば、Ｓ１ヌクレアーゼ）と組み合わせて使用される場合の人工制限酵素（Ｈｙｒｕｐ  Ｂ．（１９９６）上記）として；またはＤＮＡ配列およびハイブリダイゼーションのプローブもしくはプライマーとして（Ｈｙｒｕｐら（１９９６）上記；Ｐｅｒｒｙ−Ｏ’Ｋｅｅｆｅ（１９９６）、上記）、使用され得る。
【００７６】
別の実施態様において、２１５５６４７、２３５５８７５、３２２３８６７、３２２４６４６、３４８２６９９またはＭａｍｍ−ＸのＰＮＡは、例えばそれらの安定性または細胞性取り込みを増強するために、ＰＮＡに脂肪親和性基または他のヘルパー基を結合することによって、ＰＮＡ−ＤＮＡキメラの形成によって、またはリポソームもしくは当該分野において公知の薬物送達の他の技術の使用によって改変され得る。例えば、ＰＮＡおよびＤＮＡの有利な特性を組合せ得る、２１５５６４７、２３５５８７５、３２２３８６７、３２２４６４６、３４８２６９９またはＭａｍｍ−ＸのＰＮＡ−ＤＮＡキメラが生成され得る。ＰＮＡ部分が高い結合親和性および特異性を提供する一方で、そのようなキメラは、ＤＮＡ認識酵素（例えば、ＲＮａｓｅ  ＨおよびＤＮＡポリメラーゼ）がＤＮＡ部分と相互作用するのを可能にする。ＰＮＡ−ＤＮＡキメラは、塩基のスタッキング、核塩基間の結合数および方向を考慮して選択される適切な長さのリンカーを使用して連結され得る（Ｈｙｒｕｐ（１９９６）上記）。ＰＮＡ−ＤＮＡキメラの合成は、Ｈｙｒｕｐ（１９９６）上記およびＦｉｎｎら（１９９６）Ｎｕｃｌ  Ａｃｉｄｓ  Ｒｅｓ  ２４：３３５７〜６３において記載されるように行われ得る。例えば、ＤＮＡ鎖は、標準的なホスホラミダイトカップリング化学を用いて固体支持体上で合成され得、そして改変されたヌクレオシドアナログ（例えば、５’−（４−メトキシトリチル）アミノ−５’−デオキシ−チミジンホスホラミダイト）が、ＰＮＡとＤＮＡの５’末端との間に使用され得る（Ｍａｇら（１９８９）Ｎｕｃｌ  Ａｃｉｄ  Ｒｅｓ  １７：５９７３〜８８）。次いで、ＰＮＡモノマーが段階様式でカップリングされ、５’ＰＮＡセグメントおよび３’ＤＮＡセグメントを有するキメラ分子を生成する（Ｆｉｎｎら（１９９６）上記）。あるいは、５’ＤＮＡセグメントおよび３’ＰＮＡセグメントを有するキメラ分子が合成され得る。Ｐｅｔｅｒｓｅｎら（１９７５）Ｂｉｏｏｒｇ  Ｍｅｄ  Ｃｈｅｍ  Ｌｅｔｔ  ５：１１１９〜１１１２４を参照のこと。
【００７７】
他の実施態様において、オリゴヌクレオチドは、以下のような他の付属の基を含み得る：ペプチド（例えば、インビボで宿主細胞レセプターを標的化するため）、または細胞膜を横切る輸送を容易にする因子（例えば、Ｌｅｔｓｉｎｇｅｒら、１９８９、Ｐｒｏｃ．Ｎａｔｌ．Ａｃａｄ．Ｓｃｉ．Ｕ．Ｓ．Ａ．８６：６５５３〜６５５６；Ｌｅｍａｉｔｒｅら、１９８７、Ｐｒｏｃ．Ｎａｔｌ．Ａｃａｄ．Ｓｃｉ．８４：６４８〜６５２；ＰＣＴ公開番号ＷＯ８８／０９８１０を参照のこと）、または血液脳関門（例えば、ＰＣＴ公開番号ＷＯ８９／１０１３４を参照のこと）。さらに、オリゴヌクレオチドは、ハイブリダイゼーション誘発切断剤（例えば、Ｋｒｏｌら、１９８８、ＢｉｏＴｅｃｈｎｉｑｕｅｓ  ６：９５８〜９７６を参照のこと）、またはインターカレーター剤（例えば、Ｚｏｎ，１９８８、Ｐｈａｒｍ．Ｒｅｓ．５：５３９〜５４９を参照のこと）で改変され得る。この目的のために、オリゴヌクレオチドは、別の分子（例えば、ペプチド、ハイブリダイゼーション誘発架橋剤、輸送剤、ハイブリダイゼーション誘発切断剤など）に結合され得る。
【００７８】
（２１５５６４７、２３５５８７５、３２２３８６７、３２２４６４６、３４８２６９９またはＭａｍｍ−Ｘのタンパク質）
本発明の１つの局面は、単離された２１５５６４７、２３５５８７５、３２２３８６７、３２２４６４６、３４８２６９９またはＭａｍｍ−Ｘのタンパク質、およびその生物学的に活性な部分、またはその誘導体、フラグメント、アナログもしくはホモログに関する。抗２１５５６４７抗体、抗２３５５８７５抗体、抗３２２３８６７抗体、抗３２２４６４６抗体、抗３４８２６９９抗体または抗Ｍａｍｍ−Ｘ抗体を惹起するための免疫原としての使用のために適切なポリペプチドフラグメントもまた提供される。１つの実施態様において、ネイティブの２１５５６４７、２３５５８７５、３２２３８６７、３２２４６４６、３４８２６９９またはＭａｍｍ−Ｘのタンパク質は、標準的なタンパク質精製技術を用いる適切な精製スキームによって、細胞または組織供給源から単離され得る。別の実施態様において、２１５５６４７、２３５５８７５、３２２３８６７、３２２４６４６、３４８２６９９またはＭａｍｍ−Ｘのタンパク質は、組換えＤＮＡ技術によって産生される。組換え発現に代わるものとして、２１５５６４７、２３５５８７５、３２２３８６７、３２２４６４６、３４８２６９９またはＭａｍｍ−Ｘのタンパク質またはポリペプチドは、標準的なペプチド合成技術を用いて化学合成され得る。
【００７９】
「単離された」または「精製された」タンパク質またはその生物学的に活性な部分は、２１５５６４７、２３５５８７５、３２２３８６７、３２２４６４６、３４８２６９９またはＭａｍｍ−Ｘのタンパク質の由来する細胞または組織供給源由来の細胞性物質または他の夾雑タンパク質を実質的に含まないか、または化学合成される場合に化学前駆体または他の化学物質を実質的に含まない。句「細胞性物質を実質的に含まない」は、タンパク質が、それが単離または組換え産生された細胞の細胞性成分から分離されている、２１５５６４７、２３５５８７５、３２２３８６７、３２２４６４６、３４８２６９９またはＭａｍｍ−Ｘのタンパク質調製物を含む。１つの実施態様において、句「細胞性物質を実質的に含まない」は、非２１５５６４７、非２３５５８７５、非３２２３８６７、非３２２４６４６、非３４８２６９９または非Ｍａｍｍ−Ｘのタンパク質（本明細書中において「夾雑タンパク質」とも呼ばれる）を約３０％未満（乾燥重量にて）、より好ましくは非２１５５６４７、非２３５５８７５、非３２２３８６７、非３２２４６４６、非３４８２６９９または非Ｍａｍｍ−Ｘのタンパク質を約２０％未満、なおより好ましくは非２１５５６４７、非２３５５８７５、非３２２３８６７、非３２２４６４６、非３４８２６９９または非Ｍａｍｍ−Ｘのタンパク質を約１０％未満、そして最も好ましくは非２１５５６４７、非２３５５８７５、非３２２３８６７、非３２２４６４６、非３４８２６９９または非Ｍａｍｍ−Ｘのタンパク質を約５％未満有する、２１５５６４７、２３５５８７５、３２２３８６７、３２２４６４６、３４８２６９９またはＭａｍｍ−Ｘのタンパク質の調製物を含む。２１５５６４７、２３５５８７５、３２２３８６７、３２２４６４６、３４８２６９９またはＭａｍｍ−Ｘのタンパク質またはその生物学的に活性な部分が組換え産生される場合、好ましくは、これはまた培養培地を実質的に含まない。すなわち、培養培地は、そのタンパク質調製物の容量の約２０％未満、より好ましくは約１０％未満、そして最も好ましくは約５％未満を示す。
【００８０】
句「化学前駆体または他の化学物質を実質的に含まない」は、そのタンパク質が、そのタンパク質の合成に関与する化学前駆体または他の化学物質から分離されている２１５５６４７、２３５５８７５、３２２３８６７、３２２４６４６、３４８２６９９またはＭａｍｍ−Ｘのタンパク質調製物を含む。１つの実施態様において、句「化学前駆体または他の化学物質を実質的に含まない」は、化学前駆体または非２１５５６４７、非２３５５８７５、非３２２３８６７、非３２２４６４６、非３４８２６９９もしくは非Ｍａｍｍ−Ｘの化学物質を約３０％未満（乾燥重量にて）、より好ましくは化学前駆体または非２１５５６４７、非２３５５８７５、非３２２３８６７、非３２２４６４６、非３４８２６９９もしくは非Ｍａｍｍ−Ｘの化学物質を約２０％未満、なおより好ましくは化学前駆体または非２１５５６４７、非２３５５８７５、非３２２３８６７、非３２２４６４６、非３４８２６９９もしくは非Ｍａｍｍ−Ｘの化学物質を約１０％未満、そして最も好ましくは化学前駆体または非２１５５６４７、非２３５５８７５、非３２２３８６７、非３２２４６４６、非３４８２６９９もしくは非Ｍａｍｍ−Ｘの化学物質を約５％未満有する、２１５５６４７、２３５５８７５、３２２３８６７、３２２４６４６、３４８２６９９またはＭａｍｍ−Ｘのタンパク質調製物を含む。
【００８１】
２１５５６４７、２３５５８７５、３２２３８６７、３２２４６４６、３４８２６９９またはＭａｍｍ−Ｘのタンパク質の生物学的に活性な部分は、全長の２１５５６４７、２３５５８７５、３２２３８６７、３２２４６４６、３４８２６９９またはＭａｍｍ−Ｘのタンパク質より少ないアミノ酸を含み、そして２１５５６４７、２３５５８７５、３２２３８６７、３２２４６４６、３４８２６９９またはＭａｍｍ−Ｘのタンパク質の少なくとも１つの活性を示す、２１５５６４７、２３５５８７５、３２２３８６７、３２２４６４６、３４８２６９９もしくはＭａｍｍ−Ｘのタンパク質のアミノ酸配列（例えば、配列番号２、４、６、８、１０に示されるアミノ酸配列）に十分に相同なアミノ酸配列、または２１５５６４７、２３５５８７５、３２２３８６７、３２２４６４６、３４８２６９９もしくはＭａｍｍ−Ｘのタンパク質のアミノ酸配列に由来するアミノ酸配列を含むペプチドを含む。代表的には、生物学的に活性な部分は、２１５５６４７、２３５５８７５、３２２３８６７、３２２４６４６、３４８２６９９またはＭａｍｍ−Ｘのタンパク質の少なくとも１つの活性を有するドメインまたはモチーフを含む。２１５５６４７、２３５５８７５、３２２３８６７、３２２４６４６、３４８２６９９またはＭａｍｍ−Ｘのタンパク質の生物学的に活性な部分は、例えば、１０、２５、５０、１００またはそれより多いアミノ酸長であるポリペプチドであり得る。
【００８２】
さらに、タンパク質の他の領域が欠失している他の生物学的に活性な部分は、組換え技術によって調製され得、そしてネイティブの２１５５６４７、２３５５８７５、３２２３８６７、３２２４６４６、３４８２６９９またはＭａｍｍ−Ｘのタンパク質の機能的活性のうちの１つ以上について評価され得る。
【００８３】
１つの実施態様において、２１５５６４７、２３５５８７５、３２２３８６７、３２２４６４６、３４８２６９９またはＭａｍｍ−Ｘのタンパク質は、配列番号２、４、６、８、１０に示されるアミノ酸配列を有する。他の実施態様において、２１５５６４７、２３５５８７５、３２２３８６７、３２２４６４６、３４８２６９９またはＭａｍｍ−Ｘのタンパク質は、配列番号２、４、６、８、１０に実質的に相同であり、そして以下に詳細に議論されるように、天然の対立遺伝子変異体または変異誘発に起因してアミノ酸配列が異なるが、配列番号２、４、６、８、１０のタンパク質の機能的活性を保持する。従って、別の実施態様において、２１５５６４７、２３５５８７５、３２２３８６７、３２２４６４６、３４８２６９９またはＭａｍｍ−Ｘのタンパク質は、配列番号２、４、６、８、１０のアミノ酸配列に少なくとも約４５％相同なアミノ酸配列を含み、そして配列番号２、４、６、８、１０の２１５５６４７、２３５５８７５、３２２３８６７、３２２４６４６、３４８２６９９またはＭａｍｍ−Ｘのタンパク質の機能的活性を保持するタンパク質である。
【００８４】
（２つ以上の配列間の類似性の決定）
２つのアミノ酸配列または２つの核酸のパーセント類似性を決定するために、配列は、至適な比較の目的のために整列される（例えば、ギャップは、第２のアミノ酸配列または核酸配列との至適な整列のために、第１のアミノ酸配列または核酸配列の配列中に導入され得る）。次いで、対応するアミノ酸位置またはヌクレオチド位置でのアミノ酸残基またはヌクレオチドが比較される。第１の配列中の位置が、第２の配列中の対応する位置と同じアミノ酸残基またはヌクレオチドで占められる場合、分子はその位置で相同である（すなわち、本明細書中で使用される場合、アミノ酸または核酸の「類似性」は、アミノ酸または核酸の「同一性」と等価である）。
【００８５】
核酸配列の類似性は、２つの配列間の同一性の程度として決定され得る。相同性は、当該分野において公知のコンピュータープログラム（例えば、ＧＣＧプログラムパッケージにおいて提供されるＧＡＰソフトウェア）を用いて決定され得る。ＮｅｅｄｌｅｍａｎおよびＷｕｎｓｃｈ  １９７０  Ｊ  Ｍｏｌ  Ｂｉｏｌ  ４８：４４３〜４５３を参照のこと。核酸配列比較のための以下の設定を用いてＧＣＧ  ＧＡＰソフトウェアを用いると、上記で言及される類似の核酸配列のコード領域は、配列番号１、３、５、７、９に示されるＤＮＡ配列のＣＤＳ（コード）部分と、好ましくは少なくとも７０％、７５％、８０％、８５％、９０％、９５％、９８％または９９％の同一性の程度を示す：ＧＡＰ作製ペナルティー、５．０、およびＧＡＰ伸長ペナルティー、０．３。
【００８６】
用語「配列同一性」は、２つのポリヌクレオチド配列またはポリペプチド配列が、特定の比較領域にわたって、残基毎を基準として同一である程度をいう。用語「配列同一性のパーセンテージ」は、以下により算出される：この比較領域にわたって最適に整列された２つの配列を比較する工程、両方の配列において同一の核酸塩基（例えば、核酸の場合にはＡ、Ｔ、Ｃ、Ｇ、Ｕ、またはＩ）が存在する位置の数を決定し、一致した位置の数を産出する工程、この一致した位置の数を、比較領域の内の位置の総数（すなわち、ウインドウサイズ）で除算する工程、そして結果を１００で乗算して、配列同一性のパーセンテージを産出する工程。用語「実質的な同一性」は、本明細書中で使用される場合、ポリヌクレオチド配列の特徴を示し、ここでこのポリヌクレオチドは、比較領域にわたり参照配列と比較して、少なくとも８０％の配列同一性、好ましくは少なくとも８５％の配列同一性、そして頻繁には９０〜９５％の配列同一性、より通常には少なくとも９９％の配列同一性を有する配列を含む。
【００８７】
（キメラタンパク質および融合タンパク質）
本発明はまた、２１５５６４７、２３５５８７５、３２２３８６７、３２２４６４６、３４８２６９９、またはＭａｍｍ−Ｘのキメラタンパク質または融合タンパク質を提供する。本明細書中で使用される場合、２１５５６４７、２３５５８７５、３２２３８６７、３２２４６４６、３４８２６９９、またはＭａｍｍ−Ｘの「キメラタンパク質」または「融合タンパク質」は、非２１５５６４７、非２３５５８７５、非３２２３８６７、非３２２４６４６、非３４８２６９９、または非Ｍａｍｍ−Ｘのポリペプチドに作動可能に連結された、２１５５６４７、２３５５８７５、３２２３８６７、３２２４６４６、３４８２６９９、またはＭａｍｍ−Ｘのポリペプチドを含む。「２１５５６４７、２３５５８７５、３２２３８６７、３２２４６４６、３４８２６９９、またはＭａｍｍ−Ｘのポリペプチド」は、２１５５６４７、２３５５８７５、３２２３８６７、３２２４６４６、３４８２６９９、またはＭａｍｍ−Ｘに対応するアミノ酸配列を有するポリペプチドをいうが、「非２１５５６４７、非２３５５８７５、非３２２３８６７、非３２２４６４６、非３４８２６９９、または非Ｍａｍｍ−Ｘのポリペプチド」は、２１５５６４７、２３５５８７５、３２２３８６７、３２２４６４６、３４８２６９９、またはＭａｍｍ−Ｘのタンパク質に対して実質的に相同ではないタンパク質（例えば、２１５５６４７、２３５５８７５、３２２３８６７、３２２４６４６、３４８２６９９、またはＭａｍｍ−Ｘのタンパク質とは異なり、かつ同一または異なる生物体に由来するタンパク質）に対応するアミノ酸配列を有するポリペプチドをいう。２１５５６４７、２３５５８７５、３２２３８６７、３２２４６４６、３４８２６９９、またはＭａｍｍ−Ｘの融合タンパク質において、この２１５５６４７、２３５５８７５、３２２３８６７、３２２４６４６、３４８２６９９、またはＭａｍｍ−Ｘのポリペプチドは、２１５５６４７、２３５５８７５、３２２３８６７、３２２４６４６、３４８２６９９、またはＭａｍｍ−Ｘのタンパク質のすべてまたは一部分に対応し得る。１つの実施態様では、２１５５６４７、２３５５８７５、３２２３８６７、３２２４６４６、３４８２６９９、またはＭａｍｍ−Ｘの融合タンパク質は、２１５５６４７、２３５５８７５、３２２３８６７、３２２４６４６、３４８２６９９、またはＭａｍｍ−Ｘのタンパク質の少なくとも１つの生物学的に活性な部分を含む。別の実施態様では、２１５５６４７、２３５５８７５、３２２３８６７、３２２４６４６、３４８２６９９、またはＭａｍｍ−Ｘの融合タンパク質は、２１５５６４７、２３５５８７５、３２２３８６７、３２２４６４６、３４８２６９９、またはＭａｍｍ−Ｘのタンパク質の少なくとも２つの生物学的に活性な部分を含む。さらに別の実施態様では、２１５５６４７、２３５５８７５、３２２３８６７、３２２４６４６、３４８２６９９、またはＭａｍｍ−Ｘの融合タンパク質は、２１５５６４７、２３５５８７５、３２２３８６７、３２２４６４６、３４８２６９９、またはＭａｍｍ−Ｘのタンパク質の少なくとも３つの生物学的に活性な部分を含む。融合タンパク質において、用語「作動可能に連結された」は、２１５５６４７、２３５５８７５、３２２３８６７、３２２４６４６、３４８２６９９、またはＭａｍｍ−Ｘのポリペプチドおよび非２１５５６４７、非２３５５８７５、非３２２３８６７、非３２２４６４６、非３４８２６９９、または非Ｍａｍｍ−Ｘのポリペプチドが、インフレームで互いに融合されていることを示すことが意図される。非２１５５６４７、非２３５５８７５、非３２２３８６７、非３２２４６４６、非３４８２６９９、または非Ｍａｍｍ−Ｘのポリペプチドを、２１５５６４７、２３５５８７５、３２２３８６７、３２２４６４６、３４８２６９９、またはＭａｍｍ−ＸのポリペプチドのＮ末端またはＣ末端に融合し得る。
【００８８】
例えば、１つの実施態様では、２１５５６４７、２３５５８７５、３２２３８６７、３２２４６４６、３４８２６９９、またはＭａｍｍ−Ｘの融合タンパク質は、第２のタンパク質の細胞外ドメインに連結された２１５５６４７、２３５５８７５、３２２３８６７、３２２４６４６、３４８２６９９、またはＭａｍｍ−Ｘのドメインを含む。このような融合タンパク質は、２１５５６４７、２３５５８７５、３２２３８６７、３２２４６４６、３４８２６９９、またはＭａｍｍ−Ｘの活性を調節する化合物についてのスクリーニングアッセイでさらに利用され得る。
【００８９】
さらに別の実施態様では、融合タンパク質は、ＧＳＴ−２１５５６４７、ＧＳＴ−２３５５８７５、ＧＳＴ−３２２３８６７、ＧＳＴ−３２２４６４６、ＧＳＴ−３４８２６９９、またはＧＳＴ−Ｍａｍｍ−Ｘの融合タンパク質であり、ここでは２１５５６４７、２３５５８７５、３２２３８６７、３２２４６４６、３４８２６９９、またはＭａｍｍ−Ｘの配列は、ＧＳＴ（すなわち、グルタチオンＳ−トランスフェラーゼ）配列のＣ末端に融合されている。このような融合タンパク質は組換えの２１５５６４７、２３５５８７５、３２２３８６７、３２２４６４６、３４８２６９９、またはＭａｍｍ−Ｘの精製を容易にし得る。
【００９０】
別の実施態様では、融合タンパク質は、そのＮ末端に異種シグナル配列を含む２１５５６４７、２３５５８７５、３２２３８６７、３２２４６４６、３４８２６９９、またはＭａｍｍ−Ｘのタンパク質である。例えば、ネイティブの２１５５６４７、２３５５８７５、３２２３８６７、３２２４６４６、３４８２６９９、またはＭａｍｍ−Ｘのシグナル配列を除去し得、そして別のタンパク質由来のシグナル配列で置換し得る。特定の宿主細胞（例えば、哺乳動物宿主細胞）では、２１５５６４７、２３５５８７５、３２２３８６７、３２２４６４６、３４８２６９９、またはＭａｍｍ−Ｘの発現および／または分泌を、異種シグナル配列の使用を通して増加させ得る。
【００９１】
さらに別の実施態様では、融合タンパク質は、２１５５６４７−免疫グロブリン、２３５５８７５−免疫グロブリン、３２２３８６７−免疫グロブリン、３２２４６４６−免疫グロブリン、３４８２６９９−免疫グロブリン、またはＭａｍｍ−Ｘ−免疫グロブリンの融合タンパク質であり、ここでは２１５５６４７、２３５５８７５、３２２３８６７、３２２４６４６、３４８２６９９、またはＭａｍｍ−Ｘの配列が、免疫グロブリンタンパク質ファミリーのメンバー由来の配列に融合されている。本発明の２１５５６４７−免疫グロブリン、２３５５８７５−免疫グロブリン、３２２３８６７−免疫グロブリン、３２２４６４６−免疫グロブリン、３４８２６９９−免疫グロブリン、またはＭａｍｍ−Ｘ−免疫グロブリンの融合タンパク質は、薬学的組成物中に組込まれ得る。そしてこれは、被験体に投与されて、２１５５６４７、２３５５８７５、３２２３８６７、３２２４６４６、３４８２６９９、またはＭａｍｍ−Ｘのリガントと、細胞表面上の２１５５６４７、２３５５８７５、３２２３８６７、３２２４６４６、３４８２６９９、またはＭａｍｍ−Ｘのタンパク質との間の相互作用を阻害し得、それによって２１５５６４７、２３５５８７５、３２２３８６７、３２２４６４６、３４８２６９９、またはＭａｍｍ−Ｘに媒介されるシグナル伝達をインビボで抑制し得る。この２１５５６４７−免疫グロブリン、２３５５８７５−免疫グロブリン、３２２３８６７−免疫グロブリン、３２２４６４６−免疫グロブリン、３４８２６９９−免疫グロブリン、またはＭａｍｍ−Ｘ−免疫グロブリンの融合タンパク質を使用して、２１５５６４７、２３５５８７５、３２２３８６７、３２２４６４６、３４８２６９９、またはＭａｍｍ−Ｘの同族のリガンドのバイオアベイラビリティに影響し得る。２１５５６４７、２３５５８７５、３２２３８６７、３２２４６４６、３４８２６９９、またはＭａｍｍ−Ｘのリガンド／２１５５６４７、２３５５８７５、３２２３８６７、３２２４６４６、３４８２６９９、またはＭａｍｍ−Ｘの相互作用の阻害は、増殖障害および分化障害の両方の処置のために、ならびに細胞生存を調節すること（例えば、促進または阻害すること）のために治療的に有用であり得る。さらに、本発明の２１５５６４７−免疫グロブリン、２３５５８７５−免疫グロブリン、３２２３８６７−免疫グロブリン、３２２４６４６−免疫グロブリン、３４８２６９９−免疫グロブリン、またはＭａｍｍ−Ｘ−免疫グロブリンの融合タンパク質を、被験体において抗２１５５６４７抗体、抗２３５５８７５抗体、抗３２２３８６７抗体、抗３２２４６４６抗体、抗３４８２６９９抗体、または抗Ｍａｍｍ−Ｘ抗体を産生するため、２１５５６４７、２３５５８７５、３２２３８６７、３２２４６４６、３４８２６９９、またはＭａｍｍ−Ｘのリガンドを精製するため、およびスクリーニングアッセイにおいて、２１５５６４７、２３５５８７５、３２２３８６７、３２２４６４６、３４８２６９９、またはＭａｍｍ−Ｘのリガンドと２１５５６４７、２３５５８７５、３２２３８６７、３２２４６４６、３４８２６９９、またはＭａｍｍ−Ｘの相互作用を阻害する分子を同定するための免疫原として使用し得る。
【００９２】
本発明の２１５５６４７、２３５５８７５、３２２３８６７、３２２４６４６、３４８２６９９、またはＭａｍｍ−Ｘのキメラタンパク質または融合タンパク質を、標準的な組換えＤＮＡ技術により生成し得る。例えば、異なるポリペプチド配列をコードするＤＮＡフラグメントを、従来技術に従って（例えば、連結のために平滑末端または付着末端を使用すること、適切な末端を与えるための制限酵素消化、適切なように粘着末端を埋める（ｆｉｌｌｉｎｇ−ｉｎ）こと、所望されない連結を回避するためのアルカリホスファターゼ処理、および酵素的連結によって）、インフレームで共に連結する。別の実施態様では、融合遺伝子を、従来技術（自動化ＤＮＡ合成装置を含む）により合成し得る。あるいは、遺伝子フラグメントのＰＣＲ増幅を、２つの連続した遺伝子フラグメント間の補完的オーバーハング（ｏｖｅｒｈａｎｇ）を生じさせるアンカープライマーを使用して実施し得、これを引き続いて、アニールおよび再増幅してキメラ遺伝子配列を作製し得る（例えば、Ａｕｓｕｂｅｌら（編）、ＣＵＲＲＥＮＴ  ＰＲＯＴＯＣＯＬＳ  ＩＮ  ＭＯＬＥＣＵＬＡＲ  ＢＩＯＬＯＧＹ、Ｊｏｈｎ  Ｗｉｌｅｙ＆Ｓｏｎｓ、１９９２を参照のこと）。さらに、既に融合部分（例えば、ＧＳＴポリペプチド）をコードしている多くの発現ベクターが、市販されている。２１５５６４７、２３５５８７５、３２２３８６７、３２２４６４６、３４８２６９９、またはＭａｍｍ−Ｘをコードする核酸を、このような発現ベクター中にクローン化し得、その結果、融合部分はインフレームで２１５５６４７、２３５５８７５、３２２３８６７、３２２４６４６、３４８２６９９、またはＭａｍｍ−Ｘのタンパク質に連結される。
【００９３】
（アゴニストおよびアンタゴニスト）
本発明はまた、２１５５６４７、２３５５８７５、３２２３８６７、３２２４６４６、３４８２６９９、またはＭａｍｍ−Ｘのアゴニスト（模擬物）、または２１５５６４７、２３５５８７５、３２２３８６７、３２２４６４６、３４８２６９９、またはＭａｍｍ−Ｘのアンタゴニストのいずれかとして機能する、２１５５６４７、２３５５８７５、３２２３８６７、３２２４６４６、３４８２６９９、またはＭａｍｍ−Ｘのタンパク質の改変体に関する。この２１５５６４７、２３５５８７５、３２２３８６７、３２２４６４６、３４８２６９９、またはＭａｍｍ−Ｘのタンパク質の改変体を、変異誘発（例えば、この２１５５６４７、２３５５８７５、３２２３８６７、３２２４６４６、３４８２６９９、またはＭａｍｍ−Ｘのタンパク質の個別の点変異または短縮化（ｔｒｕｎｃａｔｉｏｎ））により作製し得る。２１５５６４７、２３５５８７５、３２２３８６７、３２２４６４６、３４８２６９９、またはＭａｍｍ−Ｘのタンパク質のアゴニストは、天然に存在する形態の２１５５６４７、２３５５８７５、３２２３８６７、３２２４６４６、３４８２６９９、またはＭａｍｍ−Ｘの生物学的活性と実質的に同一な活性か、またはそのサブセットを保持し得る。２１５５６４７、２３５５８７５、３２２３８６７、３２２４６４６、３４８２６９９、またはＭａｍｍ−Ｘのタンパク質のアンタゴニストは、天然に存在する形態の２１５５６４７、２３５５８７５、３２２３８６７、３２２４６４６、３４８２６９９、またはＭａｍｍ−Ｘのタンパク質の１つ以上の活性を、例えば、この２１５５６４７、２３５５８７５、３２２３８６７、３２２４６４６、３４８２６９９、またはＭａｍｍ−Ｘのタンパク質が含まれる細胞シグナル伝達カスケードの上流または下流のメンバーに対して競合的結合することにより、阻害し得る。従って、特定の生物学的効果を、制限された機能の改変体で処理することにより誘発し得る。１つの実施態様では、このタンパク質の天然に存在する形態の生物学的活性のサブセットを有する改変体での被験体の処置は、天然に存在する形態の２１５５６４７、２３５５８７５、３２２３８６７、３２２４６４６、３４８２６９９、またはＭａｍｍ−Ｘのタンパク質での処置と比較して、被験体においてより少ない副作用を有する。
【００９４】
２１５５６４７、２３５５８７５、３２２３８６７、３２２４６４６、３４８２６９９、またはＭａｍｍ−Ｘのアゴニスト（模擬物）、または２１５５６４７、２３５５８７５、３２２３８６７、３２２４６４６、３４８２６９９、またはＭａｍｍ−Ｘのアンタゴニストのいずれかとして機能する、２１５５６４７、２３５５８７５、３２２３８６７、３２２４６４６、３４８２６９９、またはＭａｍｍ−Ｘのタンパク質の改変体は、２１５５６４７、２３５５８７５、３２２３８６７、３２２４６４６、３４８２６９９、またはＭａｍｍ−Ｘのタンパク質の変異体（例えば、短縮化変異体）のコンビナトリアルライブラリーを、２１５５６４７、２３５５８７５、３２２３８６７、３２２４６４６、３４８２６９９、またはＭａｍｍ−Ｘのタンパク質のアゴニスト活性またはアンタゴニスト活性についてスクリーニングすることにより同定され得る。１つの実施態様では、２１５５６４７、２３５５８７５、３２２３８６７、３２２４６４６、３４８２６９９、またはＭａｍｍ−Ｘの改変体の多様なライブラリーを、核酸レベルでのコンビナトリアル変異誘発により作製する。そしてこれは、多様な遺伝子ライブラリーによってコードされる。２１５５６４７、２３５５８７５、３２２３８６７、３２２４６４６、３４８２６９９、またはＭａｍｍ−Ｘの改変体の多様なライブラリーを、例えば、遺伝子配列内に合成オリゴヌクレオチドの混合物を酵素的に連結することによって産生し得、その結果、可能な２１５５６４７、２３５５８７５、３２２３８６７、３２２４６４６、３４８２６９９、またはＭａｍｍ−Ｘの配列の縮重セットは、個々のポリペプチドとして、あるいは、その中に２１５５６４７、２３５５８７５、３２２３８６７、３２２４６４６、３４８２６９９、またはＭａｍｍ−Ｘの配列のセットを含む、より大きな融合タンパク質のセット（例えば、ファージディスプレイについて）として発現可能である。縮重オリゴヌクレオチド配列から、可能な２１５５６４７、２３５５８７５、３２２３８６７、３２２４６４６、３４８２６９９、またはＭａｍｍ−Ｘの改変体のライブラリーを作製するために使用され得る種々の方法が存在する。縮重遺伝子配列のキメラ合成を、自動化ＤＮＡ合成装置において実施し得、次いで、この合成遺伝子を適切な発現ベクター中に連結する。遺伝子の縮重セットの使用は、１つの混合物で、可能な２１５５６４７、２３５５８７５、３２２３８６７、３２２４６４６、３４８２６９９、またはＭａｍｍ−Ｘの配列の所望されるセットをコードするすべての配列を提供することを可能にする。縮重オリゴヌクレオチドを合成する方法は、当該分野において公知である（例えば、Ｎａｒａｎｇ（１９８３）Ｔｅｔｒａｈｅｄｒｏｎ  ３９：３；Ｉｔａｋｕｒａら（１９８４）Ａｎｎｕ  Ｒｅｖ  Ｂｉｏｃｈｅｍ  ５３：３２３；Ｉｔａｋｕｒａら（１９８４）Ｓｃｉｅｎｃｅ  １９８：１０５６；Ｉｋｅら（１９８３）Ｎｕｃｌ  Ａｃｉｄ  Ｒｅｓ  １１：４７７を参照のこと）。
【００９５】
（ポリペプチドライブラリー）
さらに、２１５５６４７、２３５５８７５、３２２３８６７、３２２４６４６、３４８２６９９、またはＭａｍｍ−Ｘのタンパク質のコード配列のフラグメントのライブラリーを使用して、２１５５６４７、２３５５８７５、３２２３８６７、３２２４６４６、３４８２６９９、またはＭａｍｍ−Ｘのタンパク質の改変体のスクリーニングおよび引き続く選択のための、２１５５６４７、２３５５８７５、３２２３８６７、３２２４６４６、３４８２６９９、またはＭａｍｍ−Ｘのフラグメントの多様な集団を作製し得る。１つの実施態様では、コード配列のフラグメントのライブラリーを、以下により作製し得る：ニック化が１分子あたり約１回のみ生じる条件下で、２１５５６４７、２３５５８７５、３２２３８６７、３２２４６４６、３４８２６９９、またはＭａｍｍ−Ｘをコードする配列の二本鎖ＰＣＲフラグメントをヌクレアーゼで処理する工程、この二本鎖ＤＮＡを変性する工程、このＤＮＡを再生して、異なるニック化産物由来のセンス／アンチセンス対を含み得る二本鎖ＤＮＡを形成する工程、Ｓ１ヌクレアーゼでの処理により、再編成した二重鎖から一本鎖部分を除去する工程、および結果として生じたフラグメントのライブラリーを発現ベクター中に連結する工程。この方法により、種々のサイズの２１５５６４７、２３５５８７５、３２２３８６７、３２２４６４６、３４８２６９９、またはＭａｍｍ−Ｘのタンパク質のＮ末端フラグメントおよび内部フラグメントをコードする発現ライブラリーが誘導され得る。
【 ００９６】
いくつかの技術が、点変異または短縮化により作製されるコンビナトリアルライブラリーの遺伝子産物をスクリーニングすることについて、および選択された特性を有する遺伝子産物についてｃＤＮＡライブラリーをスクリーニングすることについて、当該分野において公知である。このような技術は、２１５５６４７、２３５５８７５、３２２３８６７、３２２４６４６、３４８２６９９、またはＭａｍｍ−Ｘのタンパク質のコンビナトリアル変異誘発により作製される遺伝子ライブラリーの迅速なスクリーニングについて適合され得る。大きな遺伝子ライブラリーをスクリーニングするために最も広範に使用される技術（これは、高スループット分析に従いやすい）は、代表的に、複製可能な発現ベクター中に遺伝子ライブラリーをクローン化する工程、生じたベクターのライブラリーで適切な細胞を形質転換する工程、および所望の活性の検出が、遺伝子（この遺伝子の産物が検出された）をコードするベクターの単離を容易にする条件下で、コンビナトリアル遺伝子を発現させる工程を包含する。ライブラリー中の機能的変異体の頻度を増加させる新たな技術である、反復アンサンブル変異誘発（ｒｅｃｒｕｓｉｖｅ  ｅｎｓｅｍｂｌｅ  ｍｕｔａｇｅｎｅｓｉｓ）（ＲＥＭ）を、２１５５６４７、２３５５８７５、３２２３８６７、３２２４６４６、３４８２６９９、またはＭａｍｍ−Ｘの改変体を同定するためのスクリーニングアッセイと組み合わせて使用し得る（ＡｒｋｉｎおよびＹｏｕｒｖａｎ（１９９２）ＰＮＡＳ  ８９：７８１１−７８１５；Ｄｅｌｇｒａｖｅら（１９９３）Ｐｒｏｔｅｉｎ  Ｅｎｇｉｎｅｅｒｉｎｇ  ６：３２７−３３１）。
【００９７】
（抗２１５５６４７、２３５５８７５、３２２３８６７、３２２４６４６、３４８２６９９またはＭａｍｍ−Ｘ抗体）
単離された２１５５６４７、２３５５８７５、３２２３８６７，３２２４６４６、３４８２６９９もしくはＭａｍｍ−Ｘタンパク質、またはそれらの部分もしくはフラグメントが、ポリクローナルおよびモノクローナル抗体調製のための標準技術を使用して、２１５５６４７、２３５５８７５、３２２３８６７、３２２４６４６、３４８２６９９またはＭａｍｍ−Ｘに結合する抗体を生成するために免疫原として用いられ得る。全長の２１５５６４７、２３５５８７５、３２２３８６７、３２２４６４６、３４８２６９９またはＭａｍｍ−Ｘタンパク質が用いられ得るか、あるいは本発明は、２１５５６４７、２３５５８７５、３２２３８６７、３２２４６４６、３４８２６９９、またはＭａｍｍ−Ｘの抗原性のペプチドフラグメントを免疫原としての用途のために提供する。２１５５６４７、２３５５８７５、３２２３８６７、３２２４６４６、３４８２６９９またはＭａｍｍ−Ｘの抗原性のペプチドは、配列番号２、４、６、８、１０に示されるアミノ酸配列の少なくとも８つのアミノ酸残基を含み、そして２１５５６４７、２３５５８７５、３２２３８６７、３２２４６４６、３４８２６９９またはＭａｍｍ−Ｘのエピトープを包含し、これによりこのペプチドに対して惹起された抗体は、２１５５６４７、２３５５８７５、３２２３８６７、３２２４６４６、３４８２６９９またはＭａｍｍ−Ｘとの特異的な免疫複合体を形成する。好ましくは、抗原性のペプチドは、少なくとも１０のアミノ酸残基、より好ましくは、少なくとも１５のアミノ酸残基、さらにより好ましくは少なくとも２０のアミノ酸残基および最も好ましくは少なくとも３０のアミノ酸残基を含む。抗原性のペプチドに取り囲まれている好適なエピトープは、タンパク質の表面に配置される２１５５６４７、２３５５８７５、３２２３８６７、３２２４６４６、３４８２６９９またはＭａｍｍ−Ｘの領域、例えば、親水性領域である。ヒト２１５５６４７、２３５５８７５、３２２３８６７、３２２４６４６、３４８２６９９またはＭａｍｍ−Ｘタンパク質配列の疎水性解析は、アミノ酸：８０〜１０８（２１５５６４７）；２５〜７０および９０〜１３４（２３５５８７５）；７０〜１３５（３２２３８６７）；３０〜６０および２００〜２６１（３２２４６４６）；２０〜６６（３４８２６９９）；ならびに２５〜９５（Ｍａｍｍ−Ｘ）；の間の領域が、特に親水性であり、従って、抗体産生を標的化するために有用である表面残基をコードするようであることを示す。
【００９８】
本願明細書において開示されるように、配列番号２、４、６、８、１０の２１５５６４７、２３５５８７５、３２２３８６７、３２２４６４６、３４８２６９９もしくはＭａｍｍ−Ｘタンパク質配列、またはそれらの誘導体、フラグメント、アナログもしくはホモログは、これらのタンパク質成分に免疫特異的に結合する抗体の生成において、免疫原として利用され得る。本願明細書において用いられる場合、用語「抗体」は、免疫グロブリン分子および免疫グロブリン分子の免疫学的に活性な部分（すなわち、抗原に特異的に結合する（これと免疫反応する）抗原結合部位を含む分子）（例えば２１５５６４７、２３５５８７５、３２２３８６７、３２２４６４６、３４８２６９９またはＭａｍｍ−Ｘ）をいう。このような抗体としては、ポリクローナル抗体、モノクローナル抗体、キメラ抗体、単鎖抗体、ＦａｂおよびＦ（ａｂ’）２フラグメント、ならびにＦａｂ発現ライブラリーが挙げられるがこれらに限定されない。特定の実施態様において、ヒト２１５５６４７、２３５５８７５、３２２３８６７、３２２４６４６、３４８２６９９またはＭａｍｍ−Ｘタンパク質に対する抗体が、開示される。当該分野で公知の種々の手順が、配列番号２、４、６、８、１０の２１５５６４７、２３５５８７５、３２２３８６７、３２２４６４６、３４８２６９９またはＭａｍｍ−Ｘタンパク質配列、あるいはそれらの誘導体、フラグメント、アナログまたはホモログに対するポリクローナル抗体またはモノクローナル抗体の生産のために用いられ得る。これらのタンパク質のいくつかは、以下で議論される。
【００９９】
ポリクローナル抗体の生成のため、種々の適切な宿主動物（例えば、ウサギ、ヤギ、マウスまたは他の哺乳動物）がネイティブタンパク質もしくはそれの合成改変体、またはそれらの誘導体を用いる注射によって免疫され得る。適切な免疫原性調製物は、例え、ば組換え的に発現された２１５５６４７、２３５５８７５、３２２３８６７、３２２４６４６、３４８２６９９もしくはＭａｍｍ−Ｘタンパク質、または化学的に合成された２１５５６４７、２３５５８７５、３２２３８６７、３２２４６４６、３４８２６９９もしくはＭａｍｍ−Ｘポリペチドを含み得る。調製物は、アジュバントをさらに含み得る。免疫学的応答を増加するために用いられる種々のアジュバントとしては以下が挙げられるがこれらに限定されない：フロイント（完全および不完全）アジュバント、鉱物ゲル（例えば、水酸化アルミニウム）アジュバント、界面活性物質（例えば、リゾレシチン、プルロニック（ｐｌｕｒｏｎｉｃ）ポリオール、ポリアニオン、ペプチド、オイルエマルジョン、ジニトロフェノール、など）、ヒトジュバント（例えば、Ｂａｃｉｌｌｅ  Ｃａｌｍｅｔｔｅ−ＧｕｅｒｉｎおよびＣｏｒｙｎｅｂａｃｔｅｒｉｕｍ  ｐａｒｖｕｍ）または類似した免疫刺激因子。所望の場合、２１５５６４７、２３５５８７５、３２２３８６７、３２２４６４６、３４８２６９９またはＭａｍｍ−Ｘに対する抗体分子が、哺乳動物（例えば、血液から）単離され得、そしてさらに、プロテインＡクロマトグラフィーのような周知の技術によって精製され、ＩｇＧ画分を獲得し得る。
【０１００】
本願明細書において用いられる場合、用語「モノクローナル抗体」または「モノクローナル抗体組成物」とは、２１５５６４７、２３５５８７５、３２２３８６７、３２２４６４６、３４８２６９９またはＭａｍｍ−Ｘの特定のエピトープと免疫反応し得る抗原結合部位の１つの種のみを含む抗体分子の集団をいう。従って、モノクローナル抗体組成物は、代表的には、特に、それが免疫反応する、特定の２１５５６４７、２３５５８７５、３２２３８６７、３２２４６４６、３４８２６９９またはＭａｍｍ−Ｘタンパク質に対して、単一の結合親和性を示す。特に２１５５６４７、２３５５８７５、３２２３８６７、３２２４６４６、３４８２６９９、もしくはＭａｍｍ−Ｘタンパク質、またはそれらの誘導体、フラグメント、アナログ、もしくはホモログに対するモノクローナル抗体の調製のために、連続的細胞株培養により抗体分子の生成を提供する任意の技術が利用され得る。このような技術としては以下が挙げられるがこれらに限定されない：ハイブリドーマ技術（ＫｏｈｌｅｒおよびＭｉｌｓｔｅｉｎ、１９７５  Ｎａｔｕｒｅ  ２５６：４９５〜４９７を参照のこと）；トリオーマ技術；ヒトＢ細胞ハイブリドーマ技術（Ｋｏｚｂｏｒら、１９８３  Ｉｍｍｕｎｏｌ  Ｔｏｄａｙ  ４：７２を参照のこと）およびヒトモノクローナル抗体を生産するＥＢＶハイブリドーマ技術（Ｃｏｌｅら、１９８５  ＭＯＮＯＣＬＯＮＡＬ  ＡＮＴＩＢＯＤＩＥＳ  ＡＮＤ  ＣＡＮＣＥＲ  ＴＨＥＲＡＰＹ、Ａｌａｎ  Ｒ．Ｌｉｓｓ，Ｉｎｃ．，第７７〜９６頁を参照のこと）。ヒトモノクローナル抗体は、本発明の実行において利用され得、ヒトハイブリドーマを用いること（Ｃｏｔｅら、１９８３．Ｐｒｏｃ  Ｎａｔｌ  Ａｃａｄ  Ｓｃｉ  ＵＳＡ  ８０：２０２６〜２０３０を参照のこと）、またはエプスタインバーウイルスを用いるインビトロでのヒトＢ細胞の形質転換（Ｃｏｌｅら、１９８５：ＭＯＮＯＣＬＯＮＡＬ  ＡＮＴＩＢＯＤＩＥＳ  ＡＮＤ  ＣＡＮＣＥＲ  ＴＨＥＲＡＰＹ、Ａｌａｎ  Ｒ．Ｌｉｓｓ，Ｉｎｃ．，第７７〜９６頁を参照のこと）によって生成され得る。
【０１０１】
本発明に従って、２１５５６４７、２３５５８７５、３２２３８６７、３２２４６４６、３４８２６９９またはＭａｍｍ−Ｘタンパク質に特異的な単鎖抗体の生成のために、技術は適応され得る（例えば、米国特許第４，９４６，７７８号を参照のこと）。さらに、方法論はＦａｂ発現ライブラリーの構築に適応され（例えば、Ｈｕｓｅら、１９８９  Ｓｃｉｅｎｃｅ  ２４６：１２７５〜１２８１を参照のこと）、２１５５６４７、２３５５８７５、３２２３８６７、３２２４６４６、３４８２６９９もしくはＭａｍｍ−Ｘタンパク質、またはそれらの誘導体、フラグメント、アナログ、もしくはホモログに対して所望の特性を有するモノクローナルＦａｂフラグメントの迅速かつ効果的同定を可能にする。非ヒト抗体は、当該分野で周知の技術により「ヒト化」され得る。例えば、米国特許第５，２２５，５３９号を参照のこと。２１５５６４７、２３５５８７５、３２２３８６７、３２２４６４６、３４８２６９９またはＭａｍｍ−Ｘタンパク質に対するイディオタイプを含む抗体フラグメントは、以下を含むがこれに限定されない当該分野で公知の技術により生成され得る：（ｉ）抗体分子のペプシン消化によって生産されるＦ（ａｂ’）２フラグメント；（ｉｉ）Ｆ（ａｂ’）２フラグメントのジスルフィド架橋を還元することによって生じるＦａｂフラグメント；（ｉｉｉ）パパインおよび還元剤での抗体分子の処理によって生じるＦａｂフラグメント、ならびに（ｉｖ）Ｆｖフラグメント。
【０１０２】
さらに、ヒトおよび非ヒト部分の両方を含むキメラ抗体およびヒト化モノクローナル抗体のような、組換えの抗２１５５６４７、２３５５８７５、３２２３８６７、３２２４６４６、３４８２６９９またはＭａｍｍ−Ｘ抗体（これらは、標準組換えＤＮＡ技術を用いて作製され得る）は、本発明の範囲内である。このようなキメラ抗体およびヒト化モノクローナル抗体は、当該分野で公知の組換えＤＮＡ技術により生成され得る。この技術は例えば、以下に記載の方法を用いる：ＰＣＴ国際出願番号ＰＣＴ／ＵＳ８６／０２２６９；欧州特許出願番号１８４，１８７号；欧州特許出願番号１７１，４９６；欧州特許出願番号１７３、４９４；ＰＣＴ国際公開番号ＷＯ  ８６／０１５３３；米国特許第４，８１６，５６７号；欧州特許出願番号１２５，０２３号；Ｂｅｔｔｅｒら（１９８８）Ｓｃｉｅｎｃｅ  ２４０：１０４１〜１０４３；Ｌｉｕら（１９８７）ＰＮＡＳ  ８４：３４３９〜３４４３；Ｌｉｕら（１９８７）Ｊ  Ｉｍｍｕｎｏｌ．１３９：３５２１〜３５２６；Ｓｕｎら（１９８７）ＰＮＡＳ  ８４：２１４〜２１８；Ｎｉｓｈｉｍｕｒａら（１９８７）Ｃａｎｃｅｒ  Ｒｅｓ  ４７：９９９〜１００５；Ｗｏｏｄら（１９８５）Ｎａｔｕｒｅ  ３１４：４４６〜４４９；Ｓｈａｗら（１９８８）Ｊ  Ｎａｔｌ  Ｃａｎｃｅｒ  Ｉｎｓｔ  ８０：１５５３〜１５５９）；Ｍｏｒｒｉｓｏｎ（１９８５）Ｓｃｉｅｎｃｅ  ２２９：１２０２〜１２０７；Ｏｉら（１９８６）ＢｉｏＴｅｃｈｎｉｑｕｅｓ  ４：２１４；米国特許第５，２２５，５３９号；Ｊｏｎｅｓら（１９８６）Ｎａｔｕｒｅ  ３２１：５５２〜５２５；Ｖｅｒｈｏｅｙａｎら（１９８８）Ｓｃｉｅｎｃｅ  ２３９：１５３４；ならびにＢｅｉｄｌｅｒら（１９８８）Ｊ  Ｉｍｍｕｎｏｌ  １４１：４０５３〜４０６０。
【０１０３】
１つの実施態様において、所望の特異性を保有する抗体のスクリーニングのための方法論は、当該分野内で公知の酵素結合抗体免疫吸着アッセイ（ＥＬＩＳＡ）および他の免疫学的に媒介された技術を含むが、これに限定されない。特定の実施態様において、２１５５６４７、２３５５８７５、３２２３８６７、３２２４６４６、３４８２６９９またはＭａｍｍ−Ｘタンパク質の特定のドメインに対して特異的である抗体の選抜は、このようなドメインを所有している２１５５６４７、２３５５８７５、３２２３８６７、３２２４６４６、３４８２６９９またはＭａｍｍ−Ｘタンパク質のフラグメントに結合するハイブリドーマの生成により容易にされる。２１５５６４７、２３５５８７５、３２２３８６７、３２２４６４６、３４８２６９９もしくはＭａｍｍ−Ｘタンパク質、またはそれらの誘導体、フラグメント、アナログまたはホモログがそれについてまたの内部のドメインについて特異的である抗体がまた、本願明細書において提供される。
【０１０４】
抗−２１５５６４７、２３５５８７５、３２２３８６７、３２２４６４６、３４８２６９９またはＭａｍｍ−Ｘ抗体は、２１５５６４７、２３５５８７５、３２２３８６７、３２２４６４６、３４８２６９９またはＭａｍｍ−Ｘタンパク質の局在化および／または定量化に関する当該分野で公知の方法において用いられ得る（例えば、適切な生理学的なサンプル内の２１５５６４７、２３５５８７５、３２２３８６７、３２２４６４６、３４８２６９９またはＭａｍｍ−Ｘタンパク質のレベルを測定際の使用のために、診断的方法における使用のために、タンパク質の画像化における使用のために、など）。所定の実施態様において、２１５５６４７、２３５５８７５、３２２３８６７、３２２４６４６、３４８２６９９もしくはまたはＭａｍｍ−Ｘタンパク質、またはそれらの誘導体、フラグメント、アナログまたはホモログの抗体（抗体由来の結合ドメインを含む）は、薬理学的に活性な化合物［本明細書中、以降において「治療剤」］として利用される。
【０１０５】
抗−２１５５６４７、２３５５８７５、３２２３８６７、３２２４６４６、３４８２６９９またはＭａｍｍ−Ｘ抗体（例えば、モノクローナル抗体）は、標準技術（例えばアフィニティークロマトグラフィまたは免疫沈降）によって、２１５５６４７、２３５５８７５、３２２３８６７、３２２４６４６、３４８２６９９またはＭａｍｍ−Ｘを単離するために用いられ得る。抗−２１５５６４７、２３５５８７５、３２２３８６７、３２２４６４６、３４８２６９９またはＭａｍｍ−Ｘ抗体は、細胞からの天然の２１５５６４７、２３５５８７５、３２２３８６７、３２２４６４６、３４８２６９９またはＭａｍｍ−Ｘ、そして宿主細胞において発現される組換え的に産生された２１５５６４７、２３５５８７５、３２２３８６７、３２２４６４６、３４８２６９９またはＭａｍｍ−Ｘの精製を容易にし得る。さらに、抗−２１５５６４７、２３５５８７５、３２２３８６７、３２２４６４６、３４８２６９９またはＭａｍｍ−Ｘの抗体が、（例えば、細胞の溶菌液または細胞上清における）２１５５６４７、２３５５８７５、３２２３８６７、３２２４６４６、３４８２６９９またはＭａｍｍ−Ｘタンパク質を検出するために用いられ、２１５５６４７、２３５５８７５、３２２３８６７、３２２４６４６、３４８２６９９またはＭａｍｍ−Ｘタンパク質の発現の量およびパターンを評価し得る。抗−２１５５６４７、２３５５８７５、３２２３８６７、３２２４６４６、３４８２６９９またはＭａｍｍ−Ｘ抗体は、例えば、所定の治療レジメンの有効性を決定するために、臨床試験の手順の一部として組織におけるタンパク質レベルを診断的にモニターするために用いられ得る。検出は、抗体を検出可能物質に連結する（すなわち、（物理的に連結する）ことにより容易になり得る。検出可能物質の例としては、種々の酵素、補欠分子族、蛍光物質、発光材料、生物発光材料および放射性物質が挙げられる。適切な酵素の例としては、西洋ワサビペルオキシダーゼ、アルカリホスファターゼ、β−ガラクトシダーゼまたはアセチルコリンエステラーゼが挙げられる；適切な補欠分子族複合体の例としては、ストレプトアビジン／ビオチンおよびアビジン／ビオチンが挙げられる；適切な蛍光物質の例としては、ウンベリフェロン、フルオレセイン、フルオレセインイソチオシアネート、ローダミン、ジクロロトリアジニルアミン（ｄｉｃｈｌｏｒｏｔｒｉａｚｉｎｙｌａｍｉｎｅ）フルオレセイン、ダンシルクロリドまたはフィコエリトリンが挙げられる；発光材料の例としては、ルミノールが挙げられる；生物発光材料の例としては、ルシフェラーゼ、ルシフェリンおよびエクオリンが挙げられる；そして、適切な放射性物質の例としては１２５Ｉ、１３１Ｉ、３５Ｓまたは３Ｈが挙げられる。
【０１０６】
（２１５５６４７、２３５５８７５、３２２３８６７、３２２４６４６、３４８２６９９またはＭａｍｍ−Ｘの組換え発現ベクターおよび宿主細胞）
本発明の別の局面は、２１５５６４７、２３５５８７５、３２２３８６７、３２２４６４６、３４８２６９９もしくはＭａｍｍ  Ｘタンパク質、またはそれらの誘導体、フラグメント、アナログもしくはホモログをコードする核酸を含む、ベクター、好ましくは、発現ベクターに関する。本明細書において使用する場合、用語「ベクター」は、それに連結された別の核酸を輸送し得る核酸分子をいう。
１つの型のベクターは、「プラスミド」である。これはさらなるＤＮＡセグメントが連結され得る環状の二本鎖ＤＮＡループをいう。他の型のベクターは、ウイルス性ベクターであり、ここでさらなるＤＮＡセグメントが、ウイルスゲノムに連結され得る。特定のベクターは、ベクターが導入される宿主細胞中で自律複製し得る（例えば、細菌性の複製起点を有する細菌ベクター、およびエピソームの哺乳動物ベクター）。他のベクター（例えば、非エピソームの哺乳動物ベクター）は、宿主細胞への導入の際、宿主細胞のゲノムに組み込まれ、そして、これにより宿主ゲノムとともに複製される。さらに、特定のベクターは、それらが作動可能に連結される遺伝子の発現を導き得る。このようなベクターは、本明細書において「発現ベクター」と呼ばれる。一般に、組換えＤＮＡ技術における有用な発現ベクターは、しばしばプラスミドの形態である。本願明細書において、「プラスミド」および「ベクター」は、プラスミドが最も一般的に用いられる形態のベクターであるので、互換可能に使用され得る。しかし、本発明は、等価の機能を果たす、ウイルス性ベクター（例えば、複製欠損レトロウィルス、アデノウィルス、およびアデノ随伴ウィルス）のような、このような他の形態の発現ベクターを含むことを意図する。
【０１０７】
本発明の組換え発現ベクターは、宿主細胞における核酸の発現に適切な形態の本発明の核酸を含む。これは、組換え発現ベクターが、発現されるべき核酸配列に作動可能に連結されている、発現に用いられるべき宿主細胞に基づいて選択される、１つ以上の調節配列を含むことを意味する。組換え発現ベクター内で、「作動可能に連結する」とは、目的のヌクレオチド配列が、（例えば、インビトロの転写／翻訳系において、またはベクターが宿主細胞に導入される場合は、宿主細胞において）ヌクレオチド配列の発現を可能にする様式で調節配列に連結されるという意味を意図する。用語「調節配列」は、プロモーター、エンハンサーおよび他の発現制御エレメント（例えば、ポリアデニル化シグナル）を含むことを意図する。このような調節配列は、例えば、Ｇｏｅｄｄｅｌ；ＧＥＮＥ  ＥＸＰＲＥＳＳＩＯＮ  ＴＥＣＨＮＯＬＯＧＹ：ＭＥＴＨＯＤＳ  ＩＮ  ＥＮＺＹＭＯＬＯＧＹ  １８５、Ａｃａｄｅｍｉｃ  Ｐｒｅｓｓ、Ｓａｎ  Ｄｉｅｇｏ、Ｃａｌｉｆ．（１９９０）に記載されている。調節配列は、多くの型の宿主細胞においてヌクレオチド配列の構成的発現を指向する配列、および特定の宿主細胞のみにおいてヌクレオチド配列の発現を指向する配列（例えば、組織特異的調節配列）を含む。発現ベクターの設計が形質転換されるべき宿主細胞の選択、所望のタンパク質の発現のレベルなどのような因子に依存し得ることは当業者には明白である。本発明の発現ベクターは、宿主細胞に導入され得、それにより、本明細書に記載される核酸によりコードされるタンパク質またはペプチド（融合タンパク質またはペプチドを含む）（例えば、２１５５６４７、２３５５８７５、３２２３８６７、３２２４６４６、３４８２６９９もしくはＭａｍｍ−Ｘタンパク質、または２１５５６４７、２３５５８７５、３２２３８６７、３２２４６４６、３４８２６９９もしくはＭａｍｍ−Ｘの変異体、融合タンパク質など）を生成し得る。
【０１０８】
本発明の組換え発現ベクターは、原核生物細胞または真核生物細胞における、２１５５６４７、２３５５８７５、３２２３８６７、３２２４６４６、３４８２６９９またはＭａｍｍ−Ｘの発現のために設計され得る。例えば、２１５５６４７、２３５５８７５、３２２３８６７、３２２４６４６、３４８２６９９またはＭａｍｍ−Ｘは、細菌細胞（例えば、Ｅ．ｃｏｌｉ）、昆虫細胞（バキュロウイルス発現ベクターを用いる）、酵母細胞または哺乳動物細胞において発現され得る。適切な宿主細胞は、Ｇｏｅｄｄｅｌ；ＧＥＮＥ  ＥＸＰＲＥＳＳＩＯＮ  ＴＥＣＨＮＯＬＯＧＹ：ＭＥＴＨＯＤＳ  ＩＮ  ＥＮＺＹＭＯＬＯＧＹ  １８５、Ａｃａｄｅｍｉｃ  Ｐｒｅｓｓ、Ｓａｎ  Ｄｉｅｇｏ、Ｃａｌｉｆ．（１９９０）にさらに考察されている。あるいは、組換え型発現ベクターは、例えば、Ｔ７プロモーター調節配列およびＴ７ポリメラーゼを用いて、インビトロで転写および翻訳され得る。
【０１０９】
原核生物におけるタンパク質の発現は、最も頻繁には、融合タンパク質または非融合タンパク質のいずれかの発現を指示する構成的プロモーターまたは誘導性プロモーターを含むベクターを有するＥ．ｃｏｌｉにおいて実行される。融合ベクターは、そこにコードされるタンパク質に、通常、組換えタンパク質のアミノ末端に、多数のアミノ酸を付加する。このような融合ベクターは、代表的には、以下の３つの目的のために役立つ：（１）組換えタンパク質の発現を増加させること；（２）組換えタンパク質の可溶性を増加させること；および（３）アフィニティー精製においてリガンドとして作用することによって組換えタンパク質の精製の際に補助すること。しばしば、融合発現ベクターにおいて、タンパク質分解の切断部位が、融合部分の結合部に導入され、そして融合タンパク質の精製の後に融合部分から組換えタンパク質の分離を組換えタンパク質に可能にする。このよな酵素、およびその同族の認識配列は、第Ｘａ因子、トロンビン、およびエンテロキナーゼを含む。代表的な融合発現ベクターとしては、グルタチオンＳ−トランスフェラーゼ（ＧＳＴ）、マルトースＥ結合タンパク質、またはプロテインＡを、それぞれ、標的の組換えタンパク質に融合するｐＧＥＸ（Ｐｈａｒｍａｃｉａ  Ｂｉｏｔｅｃｈ  Ｉｎｃ；Ｓｍｉｔｈ  ａｎｄ  Ｊｏｈｎｓｏｎ（１９８８）Ｇｅｎｅ  ６７：３１−４０）、ｐＭＡＬ（Ｎｅｗ  Ｅｎｇｌａｎｄ  Ｂｉｏｌａｂｓ，Ｂｅｖｅｒｌｙ，Ｍａｓｓ．）およびｐＲＩＴ５（Ｐｈａｒｍａｃｉａ，Ｐｉｓｃａｔａｗａｙ，Ｎ．Ｊ．）が挙げられる。
【０１１０】
適切な誘導性非融合Ｅ．ｃｏｌｉ発現ベクターの例には、ｐＴｒｃ（Ａｍｒａｎｎら（１９８８）Ｇｅｎｅ  ６９：３０１−３１５）およびｐＥＴ  １１ｄ（Ｓｔｕｄｉｅｒら、ＧＥＮＥ  ＥＸＰＲＥＳＳＩＯＮ  ＴＥＣＨＮＯＬＯＧＹ：ＭＥＴＨＯＤＳ  ＩＮ  ＥＮＺＹＭＯＬＯＧＹ  １８５，Ａｃａｄｅｍｉｃ  Ｐｒｅｓｓ，Ｓａｎ  Ｄｉｅｇｏ，Ｃａｌｉｆ．（１９９０）６０−８９）が挙げられる。
【０１１１】
Ｅ．ｃｏｌｉにおける組換えタンパク質発現を最大化するための１つのストラテジーは、組換えタンパク質をタンパク質分解的に切断する能力が損なわれた宿主細菌中でタンパク質を発現することである。Ｇｏｔｔｅｓｍａｎ，ＧＥＮＥ  ＥＸＰＲＥＳＳＩＯＮ  ＴＥＣＨＮＯＬＯＧＹ：ＭＥＴＨＯＤＳ  ＩＮ  ＥＮＺＹＭＯＬＯＧＹ  １８５，Ａｃａｄｅｍｉｃ  Ｐｒｅｓｓ，Ｓａｎ  Ｄｉｅｇｏ，Ｃａｌｉｆ．（１９９０）１１９−１２８を参照のこと。別のストラテジーは、各アミノ酸についての個々のコドンが、Ｅ．ｃｏｌｉにおいて優先的に利用されるコドンであるように発現ベクターに挿入される核酸の核酸配列を変更することである（Ｗａｄａら（１９９２）Ｎｕｃｌｅｉｃ  Ａｃｉｄｓ  Ｒｅｓ．２０：２１１１−２１１８）。本発明のこのような核酸配列の変更は、標準的なＤＮＡ合成技術によって実行され得る。
【０１１２】
別の実施態様において、２１５５６４７、２３５５８７５、３２２３８６７、３２２４６４６、３４８２６９９、またはＭａｍｍＸ発現ベクターは、酵母発現ベクターである。酵母Ｓ．ｃｅｒｉｖｉｓａｅにおける発現のためのベクターの例には、ｐＹｅｐＳｅｃ１（Ｂａｌｄａｒｉら、（１９８７）ＥＭＢＯ  Ｊ  ６：２２９−２３４）、ｐＭＦａ（ＫｕｒｊａｎおよびＨｅｒｓｋｏｗｉｔｚ、（１９８２）Ｃｅｌｌ  ３０：９３３−９４３）、ｐＪＲＹ８８（Ｓｃｈｕｌｔｚら、（１９８７）Ｇｅｎｅ  ５４：１１３−１２３）、ｐＹＥＳ２（Ｉｎｖｉｔｒｏｇｅｎ  Ｃｏｒｐｏｒａｔｉｏｎ，Ｓａｎ  Ｄｉｅｇｏ，Ｃａｌｉｆ．）、およびｐｉｃＺ（ＩｎＶｉｔｒｏｇｅｎ  Ｃｏｒｐ．，Ｓａｎ  Ｄｉｅｇｏ，Ｃａｌｉｆ．）が挙げられる。
【０１１３】
あるいは、２１５５６４７、２３５５８７５、３２２３８６７、３２２４６４６、３４８２６９９、またはＭａｍｍＸは、バキュロウイルス発現ベクターを使用して、昆虫細胞中で発現され得る。培養昆虫細胞（例えば、ＳＦ９細胞）中でタンパク質の発現のために利用可能なバキュロウイルスベクターには、ｐＡｃシリーズ（Ｓｍｉｔｈら（１９８３）Ｍｏｌ  Ｃｅｌｌ  Ｂｉｏｌ  ３：２１５６−２１６５）およびｐＶＬシリーズ（ＬｕｃｋｌｏｗおよびＳｕｍｍｅｒｓ（１９８９）Ｖｉｒｏｌｏｇｙ  １７０：３１−３９）が挙げられる。
【０１１４】
なお別の実施態様において、本発明の核酸は、哺乳動物発現ベクターを使用して、哺乳動物細胞中で発現される。哺乳動物発現ベクターの例には、ｐＣＤＭ８（Ｓｅｅｄ（１９８７）Ｎａｔｕｒｅ  ３２９：８４０）およびｐＭＴ２ＰＣ（Ｋａｕｆｍａｎら（１９８７）ＥＭＢＯ  Ｊ  ６：１８７−１９５）が挙げられる。哺乳動物細胞中で使用される場合、発現ベクターの制御機能は、しばしば、ウイルスの調節エレメントによって提供される。例えば、一般に使用されるプロモーターは、ポリオーマ、アデノウイルス２、サイトメガロウイルス、およびシミアンウイルス４０に由来する。原核生物細胞および真核生物細胞の両方のための他の適切な発現系については、例えば、Ｓａｍｂｒｏｏｋら、ＭＯＬＥＣＵＬＡＲ  ＣＬＯＮＩＮＧ：Ａ  ＬＡＢＯＲＡＴＯＲＹ  ＭＡＮＵＡＬ．第２版、Ｃｏｌｄ  Ｓｐｒｉｎｇ  Ｈａｒｂｏｒ  Ｌａｂｏｒａｔｏｒｙ，Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ｓｐｒｉｎｇ  Ｈａｒｂｏｒ，Ｎ．Ｙ．，１９８９の第１６章および第１７章を参照のこと。
【０１１５】
別の実施態様において、組換え哺乳動物発現ベクターは、特定の細胞型（例えば、組織特異的調節エレメントを使用して核酸を発現する）中で優先的に核酸の発現を指示し得る。組織特異的調節エレメントは、当該分野で公知である。適切な組織特異的なプロモーターの非限定的な例には、アルブミンプロモーター（肝臓特異的；Ｐｉｎｋｅｒｔら（１９８７）Ｇｅｎｅｓ  Ｄｅｖ  １：２６８−２７７）、リンパ特異的プロモーター（ＣａｌａｍｅおよびＥａｔｏｎ（１９８８）Ａｄｖ  Ｉｍｍｕｎｏｌ  ４３：２３５−２７５）、Ｔ細胞レセプターの特定のプロモーターにおいて（ＷｉｎｏｔｏおよびＢａｌｔｉｍｏｒｅ（１９８９）ＥＭＢＯ  Ｊ  ８：７２９−７３３）および免疫グロブリン（Ｂａｎｅｒｊｉら（１９８３）Ｃｅｌｌ  ３３：７２９−７４０；ＱｕｅｅｎおよびＢａｌｔｉｍｏｒｅ（１９８３）Ｃｅｌｌ  ３３：７４１−７４８）、ニューロン特異的プロモーター（例えば、ニューロフィラメントプロモーター；ＢｙｒｎｅおよびＲｕｄｄｌｅ（１９８９）ＰＮＡＳ  ８６：５４７３−５４７７）、膵臓特異的プロモーター（Ｅｄｌｕｎｄら（１９８５）Ｓｃｉｅｎｃｅ  ２３０：９１２−９１６）、および乳腺特異的プロモーター（例えば、ミルク乳清プロモーター；米国特許第４，８７３，３１６号および欧州出願公開第２６４，１６６号）が挙げられる。発生的に調節されるプロモーターもまた含まれる（例えば、マウスホックス（ｍｕｒｉｎｅ  ｈｏｘ）プロモーター（ＫｅｓｓｅｌおよびＧｒｕｓｓ（１９９０）Ｓｃｉｅｎｃｅ  ２４９：３７４−３７９）およびａ−フェトプロテインプロモーター（ＣａｍｐｅｓおよびＴｉｌｇｈｍａｎ（１９８９）Ｇｅｎｅｓ  Ｄｅｖ  ３：５３７−５４６）。
【０１１６】
本発明はさらに、アンチセンス方向で発現ベクターにクローニングされた本発明のＤＮＡ分子を含む組換え発現ベクターを提供する。すなわち、そのＤＮＡ分子は、２１５５６４７、２３５５８７５、３２２３８６７、３２２４６４６、３４８２６９９、またはＭａｍｍＸ  ｍＲＮＡに対するアンチセンスであるＲＮＡ分子の発現（ＤＮＡ分子の転写によって）を可能にする様式で調節配列に作動可能に連結される。アンチセンス方向でクローニングされた核酸に作動可能に連結される調節配列が選択され得る。この調節配列は、種々の細胞型におけるアンチセンスＲＮＡ分子の連続的な発現を指示する。例えば、アンチセンスＲＮＡの組織特異的発現、または細胞特異的発現を構成的に指示する、ウイルスプロモーターおよび／もしくはエンハンサー、または調節配列が選択され得る。アンチセンス発現ベクターは、組換えプラスミド、ファージミド、または弱毒化されたウイルスの形態であり得、ここではアンチセンス核酸は、高効率調節領域の制御下で産生され、その活性は、ベクターが導入される細胞型によって決定され得る。アンチセンス遺伝子を使用する遺伝子発現の調節の議論については、Ｗｅｉｎｔｒａｕｂら、「Ａｎｔｉｓｅｎｓｅ  ＲＮＡ  ａｓ  ａ  ｍｏｌｅｃｕｌａｒ  ｔｏｏｌ  ｆｏｒ  ｇｅｎｅｔｉｃ  ａｎａｌｙｓｉｓ」、Ｒｅｖｉｅｗｓ−−Ｔｒｅｎｄｓ  ｉｎ  Ｇｅｎｅｔｉｃｓ、第１巻（１）１９８６を参照のこと。
【０１１７】
本発明の別の局面は、本発明の組換え発現べクターが導入された宿主細胞に関する。用語「宿主細胞」および「組換え宿主細胞」は、本明細書中で、交換可能に使用される。このような用語は、特定の対象の細胞をいうのみでなく、そのような細胞の子孫または潜在的な子孫をいうことが理解される。変異または環境的影響のいずれかに起因して、特定の改変は次の世代において存在し得るので、このような子孫は、実際、親の細胞と同一でないかもしれないが、なお、本明細書中で使用されるような用語の範囲内に含まれる。
【０１１８】
宿主細胞は、任意の原核生物細胞または真核生物細胞であり得る。例えば、２１５５６４７、２３５５８７５、３２２３８６７、３２２４６４６、３４８２６９９、またはＭａｍｍＸタンパク質は、細菌細胞（例えば、Ｅ．ｃｏｌｉ）、昆虫細胞、酵母または哺乳動物細胞（例えば、チャイニーズハムスター卵巣細胞（ＣＨＯ）またはＣＯＳ細胞）で発現され得る。他の適切な宿主細胞は、当業者に公知である。
【０１１９】
ベクターＤＮＡは、従来的な形質転換またはトランスフェクション技術を介して原核生物細胞または真核生物細胞に導入され得る。本明細書中で使用される場合、用語「形質転換」およびトランスフェクションとは、外来性の核酸（例えば、ＤＮＡ）を宿主細胞に導入するための当該分野で認識される種々の技術をいうことを意図し、これらには、リン酸カルシウムまたは塩化カルシウム共沈殿、ＤＥＡＥデキストラン媒介トランスフェクション、リポフェクション、またはエレクトロポレーションが含まれる。宿主細胞を形質転換またはトランスフェクションするための適切な方法は、Ｓａｍｂｒｏｏｋら（ＭＯＬＥＣＵＬＡＲ  ＣＬＯＮＩＮＧ：Ａ  ＬＡＢＯＲＡＴＯＲＹ  ＭＡＮＵＡＬ．第２版、Ｃｏｌｄ  Ｓｐｒｉｎｇ  Ｈａｒｂｏｒ  Ｌａｂｏｒａｔｏｒｙ，Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ｓｐｒｉｎｇ  Ｈａｒｂｏｒ，Ｎ．Ｙ．，１９８９）および他の実験室マニュアルに見出され得る。
【０１２０】
安定な哺乳動物細胞のトランスフェクションのために、使用される発現ベクターおよびトランスフェクション技術に依存して、細胞のほんの一部のみが外来ＤＮＡをそのゲノムに組み込み得ることが知られている。これらの要素を同定および選択するために、選択マーカー（例えば、抗生物質に対する耐性）をコードする遺伝子が、一般的には目的の遺伝子とともに宿主細胞に導入される。種々の選択マーカーには、薬物に対する耐性を付与するもの（例えば、Ｇ４１８、ハイグロマイシン、およびメトトレキサート）が含まれる。選択マーカーをコードする核酸は、２１５５６４７、２３５５８７５、３２２３８６７、３２２４６４６、３４８２６９９、またはＭａｍｍＸをコードするベクターと同じベクター上で宿主細胞に導入され得るか、あるいは別々のベクター上で導入され得る。導入された核酸とともに安定にトランスフェクトされる細胞は、薬物選択によって同定され得る（例えば、選択マーカー遺伝子を取り込んだ細胞は生存し、一方他の細胞は死滅する）。
【０１２１】
本発明の宿主細胞（例えば、培養中の原核生物細胞および真核生物細胞）は、２１５５６４７、２３５５８７５、３２２３８６７、３２２４６４６、３４８２６９９、またはＭａｍｍＸのタンパク質を産生（すなわち、発現）するために使用され得る。従って、本発明はさらに、本発明の宿主細胞を使用して、２１５５６４７、２３５５８７５、３２２３８６７、３２２４６４６、３４８２６９９、またはＭａｍｍＸのタンパク質を産生するための方法を提供する。１つの実施態様において、本発明の方法は、２１５５６４７、２３５５８７５、３２２３８６７、３２２４６４６、３４８２６９９、またはＭａｍｍＸのタンパク質が産生されるような適切な培地中で、本発明の宿主細胞（ここに、２１５５６４７、２３５５８７５、３２２３８６７、３２２４６４６、３４８２６９９、またはＭａｍｍＸをコードする組換え発現ベクターが導入された）を培養する工程を包含する。別の実施態様において、本発明はさらに、培地または宿主細胞から２１５５６４７、２３５５８７５、３２２３８６７、３２２４６４６、３４８２６９９、またはＭａｍｍＸを単離する工程を包含する。
【０１２２】
（トランスジェニック動物）
本発明の宿主細胞はまた、非ヒトトランスジェニック動物を作製するために使用され得る。例えば、１つの実施態様において、本発明の宿主細胞は、２１５５６４７、２３５５８７５、３２２３８６７、３２２４６４６、３４８２６９９、またはＭａｍｍＸコード配列が導入される、受精した卵母細胞または胚性幹細胞である。次いで、このような宿主細胞は、非ヒトトランスジェニック動物を作製するために使用され得、ここで外因性の２１５５６４７、２３５５８７５、３２２３８６７、３２２４６４６、３４８２６９９、またはＭａｍｍＸの配列は、それらのゲノムまたは相同組換え動物に導入され、ここで内因性の２１５５６４７、２３５５８７５、３２２３８６７、３２２４６４６、３４８２６９９、またはＭａｍｍＸの配列は変更された。このような動物は、２１５５６４７、２３５５８７５、３２２３８６７、３２２４６４６、３４８２６９９、またはＭａｍｍＸの機能および／または活性を研究するため、および２１５５６４７、２３５５８７５、３２２３８６７、３２２４６４６、３４８２６９９、またはＭａｍｍＸの活性のモジュレーターを同定および／または評価するためにに有用である。本明細書中で使用される場合、「トランスジェニック動物」とは、非ヒト動物、好ましくは哺乳動物であり、より好ましくは、ラットまたはマウスのような齧歯動物であり、ここで１つ以上の動物の細胞は、導入遺伝子を含む。トランスジェニック動物の他の例には、非ヒト霊長類、ヒツジ、イヌ、ウシ、ヤギ、ニワトリ、両生類などを含む。導入遺伝子は、細胞（この細胞からトランスジェニック動物が発生する）のゲノムに組み込まれ、そして成熟動物のゲノムに残存する外因性のＤＮＡであり、それによって、トランスジェニック動物の１つ以上の細胞型または組織においてコードされた遺伝子産物の発現を指示する。本明細書中で使用される場合、「相同組換え動物」とは、非ヒト動物であり、好ましくは哺乳動物、より好ましくはマウスであり、ここで内因性の２１５５６４７、２３５５８７５、３２２３８６７、３２２４６４６、３４８２６９９、またはＭａｍｍＸの遺伝子は、内因性の遺伝子と、動物の発生の前に動物の細胞（例えば、動物の胚細胞）に導入された外因性のＤＮＡ分子との間の相同組換えによって変更されている。
【０１２３】
本発明のトランスジェニック動物は、２１５５６４７、２３５５８７５、３２２３８６７、３２２４６４６、３４８２６９９、またはＭａｍｍＸをコードする核酸を、例えば、マイクロインジェクション、レトロウイルス感染によって、受精した卵母細胞の雄性前核に導入すること、および卵母細胞が偽妊娠の雌性フォスターアニマル（ｆｏｓｔｅｒ  ａｎｉｍａｌ）中で発生することを可能にすることによって作製され得る。配列番号１、３、５、７、９の、ヒトの２１５５６４７、２３５５８７５、３２２３８６７、３２２４６４６、３４８２６９９、またはＭａｍｍＸのｃＤＮＡ配列は、非ヒト動物のゲノムに導入遺伝子として導入され得る。あるいは、ヒトの２１５５６４７、２３５５８７５、３２２３８６７、３２２４６４６、３４８２６９９、またはＭａｍｍＸの遺伝子の非ヒトホモログ（例えば、マウスの２１５５６４７、２３５５８７５、３２２３８６７、３２２４６４６、３４８２６９９、またはＭａｍｍＸの遺伝子）は、ヒトの２１５５６４７、２３５５８７５、３２２３８６７、３２２４６４６、３４８２６９９、またはＭａｍｍＸのｃＤＮＡに対するハイブリダイゼーションに基づいて単離され得（以下にさらに記載される）、そして導入遺伝子として使用され得る。イントロン配列およびポリアデニル化シグナルもまた導入遺伝子中に含まれ、その導入遺伝子の発現の効率を増大させ得る。組織特異的調節配列（単数または複数）は、特定の細胞に対して、２１５５６４７、２３５５８７５、３２２３８６７、３２２４６４６、３４８２６９９、またはＭａｍｍＸのタンパク質の発現を指示するために、２１５５６４７、２３５５８７５、３２２３８６７、３２２４６４６、３４８２６９９、またはＭａｍｍＸの導入遺伝子に作動可能に連結される。胚の操作およびマイクロインジェクションを介するトランスジェニック動物（特に、マウスのような動物）を生成するための方法は、当該分野で従来的になっており、そして例えば、米国特許第４，７３６，８６６号；同第４，８７０，００９号；および同第４，８７３，１９１号；ならびにＨｏｇａｎ  １９８６、ＭＡＮＩＰＵＬＡＴＩＮＧ  ＴＨＥ  ＭＯＵＳＥ  ＥＭＢＲＹＯ，Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ｓｐｒｉｎｇ  Ｈａｒｂｏｒ，Ｎ．Ｙ．に記載されている。同様の方法は、他のトランスジェニック動物の作製のために使用される。トランスジェニック初代動物は、動物の組織または細胞中の２１５５６４７、２３５５８７５、３２２３８６７、３２２４６４６、３４８２６９９、またはＭａｍｍＸのｍＲＮＡの、そのゲノムおよび／または発現における２１５５６４７、２３５５８７５、３２２３８６７、３２２４６４６、３４８２６９９、またはＭａｍｍＸの導入遺伝子の存在に基づいて同定され得る。次いで、トランスジェニック初代動物は、導入遺伝子を有するさらなる動物を繁殖させるために使用され得る。さらに、２１５５６４７、２３５５８７５、３２２３８６７、３２２４６４６、３４８２６９９、またはＭａｍｍＸをコードする導入遺伝子を有するトランスジェニック動物は、さらに、他の導入遺伝子を有する他のトランスジェニック動物に繁殖させ得る。
【０１２４】
相同組換え動物を作製するために、少なくとも、２１５５６４７、２３５５８７５、３２２３８６７、３２２４６４６、３４８２６９９、またはＭａｍｍＸの遺伝子の一部を含むベクターを調製し、そこで欠失、付加、または置換が導入され、それによって変化させる（例えば、２１５５６４７、２３５５８７５、３２２３８６７、３２２４６４６、３４８２６９９、またはＭａｍｍＸの遺伝子を機能的に破壊する）。２１５５６４７、２３５５８７５、３２２３８６７、３２２４６４６、３４８２６９９、またはＭａｍｍＸの遺伝子はヒト遺伝子（例えば、配列番号１、３、５、７、９のｃＤＮＡ）であり得るが、より好ましくは、ヒトの２１５５６４７、２３５５８７５、３２２３８６７、３２２４６４６、３４８２６９９、またはＭａｍｍＸの遺伝子の非ヒトホモログである。例えば、配列番号１、３、５、７、９のヒトの２１５５６４７、２３５５８７５、３２２３８６７、３２２４６４６、３４８２６９９、またはＭａｍｍＸの遺伝子のマウスホモログは、マウスゲノムにおいて内因性の２１５５６４７、２３５５８７５、３２２３８６７、３２２４６４６、３４８２６９９、またはＭａｍｍＸの遺伝子を変更するのに適切な相同組換えベクターを構築するために使用され得る。１つの実施態様において、そのベクターは、相同組換えに際して、内因性の２１５５６４７、２３５５８７５、３２２３８６７、３２２４６４６、３４８２６９９、またはＭａｍｍＸの遺伝子が、機能的に破壊される（すなわち、機能的タンパク質をもはやコードしない；「ノックアウト」ベクターともいわれる）ように設計される。
【０１２５】
あるいは、このベクターは、相同組換えに対して、内因性２１５５６４７、２３５５８７５、３２２３８６７、３２２４６４６、３４８２６９９、またはＭａｍｍ−Ｘ遺伝子が変異されるか、あるいはさもなければ、変更されるが、なお機能性タンパク質をコードする（例えば、上流の調節領域が変更され、それによって内因性２１５５６４７、２３５５８７５、３２２３８６７、３２２４６４６、３４８２６９９、またはＭａｍｍ−Ｘタンパク質の発現を変更し得る）。相同組換えベクターにおいて、２１５５６４７、２３５５８７５、３２２３８６７、３２２４６４６、３４８２６９９、またはＭａｍｍ−Ｘ遺伝子ｌの変更された部分は、２１５５６４７、２３５５８７５、３２２３８６７、３２２４６４６、３４８２６９９、またはＭａｍｍ−Ｘ遺伝子のさらなる核酸によって、その５’末端および３’末端で隣接され、相同組換えが、ベクターによって運ばれる内因性２１５５６４７、２３５５８７５、３２２３８６７、３２２４６４６、３４８２６９９、またはＭａｍｍ−Ｘ遺伝子と胚幹細胞中の内因性２１５５６４７、２３５５８７５、３２２３８６７、３２２４６４６、３４８２６９９、またはＭａｍｍ−Ｘ遺伝子との間で起こることを可能にする。さらなる隣接する２１５５６４７、２３５５８７５、３２２３８６７、３２２４６４６、３４８２６９９、またはＭａｍｍ−Ｘ核酸は、内因性遺伝子との首尾よい相同組換えのために十分な長さである。典型的に、数キロベースの隣接するＤＮＡ（５’末端および３’末端の両方における）は、ベクターに含まれる。例えば、相同組換えベクターの記述についてのＴｈｏｍａｓら（１９８７）Ｃｅｌｌ  ５１：５０３を参照のこと。このベクターは、（例えば、エレクトロポレーションによって）胚幹細胞株に導入され、導入された２１５５６４７、２３５５８７５、３２２３８６７、３２２４６４６、３４８２６９９、またはＭａｍｍ−Ｘ遺伝子は、内因性２１５５６４７、２３５５８７５、３２２３８６７、３２２４６４６、３４８２６９９、またはＭａｍｍ−Ｘ遺伝子と相同的に組換えられた細胞が選択される（例えば、Ｌｉら（１９９２）Ｃｅｌｌ６９：９１５を参照のこと）。
【０１２６】
次いで、選択された細胞が、動物（例えば、マウス）の胚盤胞へ注入され、凝集キメラを形成する。例えば、Ｂｒａｄｌｅｙ（１９８７）のＴｅｒａｔｏｃａｒｃｉｎｏｍａｓ  ａｎｄ  Ｅｍｂｒｙｏｎｉｃ  Ｓｔｅｍ  Ｃｅｌｌｓ：Ａ  Ｐｒａｃｔｉｃａｌ  Ａｐｐｒｏａｃｈ、Ｒｏｂｅｒｔｓｏｎ編、ＩＲＬ、Ｏｘｆｏｒｄ  １１３頁〜１５２頁を参照。次いで、キメラ胚が、適切な偽妊娠雌性養育動物に移植され得、そして胚は一定期間おかれる。それらの胚芽細胞中に相同的に組換えられたＤＮＡを保有する子孫が、動物を繁殖させるために使用され得、この動物の全ての細胞は、導入遺伝子の生殖系列伝達による、相同的に組換えられたＤＮＡを含む。相同的組換えベクターおよび相同的組換え動物を構築するための方法が、さらに以下に記載される；Ｂｒａｄｌｅｙ（１９９１）Ｃｕｒｒ  Ｏｐｉｎ  Ｂｉｏｔｅｃｈｎｏｌ  ２：８２３−８２９；ＰＣＴ国際公開番号：ＷＯ９０／１１３５４；ＷＯ９１／０１１４０；ＷＯ９２／０９６８；およびＷＯ／９３／０４１６９。
【０１２７】
別の実施態様において、導入遺伝子の調節された発現を可能にする選択された系を含む非ヒトトランスジェニック動物が産生され得る。このような系の１つの例は、バクテリオファージＰ１のｃｒｅ／ｌｏｘＰリコンビナーゼ系である。ｃｒｅ／ｌｏｘＰリコンビナーゼ系の記述については、例えば、Ｌａｋｓｏら（１９９２）ＰＮＡＳ  ８９：６２３２−６２３６を参照のこと。リコンビナーゼ系の別の例は、Ｓａｃｃｈａｒｏｍｙｃｅｓ  ｃｅｒｅｖｉｓｉａｅのＦＬＰリコンビナーゼ系である（Ｏ’Ｇｏｒｍａｎら（１９９１）Ｓｃｉｅｎｃｅ  ２５１：１３５１−１３５５）。ｃｒｅ／ｌｏｘＰリコンビナーゼ系が導入遺伝子の発現を調節するために使用される場合、Ｃｒｅリコンビナーゼおよび選択されたタンパク質の両方をコードする導入遺伝子を含む動物が必要となる。このような動物は、例えば、２種のトランスジェニック動物（一方は選択されたタンパク質をコードした導入遺伝子を含み、他方はリコンビナーゼをコードした導入遺伝子を含む）を交配することにより「二重の」トランスジェニック動物の構築によって提供され得る。
【０１２８】
本明細書中に記載されるトランスジェニック非ヒト動物のクローンがまた、Ｗｉｌｍｕｔら（１９９７）Ｎａｔｕｒｅ  ３８５：８１０−８１３に記載される方法に従って、産生され得る。簡単には、トランスジェニック動物からの細胞（例えば、体細胞）は単離および誘導され、増殖サイクルから出、そしてＧ０フェイズに入り得る。次いで、静止性細胞が、例えば、電気パルスの使用により、静止性細胞が単離される同種の動物から摘出された卵母細胞へ融合され得る。次いで、この再構成された卵母細胞は培養され、これにより、これは桑実胚または未分化胚芽細胞に発達し、次いで、偽妊娠雌性養育動物に移される。この雌性養育動物の産まれた子孫は、細胞（例えば、体細胞）が単離された動物のクローンである。
【０１２９】
（薬学的組成物）
本発明の２１５５６４７、２３５５８７５、３２２３８６７、３２２４６４６、３４８２６９９、またはＭａｍｍ−Ｘ核酸分子、２１５５６４７、２３５５８７５、３２２３８６７、３２２４６４６、３４８２６９９、またはＭａｍｍ−Ｘタンパク質、および抗２１５５６４７、２３５５８７５、３２２３８６７、３２２４６４６、３４８２６９９、またはＭａｍｍ−Ｘ抗体（これはまた、本明細書中で、「活性な化合物」として参照される）、ならびにそれらの誘導体、フラグメント、アナログ、および相同体が、投与に適した薬学的組成物に組み込まれ得る。このような組成物は、典型的に、核酸分子、タンパク質または抗体、および薬学的に受容可能なキャリアを含む。本明細書中で使用される場合、「薬学的に受容可能なキャリア」は、薬学的な投与に適合した、任意および全ての溶媒、分散媒、コーティング、抗菌剤および抗真菌剤、等張剤および吸収遅延剤（ｄｅｌａｙｉｎｇ  ａｇｅｎｔ）などを含むことが意図される。薬学的に活性な基質におけるこのような媒体および薬剤の使用は、当該分野で周知である。任意の従来の媒体または薬剤が活性な化合物と不適合である限りを除いて、組成物におけるその使用が考慮される。補助活性化合物はまた、組成物へ組み込まれ得る。
【０１３０】
本発明の薬学的組成物は、その意図される投与の経路と適合するように処方される。投与の経路の例には、非経口（例えば、静脈、皮内、皮下）投与、経口（例えば、吸入）投与、経皮（局所的）投与、経粘膜（ｔｒａｎｓｍｕｃｏｓａｌ）投与、および直腸投与が挙げられる。非経口、皮内または皮下適用のために使用される溶液または懸濁液は、以下の成分を含み得る：注射用水、生理食塩水溶液、不揮発性油、ポリエチレングリコール、グリセリン、プロピレングリコールまたは他の合成溶媒のような滅菌希釈剤；ベンジルアルコールまたはメチルパラベンなどの抗菌剤；アスコルビン酸または重亜硫酸ナトリウムなどの抗酸化剤；エチレンジアミン四酢酸などのキレート剤；酢酸塩、クエン酸塩またはリン酸塩などの緩衝液、および塩化ナトリウムまたはデキストロースなどの張度の調節のための薬剤。ｐＨは、塩酸または水酸化ナトリウムなどの酸または塩基で調製され得る。非経口調製物は、アンプル、使い捨てシリンジまたはガラスまたはプラスチックから作製される多用量のバイアル中に入れられ得る。
【０１３１】
注入使用に適した薬学的組成物は、滅菌水性溶液（ここで、水溶解性）またはディスパージョン、滅菌注入可能な溶液またはディスパージョンの即座の調製のための滅菌粉末を含む。静脈投与において、適切なキャリアには、生理食塩水、静菌性水、Ｃｒｅｍｏｐｈｏｒ  ＥＬＴＭ（ＢＡＳＦ、Ｐａｒｓｉｐｐａｎｙ、Ｎ．Ｊ．）またはリン酸塩緩衝化生理食塩水（ＰＢＳ）が挙げられる。全ての場合において、組成物は、滅菌性であるべきであり、そして容易な注入性（ｓｙｒｉｎｇａｂｉｌｉｔｙ）が存在する程度に流動的であるべきである。これは、製造および保存の条件下で安定でなかければならず、そして、細菌および真菌などの微生物の汚染行為に対して維持されるべきである。このキャリアは、例えば、以下を含む溶媒または分散媒であり得る：水、エタノール、ポリオール（例えば、グリセロール、プロピレングリコール、および液体ポリエチレングリコールなど）ならびにそれらの適切な混合物。適切な流動性が、例えば、レシチンなどのコーティングの使用によって、ディスパージョンの場合、要求される粒子サイズを維持することによって、および界面活性剤を使用することによって維持され得る。微生物の作用の防止は、種々の抗菌および抗真菌剤（例えば、パラベン、クロロブタノール、フェノール、アスコルビン酸、チメロサールなど）によって達成され得る。多くの場合、組成物中に等張剤（例えば、砂糖、マンニトール（ｍａｎｉｔｏｌ）、ソルビトールなどのポリアルコール、塩化ナトリウム）を含むことが好ましい。注入可能組成物の遅延吸収は、組成物に吸収を遅らせる薬剤（例えば、アルミニウムモノステアレートおよびゼラチン）を含ませることによってもたらされ得る。
【０１３２】
滅菌注射可能液剤は、必要量のこの活性化合物（例えば、２１５５６４７、２３５５８７５、３２２３８６７、３２２４６４６、３４８２６９９、またはＭａｍｍ−Ｘタンパク質あるいは抗２１５５６４７抗体、抗２３５５８７５抗体、抗３２２３８６７抗体、抗３２２４６４６抗体、抗３４８２６９９抗体、または抗Ｍａｍｍ−Ｘ抗体）を、適切な溶媒中に、上記で列挙される成分の１つまたは組み合わせと共に組み込み、必要な場合、続いて濾過滅菌することによって調製され得る。一般的に、分散液は、活性化合物を、塩基性媒体および上記で列挙される成分から必要とされる他の成分を含む滅菌ビヒクル中へ組み込むことによって調製される。滅菌注射可能液剤の調製のための滅菌散剤の場合において、調製方法は、真空乾燥および凍結乾燥であり、これにより、活性成分および既に滅菌濾過されたその液剤からの任意のさらなる所望の成分の散剤を得る。
【０１３３】
経口組成物は、一般的に、不活性希釈剤または食用キャリアを含む。これらは、ゼラチンカプセルに封入され得るか、または錠剤へ圧縮され得る。経口治療投与の目的のために、この活性化合物は、賦形剤とともに組み込まれ得、そして錠剤、トローチ剤、またはカプセル剤の形態で使用され得る。経口組成物はまた、マウスウォッシュとしての使用のために流体キャリアを使用して調製され得、ここで、この流体キャリア中のこの化合物は、経口的に適用され、そしてさっと動かされ、そして吐き出されるか、または飲み込まれる。薬学的に適合性の結合剤、および／またはアジュバント材料が、この組成物の一部として含まれ得る。錠剤、丸剤、カプセル剤、トローチ剤などが、任意の以下の成分または同様の性質を有する化合物を含み得る：結合剤（例えば、微結晶セルロース、ガムトラガントまたはゼラチン）；賦形剤（例えば、デンプンまたはラクトース）、崩壊剤（例えば、アルギン酸）、Ｐｒｉｍｏｇｅｌ、またはコーンスターチ；滑沢剤（例えば、ステアリン酸マグネシウムまたはＳｔｅｒｏｔｅｓ）；グライダント（ｇｌｉｄａｎｔ）（例えば、コロイド状二酸化ケイ素）；甘味剤（例えば、スクロースまたはサッカリン）；あるいは香味剤（例えば、ペパーミント、サリチル酸メチル、またはオレンジフレーバー）。
【０１３４】
吸入による投与について、この化合物は、適切な噴霧剤（例えば、二酸化炭素のような気体）を含む圧縮容器またはディスペンサー、あるいは噴霧器から、エアロゾル噴霧の形態で送達される。
【０１３５】
全身的投与はまた、経粘膜手段または経皮手段により得る。経粘膜投与または経皮投与について、浸透されるバリアに適切な浸透剤が、処方において使用される。このような浸透剤は、一般的に、当該分野で公知であり、そして、例えば、経粘膜投与については、界面活性剤、胆汁酸塩、およびフシジン酸誘導体が挙げられる。経粘膜投与は、鼻噴霧または坐剤によって達成され得る。経皮投与については、この活性成分は、当該分野で一般的に公知である軟膏剤、軟膏、ゲル、またはクリーム剤へ処方される。
【０１３６】
この化合物はまた、直腸送達のための坐剤（例えば、ココアバターおよび他のグリセリドのような従来の坐剤ベースと共に）または保持浣腸の形態で調製され得る。
【０１３７】
１つの実施態様において、この活性化合物は、身体からの迅速な排出に対してこの化合物を保護するキャリアを用いて調製され（例えば、制御放出処方物）、これには、移植片およびマイクロカプセル化された送達系が挙げられる。酢酸エチレンビニル、ポリ無水物、ポリグリコール酸、コラーゲン、ポリオルトエステル、およびポリ乳酸のような、生分解性、生体適合性ポリマーが使用され得る。このような処方物の調製のための方法は、当該業者には明らかである。これらの材料はまた、Ａｌｚａ  Ｃｏｒｐｏｒａｔｉｏｎ  ａｎｄ  Ｎｏｖａ  Ｐｈａｒｍａｃｅｕｔｉｃａｌｓ，Ｉｎｃ．から市販され、手に入れることができる。リポソーム懸濁剤（ウイルス抗原に対するモノクローナル抗体を感染させた細胞へ標的化されるリポソームを含む）がまた、薬学的に受容可能なキャリアとして使用され得る。これらは、例えば米国特許第４，５２２，８１１号に記載されるような、当業者に公知の方法に従って調製され得る。
【０１３８】
投与の容易さおよび投薬量の均一性のために、投薬単位形態で、経口組成物または非経口組成物を処方することが、特に有益である。本明細書で使用される投薬単位形態は、処置される被験体のための単位投薬量として適切な物理的に個々の単位をいい；各単位は、必要とされる薬学的キャリアと関連して所望の治療的効果を生じるように計算された、所定量の活性化合物を含む。本発明の投薬単位形態についての詳細は、この活性化合物、および達成される特定の治療効果、ならびに個体の処置のためのこのような活性化合物を調合する当該分野に固有の制限によって決定されるか、あるいはこれらに直接依存する。
【０１３９】
本発明の核酸分子は、ベクターに挿入され得、そして遺伝子治療ベクターとして使用され得る。遺伝子治療ベクターは、被験体へ、例えば静脈注射、局所投与（米国特許第５，３２８，４７０号を参照のこと）によって、または定位注射（例えば、Ｃｈｅｎら（１９９４）ＰＮＡＳ９１：３０５４−３０５７を参照のこと）によって送達され得る。遺伝子治療ベクターの薬学的調製物には、受容可能な希釈剤中の遺伝子治療ベクターが挙げられ得、または遺伝子送達ビヒクルが組み込まれる除放性マトリックスが挙げられ得る。あるいは、完全な遺伝子送達ベクターが組換え細胞からインタクトで産生され得（例えば、レトロウイルスベクター）、薬学的調製物は、遺伝子送達系を産生する１以上の細胞を含み得る。
【０１４０】
薬学的組成物は、投与のための使用説明書と共の容器、包装、またはディスペンサーに含まれ得る。
【０１４１】
（発明の使用および方法）
本明細書中で記載される核酸分子、タンパク質、タンパク質相同体、および抗体が、以下の１つ以上の方法において使用され得る：（ａ）スクリーニングアッセイ；（ｂ）検出アッセイ（例えば、染色体マッピング、組織タイピング、法医学生物学）；（ｃ）予測医学（例えば、診断アッセイ、予後アッセイ、臨床試験モニタリング、および薬理ゲノミックス）；ならびに（ｄ）処置の方法（例えば、治療および予防）。２１５５６４７、２３５５８７５、３２２３８６７、３２２４６４６、３４８２６９９、またはＭａｍｍ−Ｘタンパク質は、他の細胞性タンパク質と相互作用し、従って、以下のために使用され得る：（ｉ）タンパク質活性の調節；（ｉｉ）細胞増殖の制御；（ｉｉｉ）細胞分化の制御；および（ｉｖ）細胞生存の制御。
【０１４２】
本発明の単離された核酸分子は、以下にさらに説明されるように、２１５５６４７、２３５５８７５、３２２３８６７、３２２４６４６、３４８２６９９、またはＭａｍｍ−Ｘタンパク質（例えば、遺伝子治療用途における宿主細胞中の組換え発現ベクター）を発現するため、２１５５６４７、２３５５８７５、３２２３８６７、３２２４６４６、３４８２６９９、またはＭａｍｍ−Ｘ  ｍＲＮＡ（例えば、生物学的サンプルにおいて）または２１５５６４７、２３５５８７５、３２２３８６７、３２２４６４６、３４８２６９９、またはＭａｍｍ−Ｘ遺伝子における遺伝子損傷を検出するため、ならびに２１５５６４７、２３５５８７５、３２２３８６７、３２２４６４６、３４８２６９９、またはＭａｍｍ−Ｘ活性を調節するために使用され得る。さらに、２１５５６４７、２３５５８７５、３２２３８６７、３２２４６４６、３４８２６９９、またはＭａｍｍ−Ｘタンパク質は、２１５５６４７、２３５５８７５、３２２３８６７、３２２４６４６、３４８２６９９、またはＭａｍｍ−Ｘ活性または発現を調節する薬物または化合物をスクリーニングするために、ならびに２１５５６４７、２３５５８７５、３２２３８６７、３２２４６４６、３４８２６９９、またはＭａｍｍ−Ｘタンパク質の不十分なもしくは過剰な産生によって、あるいは２１５５６４７、２３５５８７５、３２２３８６７、３２２４６４６、３４８２６９９、またはＭａｍｍ−Ｘ野生型タンパク質と比較して減少したもしくは異常な活性を有する２１５５６４７、２３５５８７５、３２２３８６７、３２２４６４６、３４８２６９９、またはＭａｍｍ−Ｘタンパク質の産生によって特徴付けられる障害（例えば、ガンまたはプレクランプシア（ｐｒｅｃｌａｍｐｓｉａ）のような増殖性障害）を処置するために使用され得る。さらに、本発明の抗２１５５６４７抗体、抗２３５５８７５抗体、抗３２２３８６７抗体、抗３２２４６４６抗体、抗３４８２６９９抗体、または抗Ｍａｍｍ−Ｘ抗体が、２１５５６４７、２３５５８７５、３２２３８６７、３２２４６４６、３４８２６９９、またはＭａｍｍ−Ｘタンパク質を検出して単離するため、および２１５５６４７、２３５５８７５、３２２３８６７、３２２４６４６、３４８２６９９、またはＭａｍｍ−Ｘ活性を調節するために使用され得る。
【０１４３】
本発明は、さらに、上述のスクリーニングアッセイによって同定される新規の薬剤、および本明細書中で記載されるような処置のためのそれらの使用に関する。
【０１４４】
（スクリーニングアッセイ）
本発明は、調節因子、すなわち、２１５５６４７、２３５５８７５、３２２３８６７、３２２４６４６、３４８２６９９、もしくはＭａｍｍ−Ｘタンパク質に結合するか、あるいは例えば、２１５５６４７、２３５５８７５、３２２３８６７、３２２４６４６、３４８２６９９、もしくはＭａｍｍ−Ｘの発現または２１５５６４７、２３５５８７５、３２２３８６７、３２２４６４６、３４８２６９９、もしくはＭａｍｍ−Ｘの活性に対して刺激効果または阻害効果を有する、候補または試験化合物または薬剤（例えば、ペプチド、ペプチド模倣物、小分子または他の薬物）を同定するための方法（本明細書中において「スクリーニングアッセイ」とも称される）を提供する。
【０１４５】
１実施態様において、本発明は、２１５５６４７、２３５５８７５、３２２３８６７、３２２４６４６、３４８２６９９、もしくはＭａｍｍ−Ｘタンパク質またはポリペプチド、あるいはその生物学的に活性な部分の膜結合形態に結合するか、または膜結合形態の活性を調節する、候補化合物もしくは試験化合物をスクリーニングするためのアッセイを提供する。本発明の試験化合物は、当該分野において公知のコンビナトリアルライブラリー法における多数のアプローチの任意のものを使用して得られ得、これには、以下が挙げられる：生物学的ライブラリー；空間的にアクセス可能な平行固相もしくは溶液相ライブラリー；逆重畳を要する合成ライブラリー法；「１ビーズ１化合物」ライブラリー法；およびアフィニティークロマトグラフィー選択を使用する合成ライブラリー法。生物学的ライブラリーアプローチはペプチドライブラリーに限定されるが、他の４つのアプローチは、ペプチド、非ペプチドオリゴマーもしくは化合物の小分子ライブラリーに適用可能である（Ｌａｍ（１９９７）Ａｎｔｉｃａｎｃｅｒ  Ｄｒｕｇ  Ｄｅｓ  １２：１４５）。
【０１４６】
分子ライブラリーの合成のための方法の例は、当該分野において、例えば以下に見出され得る：ＤｅＷｉｔｔら（１９９３）Ｐｒｏｃ  Ｎａｔｌ  Ａｃａｄ  Ｓｃｉ  Ｕ．Ｓ．Ａ．９０：６９０９；Ｅｒｂら（１９９４）Ｐｒｏｃ  Ｎａｔｌ  Ａｃａｄ  Ｓｃｉ  Ｕ．Ｓ．Ａ．９１：１１４２２；Ｚｕｃｋｅｒｍａｎｎら（１９９４）Ｊ  Ｍｅｄ  Ｃｈｅｍ  ３７：２６７８；Ｃｈｏら（１９９３）Ｓｃｉｅｎｃｅ  ２６１：１３０３；Ｃａｒｒｅｌｌら（１９９４）Ａｎｇｅｗ  Ｃｈｅｍ  Ｉｎｔ  Ｅｄ  Ｅｎｇｌ  ３３：２０５９；Ｃａｒｅｌｌら（１９９４）Ａｎｇｅｗ  Ｃｈｅｍ  Ｉｎｔ  Ｅｄ  Ｅｎｇｌ  ３３：２０６１；およびＧａｌｌｏｐら（１９９４）Ｊ  Ｍｅｄ  Ｃｈｅｍ  ３７：１２３３。
【０１４７】
化合物のライブラリーは、溶液中で（例えば、Ｈｏｕｇｈｔｅｎ（１９９２）Ｂｉｏｔｅｃｈｎｉｑｕｅｓ  １３：４１２〜４２１）、あるいはビーズ上（Ｌａｍ（１９９１）Ｎａｔｕｒｅ  ３５４：８２〜８４）、チップ上（Ｆｏｄｏｒ（１９９３）Ｎａｔｕｒｅ  ３６４：５５５〜５５６）、細菌（Ｌａｄｎｅｒ  米国特許第５，２２３，４０９号）、胞子（Ｌａｄｎｅｒ  ＵＳＰ’４０９）、プラスミド（Ｃｕｌｌら（１９９２）Ｐｒｏｃ  Ｎａｔｌ  Ａｃａｄ  Ｓｃｉ  ＵＳＡ  ８９：１８６５〜１８６９）またはファージ上（ＳｃｏｔｔおよびＳｍｉｔｈ（１９９０）Ｓｃｉｅｎｃｅ  ２４９：３８６〜３９０；Ｄｅｖｌｉｎ（１９９０）Ｓｃｉｅｎｃｅ  ２４９：４０４〜４０６；Ｃｗｉｒｌａら（１９９０）Ｐｒｏｃ  Ｎａｔｌ  Ａｃａｄ  Ｓｃｉ  Ｕ．Ｓ．Ａ．８７：６３７８〜６３８２；Ｆｅｌｉｃｉ（１９９１）Ｊ  Ｍｏｌ  Ｂｉｏｌ  ２２２：３０１〜３１０；Ｌａｄｎｅｒ上記）において示され得る。
【０１４８】
１実施態様において、アッセイは細胞ベースのアッセイであり、ここで、２１５５６４７、２３５５８７５、３２２３８６７、３２２４６４６、３４８２６９９、もしくはＭａｍｍ−Ｘタンパク質、またはその生物学的に活性な部分の膜結合形態を細胞表面上に発現する細胞が、試験化合物と接触され、そしてこの試験化合物が、２１５５６４７、２３５５８７５、３２２３８６７、３２２４６４６、３４８２６９９、もしくはＭａｍｍ−Ｘタンパク質に結合する能力が、決定される。例えば、細胞は、哺乳動物起源または酵母細胞であり得る。この試験化合物が２１５５６４７、２３５５８７５、３２２３８６７、３２２４６４６、３４８２６９９、もしくはＭａｍｍ−Ｘタンパク質に結合する能力の決定は、例えば、その試験化合物を放射性同位体標識または酵素標識とカップリングさせて、この試験化合物の２１５５６４７、２３５５８７５、３２２３８６７、３２２４６４６、３４８２６９９、もしくはＭａｍｍ−Ｘタンパク質またはその生物学的に活性な部分に対する結合が複合体におけるその標識化合物を検出することによって検出され得ることによって、達成され得る。例えば、試験化合物は、１２５Ｉ、３５Ｓ、１４Ｃ、または３Ｈで直接的または間接的のいずれかで標識され得、そしてその放射性同位体が、放射線放射の直接の計数により、またはシンチレーション計数により、検出され得る。あるいは、試験化合物は、例えば、西洋ワサビペルオキシダーゼ、アルカリホスファターゼ、またはルシフェラーゼで酵素的に標識され得、そしてこの酵素的標識が、適切な基質の生成物への転換を決定することにより、検出され得る。１実施態様において、このアッセイは、２１５５６４７、２３５５８７５、３２２３８６７、３２２４６４６、３４８２６９９、もしくはＭａｍｍ−Ｘタンパク質、またはその生物学的に活性な部分の膜結合形態をその細胞表面上に発現する細胞を、２１５５６４７、２３５５８７５、３２２３８６７、３２２４６４６、３４８２６９９、もしくはＭａｍｍ−Ｘと結合する公知の化合物と接触させて、アッセイ混合物を形成する工程、このアッセイ混合物を試験化合物に接触させる工程、ならびにこの試験化合物が２１５５６４７、２３５５８７５、３２２３８６７、３２２４６４６、３４８２６９９、もしくはＭａｍｍ−Ｘタンパク質と相互作用する能力を決定する工程を包含し、ここでこの試験化合物が２１５５６４７、２３５５８７５、３２２３８６７、３２２４６４６、３４８２６９９、もしくはＭａｍｍ−Ｘタンパク質と相互作用する能力を決定する工程が、この試験化合物が２１５５６４７、２３５５８７５、３２２３８６７、３２２４６４６、３４８２６９９、もしくはＭａｍｍ−Ｘ、またはその生物学的に活性な部分と、公知の化合物と比較して優先的に結合する能力を決定する工程を包含する。
【０１４９】
別の実施態様において、アッセイは、細胞ベースのアッセイであり、２１５５６４７、２３５５８７５、３２２３８６７、３２２４６４６、３４８２６９９、もしくはＭａｍｍ−Ｘタンパク質またはその生物学的に活性な部分の膜結合形態を細胞表面上で発現する細胞を、試験化合物と接触させる工程、ならびにこの試験化合物が、２１５５６４７、２３５５８７５、３２２３８６７、３２２４６４６、３４８２６９９、もしくはＭａｍｍ−Ｘタンパク質またはその生物学的に活性な部分の活性を調節（例えば、刺激または阻害）する能力を決定する工程を包含する。この試験化合物が２１５５６４７、２３５５８７５、３２２３８６７、３２２４６４６、３４８２６９９、もしくはＭａｍｍ−Ｘ、またはその生物学的に活性な部分の活性を調節する能力の決定は、例えば、２１５５６４７、２３５５８７５、３２２３８６７、３２２４６４６、３４８２６９９、もしくはＭａｍｍ−Ｘタンパク質が、２１５５６４７、２３５５８７５、３２２３８６７、３２２４６４６、３４８２６９９、もしくはＭａｍｍ−Ｘ標的分子に結合またはこれら標的分子と相互作用する能力を決定することによって、達成され得る。本明細書中において使用する場合には、「標的分子」とは、２１５５６４７、２３５５８７５、３２２３８６７、３２２４６４６、３４８２６９９、もしくはＭａｍｍ−Ｘタンパク質が自然に結合または相互作用する分子であり、例えば、２１５５６４７、２３５５８７５、３２２３８６７、３２２４６４６、３４８２６９９、もしくはＭａｍｍ−Ｘタンパク質を発現する細胞の表面の分子、第二の細胞の表面上の分子、細胞外の環境の分子、細胞膜の内部表面と会合する分子、または細胞質分子である。２１５５６４７、２３５５８７５、３２２３８６７、３２２４６４６、３４８２６９９、もしくはＭａｍｍ−Ｘ標的分子は、本発明の非２１５５６４７、２３５５８７５、３２２３８６７、３２２４６４６、３４８２６９９、もしくはＭａｍｍ−Ｘ分子または２１５５６４７、２３５５８７５、３２２３８６７、３２２４６４６、３４８２６９９、もしくはＭａｍｍ−Ｘタンパク質またはポリペプチドである。１実施態様において、２１５５６４７、２３５５８７５、３２２３８６７、３２２４６４６、３４８２６９９、もしくはＭａｍｍ−Ｘ標的分子は、シグナル伝達経路の構成要素であり、これは、細胞膜を通って細胞内への細胞外シグナル（例えば、化合物が膜結合２１５５６４７、２３５５８７５、３２２３８６７、３２２４６４６、３４８２６９９、もしくはＭａｍｍ−Ｘ分子に結合することにより発生するシグナル）の伝達を促進する。その標的は、例えば、触媒活性を有する第二の細胞内タンパク質または下流シグナル分子の２１５５６４７、２３５５８７５、３２２３８６７、３２２４６４６、３４８２６９９、もしくはＭａｍｍ−Ｘとの会合を容易にするタンパク質であり得る。
【０１５０】
２１５５６４７、２３５５８７５、３２２３８６７、３２２４６４６、３４８２６９９、もしくはＭａｍｍ−Ｘタンパク質が２１５５６４７、２３５５８７５、３２２３８６７、３２２４６４６、３４８２６９９、もしくはＭａｍｍ−Ｘ標的分子に結合するかまたはその標的分子と相互作用する能力の決定は、直接の結合を決定するための上記方法の１つにより、達成され得る。１実施態様において、２１５５６４７、２３５５８７５、３２２３８６７、３２２４６４６、３４８２６９９、もしくはＭａｍｍ−Ｘタンパク質が２１５５６４７、２３５５８７５、３２２３８６７、３２２４６４６、３４８２６９９、もしくはＭａｍｍ−Ｘ標的分子に結合するかまたはその標的分子と相互作用する能力の決定は、その標的分子の活性を決定することにより、達成され得る。例えば、この標的分子の活性は、その標的の細胞第二メッセンジャー（すなわち、細胞内Ｃａ２＋、ジアシルグリセロール、ＩＰ３など）の誘導を検出すること、適切な基質の標的の触媒活性／酵素活性を検出すること、レポーター遺伝子（検出可能なマーカー（例えば、ルシフェラーゼ）をコードする核酸に作動的に連結された２１５５６４７、２３５５８７５、３２２３８６７、３２２４６４６、３４８２６９９、もしくはＭａｍｍ−Ｘ応答性調節エレメントを含む）の誘導を検出すること、または細胞応答（例えば、細胞生存度、細胞分化、または細胞増殖）を検出することにより、決定され得る。
【０１５１】
なお別の実施態様において、本発明のアッセイは、無細胞アッセイであり、２１５５６４７、２３５５８７５、３２２３８６７、３２２４６４６、３４８２６９９、もしくはＭａｍｍ−Ｘタンパク質またはその生物学的に活性な部分を試験化合物に接触させる工程、ならびにその試験化合物が２１５５６４７、２３５５８７５、３２２３８６７、３２２４６４６、３４８２６９９、もしくはＭａｍｍ−Ｘタンパク質またはその生物学的に活性な部分と結合する能力を決定する工程を包含する。この試験化合物の、２１５５６４７、２３５５８７５、３２２３８６７、３２２４６４６、３４８２６９９、もしくはＭａｍｍ−Ｘタンパク質への結合は、上記のように、直接的または間接的にのいずれかで決定され得る。１実施態様において、このアッセイは、２１５５６４７、２３５５８７５、３２２３８６７、３２２４６４６、３４８２６９９、もしくはＭａｍｍ−Ｘタンパク質またはその生物学的に活性な部分を、２１５５６４７、２３５５８７５、３２２３８６７、３２２４６４６、３４８２６９９、もしくはＭａｍｍ−Ｘに結合する公知の化合物に接触させて、アッセイ混合物を形成する工程、このアッセイ混合物を試験化合物に接触させる工程、ならびにその試験化合物が２１５５６４７、２３５５８７５、３２２３８６７、３２２４６４６、３４８２６９９、もしくはＭａｍｍ−Ｘタンパク質と相互作用する能力を決定する工程を包含し、ここで、この試験化合物が２１５５６４７、２３５５８７５、３２２３８６７、３２２４６４６、３４８２６９９、もしくはＭａｍｍ−Ｘタンパク質と相互作用する能力を決定する工程は、この試験化合物が、公知の化合物と比較して、２１５５６４７、２３５５８７５、３２２３８６７、３２２４６４６、３４８２６９９、もしくはＭａｍｍ−Ｘ、またはその生物学的に活性な部分と優先的に相互作用する能力を決定する工程を包含する。
【０１５２】
別の実施態様において、アッセイは、無細胞アッセイであり、２１５５６４７、２３５５８７５、３２２３８６７、３２２４６４６、３４８２６９９、もしくはＭａｍｍ−Ｘタンパク質またはその生物学的に活性な部分を試験化合物と接触させる工程、ならびにその試験化合物が２１５５６４７、２３５５８７５、３２２３８６７、３２２４６４６、３４８２６９９、もしくはＭａｍｍ−Ｘタンパク質またはその生物学的に活性な部分の活性を調節（例えば、刺激または阻害）する能力を決定する工程を溶岩する。この試験化合物が２１５５６４７、２３５５８７５、３２２３８６７、３２２４６４６、３４８２６９９、もしくはＭａｍｍ−Ｘの活性を調節する能力の決定は、例えば、２１５５６４７、２３５５８７５、３２２３８６７、３２２４６４６、３４８２６９９、もしくはＭａｍｍ−Ｘタンパク質が、２１５５６４７、２３５５８７５、３２２３８６７、３２２４６４６、３４８２６９９、もしくはＭａｍｍ−Ｘ標的分子に結合する能力を、直接的結合の決定のための上記方法の１つによって決定することにより、達成され得る。代替の実施態様において、この試験化合物が２１５５６４７、２３５５８７５、３２２３８６７、３２２４６４６、３４８２６９９、もしくはＭａｍｍ−Ｘの活性を調節する能力の決定は、２１５５６４７、２３５５８７５、３２２３８６７、３２２４６４６、３４８２６９９、もしくはＭａｍｍ−Ｘタンパク質が、２１５５６４７、２３５５８７５、３２２３８６７、３２２４６４６、３４８２６９９、もしくはＭａｍｍ−Ｘ標的分子をさらに調節する能力を決定することにより、達成され得る。例えば、この標的分子の適切な基質に対する触媒活性／酵素活性は、上に記載のように決定され得る。
【０１５３】
なお別の実施態様において、無細胞アッセイは、２１５５６４７、２３５５８７５、３２２３８６７、３２２４６４６、３４８２６９９、もしくはＭａｍｍ−Ｘタンパク質またはその生物学的に活性な部分を、２１５５６４７、２３５５８７５、３２２３８６７、３２２４６４６、３４８２６９９、もしくはＭａｍｍ−Ｘに結合する公知の化合物に接触させてアッセイ混合物を形成する工程、このアッセイ混合物を試験化合物と接触させる工程、ならびにこの試験化合物が２１５５６４７、２３５５８７５、３２２３８６７、３２２４６４６、３４８２６９９、もしくはＭａｍｍ−Ｘタンパク質と相互作用する能力を決定する工程を包含し、ここで、この試験化合物が２１５５６４７、２３５５８７５、３２２３８６７、３２２４６４６、３４８２６９９、もしくはＭａｍｍ−Ｘタンパク質と相互作用する能力の決定は、２１５５６４７、２３５５８７５、３２２３８６７、３２２４６４６、３４８２６９９、もしくはＭａｍｍ−Ｘタンパク質が、２１５５６４７、２３５５８７５、３２２３８６７、３２２４６４６、３４８２６９９、もしくはＭａｍｍ−Ｘ標的分子と優先的に結合するか、またはその標的分子の活性を優先的に調節する能力を決定する工程を包含する。
【０１５４】
本発明の無細胞アッセイは、２１５５６４７、２３５５８７５、３２２３８６７、３２２４６４６、３４８２６９９、もしくはＭａｍｍ−Ｘの、可溶性の形態または膜結合形態の両方の使用に受け入れられる。膜結合形態の２１５５６４７、２３５５８７５、３２２３８６７、３２２４６４６、３４８２６９９、もしくはＭａｍｍ−Ｘを含む無細胞アッセイの場合には、２１５５６４７、２３５５８７５、３２２３８６７、３２２４６４６、３４８２６９９、もしくはＭａｍｍ−Ｘの膜結合形態が溶液中に維持されるように、可溶化剤を利用することが望ましくあり得る。このような可溶化剤の例には、非イオン性界面活性剤が挙げられ、例えば、ｎ−オクチルグルコシド、ｎ−ドデシルグルコシド、ｎ−ドデシルマルトシド、オクタノイル−Ｎ−メチルグルカミド、デカノイル−Ｎ−メチルグルカミド、Ｔｒｉｔｏｎ（登録商標）Ｘ−１００、Ｔｒｉｔｏｎ（登録商標）Ｘ−１１４、Ｔｈｅｓｉｔ（登録商標）、イソトリデシルポリ（エチレングリコールエーテル）ｎ（Ｉｓｏｔｒｉｄｅｃｙｐｏｌｙ（ｅｔｈｙｌｅｎｅ  ｇｌｙｃｏｌ  ｅｔｈｅｒ）ｎ、３−（３−コラミドプロピル）ジメチルアンモニオ−１−プロパンスルホネート（３−（３−ｃｈｏｌａｍｉｄｏｐｒｏｐｙｌ）ｄｉｍｅｔｈｙｌａｍｍｉｎｉｏｌ−１−ｐｒｏｐａｎｅ  ｓｕｌｆｏｎａｔｅ）（ＣＨＡＰＳ）、３−（３−コラミドプロピル）ジメチルアンモニオ−２−ヒドロキシ−１−プロパンスルホネート（３−（３−ｃｈｏｌａｍｉｄｏｐｒｏｐｙｌ）ｄｉｍｅｔｈｙｌａｍｍｉｎｉｏｌ−２−ｈｙｄｒｏｘｙ−１−ｐｒｏｐａｎｅ  ｓｕｌｆｏｎａｔｅ）（ＣＨＡＰＳＯ）、またはＮ−ドデシル−Ｎ，Ｎ−ジメチル−３−アンモニオ−１−プロパンスルホネートである。
【０１５５】
本発明の上記アッセイ方法の１つより多い実施態様において、２１５５６４７、２３５５８７５、３２２３８６７、３２２４６４６、３４８２６９９、もしくはＭａｍｍ−Ｘ、またはその標的分子のいずれかを固定して、そのタンパク質の一方または両方の非複合形態からの複合形態の分離を促進し、そしてそのアッセイと自動化に適用させることが、望ましくあり得る。試験化合物の、２１５５６４７、２３５５８７５、３２２３８６７、３２２４６４６、３４８２６９９、もしくはＭａｍｍ−Ｘへの結合、または候補化合物の存在化および非存在下での、２１５５６４７、２３５５８７５、３２２３８６７、３２２４６４６、３４８２６９９、もしくはＭａｍｍ−Ｘの標的分子との相互作用は、これらの反応物を収容するために適切な任意の容器内で、達成され得る。このような容器の例には、マイクロタイタープレート、試験管、および微小遠心管が挙げられる。１実施態様において、そのタンパク質の一方または両方がマトリックスに結合することを可能にするドメインの付加を提供し得る融合タンパク質が、提供され得る。例えば、ＧＳＴ−２１５５６４７、２３５５８７５、３２２３８６７、３２２４６４６、３４８２６９９、もしくはＭａｍｍ−Ｘ融合タンパク質またはＧＳＴ標的融合タンパク質は、グルタチオンセファロースビーズ（Ｓｉｇｍａ  Ｃｈｅｍｉｃａｌ、Ｓｔ．Ｌｏｕｉｓ、ＭＯ）またはグルタチオン誘導体化マイクロタイタープレート上に吸着され得、次いでこれらは、試験化合物と合わせられるか、あるいは試験化合物および吸着されない標的タンパク質、または２１５５６４７、２３５５８７５、３２２３８６７、３２２４６４６、３４８２６９９、もしくはＭａｍｍ−Ｘのいずれかと合わせられ、そしてこの混合物が、複合体形成に貢献する条件下（例えば、塩およびｐＨに関して生理学的条件）でインキュベートされる。インキュベーションに続いて、ビーズまたはマイクロタイタープレートウェルを洗浄して、結合していないあらゆる成分を除去し、ビーズの場合にはマトリックスを固定し、例えば上記のように、複合体を直接的または間接的のいずれかで決定する。あるいは、複合体がマトリックスから解離され得、そして２１５５６４７、２３５５８７５、３２２３８６７、３２２４６４６、３４８２６９９、もしくはＭａｍｍ−Ｘの結合レベルまたは活性レベルを、標準的な技術を使用して決定し得る。
【０１５６】
タンパク質をマトリックスに固定するための他の技術がまた、本発明のスクリーニングアッセイにおいて使用され得る。例えば、２１５５６４７、２３５５８７５、３２２３８６７、３２２４６４６、３４８２６９９、もしくはＭａｍｍ−Ｘ、またはその標的分子のいずれかが、ビオチンとストレプトアビジンとの結合を利用して、固定され得る。ビオチニル化２１５５６４７、２３５５８７５、３２２３８６７、３２２４６４６、３４８２６９９、もしくはＭａｍｍ−Ｘ、または標的分子は、当該分野において周知の技術を使用して、ビオチンＮＨＳ（Ｎ−ヒドロキシスクシンイミド）から調製され得（例えば、ビオチニル化キット、Ｐｉｅｒｃｅ  Ｃｈｅｍｉｃａｌｓ、Ｒｏｃｋｆｏｒｄ、Ｉｌｌ．）、そしてストレプトアビジン被覆した９６ウェルのプレート（Ｐｉｅｒｃｅ  Ｃｈｅｍｉｃａｌ）のウェルに固定され得る。あるいは、２１５５６４７、２３５５８７５、３２２３８６７、３２２４６４６、３４８２６９９、もしくはＭａｍｍ−Ｘ、または標的分子と反応性であるが２１５５６４７、２３５５８７５、３２２３８６７、３２２４６４６、３４８２６９９、もしくはＭａｍｍ−Ｘタンパク質のその標的分子への結合を妨害しない抗体が、そのプレートのウェルに誘導体化され得、そして結合していない標的または２１５５６４７、２３５５８７５、３２２３８６７、３２２４６４６、３４８２６９９、もしくはＭａｍｍ−Ｘが、抗体の結合によってウェル内にトラップされ得る。このような複合体を検出するための方法には、ＧＳＴ固定複合体に関しての上記のものに加えて、２１５５６４７、２３５５８７５、３２２３８６７、３２２４６４６、３４８２６９９、もしくはＭａｍｍ−Ｘ、または標的分子と反応性の抗体を使用する、複合体の免疫検出、ならびに２１５５６４７、２３５５８７５、３２２３８６７、３２２４６４６、３４８２６９９、もしくはＭａｍｍ−Ｘ、または標的分子に関する酵素活性の検出に依存する酵素結合アッセイが挙げられる。
【０１５７】
別の実施態様において、２１５５６４７、２３５５８７５、３２２３８６７、３２２４６４６、３４８２６９９、またはＭａｍｍ−Ｘの発現のモジュレーターは、細胞が候補化合物と接触される方法で同定され、そして細胞中における２１５５６４７、２３５５８７５、３２２３８６７、３２２４６４６、３４８２６９９、またはＭａｍｍ−ＸのｍＲＮＡまたはタンパク質の発現が決定される。候補化合物の存在下での、２１５５６４７、２３５５８７５、３２２３８６７、３２２４６４６、３４８２６９９、またはＭａｍｍ−ＸのｍＲＮＡまたはタンパク質の発現のレベルは、候補化合物不在下での２１５５６４７、２３５５８７５、３２２３８６７、３２２４６４６、３４８２６９９、またはＭａｍｍ−ＸのｍＲＮＡまたはタンパク質の発現のレベルと比較される。次いで、候補化合物は、この比較に基づいて、２１５５６４７、２３５５８７５、３２２３８６７、３２２４６４６、３４８２６９９、またはＭａｍｍ−Ｘの発現のモジュレーターとして同定され得る。例えば、２１５５６４７、２３５５８７５、３２２３８６７、３２２４６４６、３４８２６９９、またはＭａｍｍ−ＸのｍＲＮＡまたはタンパク質の発現が、候補化合物の存在下で、その候補化合物が不在下よりも大きい（統計的に有意に大きい）場合、候補化合物は、２１５５６４７、２３５５８７５、３２２３８６７、３２２４６４６、３４８２６９９、またはＭａｍｍ−ＸのｍＲＮＡまたはタンパク質の発現の刺激因子として同定される。あるいは、２１５５６４７、２３５５８７５、３２２３８６７、３２２４６４６、３４８２６９９、またはＭａｍｍ−ＸのｍＲＮＡまたはタンパク質の発現が、候補化合物の存在下でその候補化合物の不在下よりも小さい（統計的に有意に小さい）場合、この候補化合物は、２１５５６４７、２３５５８７５、３２２３８６７、３２２４６４６、３４８２６９９、またはＭａｍｍ−ＸのｍＲＮＡまたはタンパク質の発現のインヒビターとして同定される。細胞中における２１５５６４７、２３５５８７５、３２２３８６７、３２２４６４６、３４８２６９９、またはＭａｍｍ−ＸのｍＲＮＡまたはタンパク質の発現のレベルは、２１５５６４７、２３５５８７５、３２２３８６７、３２２４６４６、３４８２６９９、またはＭａｍｍ−ＸのｍＲＮＡまたはタンパク質を検出するために本明細書中に記載される方法によって決定され得る。
【０１５８】
本発明のなお別の局面において、２１５５６４７、２３５５８７５、３２２３８６７、３２２４６４６、３４８２６９９、またはＭａｍｍ−Ｘのタンパク質は、２ハイブリッドアッセイまたは３ハイブリッドアッセイにおける「えさ（ｂａｉｔ）たんぱく質」として使用され得（例えば、米国特許第５，２８３，３１７号；Ｚｅｒｖｏｓら、（１９９３）Ｃｅｌｌ  ７２：２２３−２３２；Ｍａｄｕｒａら、（１９９３）Ｊ  Ｂｉｏｌ  Ｃｈｅｍ  ２６８：１２０４６−１２０５４；Ｂａｒｔｅｌら、（１９９３）Ｂｉｏｔｅｃｈｎｉｑｕｅｓ  １４：９２０−９２４；Ｉｗａｂｕｃｈｉら、（１９９３）Ｏｎｃｏｎｇｅ  ８：１６９３−１６９６；およびＢｒｅｎｔ  ＷＯ９４／１０３００を参照のこと）、２１５５６４７、２３５５８７５、３２２３８６７、３２２４６４６、３４８２６９９、またはＭａｍｍ−Ｘと結合するかまたは相互作用する他のタンパク質（「２１５５６４７、２３５５８７５、３２２３８６７、３２２４６４６、３４８２６９９、またはＭａｍｍ−Ｘ結合タンパク質」または「２１５５６４７、２３５５８７５、３２２３８６７、３２２４６４６、３４８２６９９、またはＭａｍｍ−Ｘ−ｂｐ」）を同定し、そして２１５５６４７、２３５５８７５、３２２３８６７、３２２４６４６、３４８２６９９、またはＭａｍｍ−Ｘの活性を調節する。このような２１５５６４７、２３５５８７５、３２２３８６７、３２２４６４６、３４８２６９９、またはＭａｍｍ−Ｘ結合タンパク質はまた、例えば、２１５５６４７、２３５５８７５、３２２３８６７、３２２４６４６、３４８２６９９、またはＭａｍｍ−Ｘの経路の上流または下流の要素として、２１５５６４７、２３５５８７５、３２２３８６７、３２２４６４６、３４８２６９９、またはＭａｍｍ−Ｘのタンパク質によるシグナルの伝播に関与するようである。
【０１５９】
２ハイブリッドシステムは、分離可能なＤＮＡ結合ドメインおよび活性化ドメインからなる、大部分の転写因子のモジュラの性質の基づく。手短には、このアッセイは、２つの異なるＤＮＡ構築物を使用する。１つの構築物において、２１５５６４７、２３５５８７５、３２２３８６７、３２２４６４６、３４８２６９９、またはＭａｍｍ−Ｘをコードする遺伝子は、公知の転写因子（例えば、ＧＡＬ−４）のＤＮＡ結合ドメインをコードする遺伝子に融合される。他方の構築物において、ＤＮＡ配列のライブラリーからの、未同定タンパク質（「餌食（ｐｒｅｙ）」または「サンプル」）をコードするＤＮＡ配列は、公知の転写因子の活性化ドメインをコードする遺伝子に融合される。「えさ」および「餌食」タンパク質がインビボで相互作用し得、２１５５６４７、２３５５８７５、３２２３８６７、３２２４６４６、３４８２６９９、またはＭａｍｍ−Ｘ依存複合体を形成する場合、転写因子のＤＮＡ結合ドメインおよび活性化ドメインが密接に近接される。この近接は、転写因子に応答性の転写調節部位に作動可能に連結されるレポーター遺伝子（例えば、ＬａｃＺ）の転写を可能にする。レポーター遺伝子の発現が検出され得、そして機能性転写因子を含む細胞コロニーが単離され得、そして２１５５６４７、２３５５８７５、３２２３８６７、３２２４６４６、３４８２６９９、またはＭａｍｍ−Ｘと相互作用するタンパク質をコードするクローン化遺伝子を得るために使用され得る。
【０１６０】
本発明は、さらに、上記スクリーニングアッセイによって同定される新規試薬および本明細書中に記載される処置のためのこれらの使用に関する。
【０１６１】
（検出アッセイ）
本明細書中で同定されるｃＤＮＡ配列の部分またはフラグメント（および対応する完全遺伝子配列）は、ポリヌクレオチド試薬として多くの方法で使用され得る。例えば、これらの配列は、（ｉ）それぞれの遺伝子を染色体上にマッピングし；それによって遺伝病に関連する遺伝子領域を位置決めする；（ｉｉ）微小な生物学的サンプルから個体を同定する（組織型決定）；そして（ｉｉｉ）生物学的サンプルの法医学的同定の補助のために使用され得る。これらの用途は、以下の小節で記載される。
【０１６２】
（染色体マッピング）
一旦、遺伝子の配列（または配列の部分）が単離されると、この配列は、染色体上の遺伝子の位置をマッピングするために使用され得る。このプロセスは、染色体マッピングとよばれる。従って、本明細書中に記載される、２１５５６４７、２３５５８７５、３２２３８６７、３２２４６４６、３４８２６９９、またはＭａｍｍ−Ｘの配列の部分またはフラグメントは、それぞれ、染色体上の２１５５６４７、２３５５８７５、３２２３８６７、３２２４６４６、３４８２６９９、またはＭａｍｍ−Ｘの遺伝子の位置をマッピングするために使用され得る。染色体に対する２１５５６４７、２３５５８７５、３２２３８６７、３２２４６４６、３４８２６９９、またはＭａｍｍ−Ｘの配列のマッピングは、これらの配列と疾患に関連する遺伝子とを関連付ける最初の重要な工程である。
【０１６３】
手短には、２１５５６４７、２３５５８７５、３２２３８６７、３２２４６４６、３４８２６９９、またはＭａｍｍ−Ｘの遺伝子は、２１５５６４７、２３５５８７５、３２２３８６７、３２２４６４６、３４８２６９９、またはＭａｍｍ−Ｘの配列からＰＣＲプライマー（好ましくは１５〜２５ｂｐの長さ）を調製することによって染色体にマッピングされ得る。２１５５６４７、２３５５８７５、３２２３８６７、３２２４６４６、３４８２６９９、またはＭａｍｍ−Ｘの配列のコンピュータ分析は、ゲノムＤＮＡ中の１つより多いエキソン（従って、増幅プロセスを複雑にする）に及ばないプライマーを素早く選択するために使用され得る。次いで、これらのプライマーは、個々のヒト染色体を含む体細胞ハイブリッドのＰＣＲスクリーニングのために使用され得る。２１５５６４７、２３５５８７５、３２２３８６７、３２２４６４６、３４８２６９９、またはＭａｍｍ−Ｘ配列に対応するヒト遺伝子を含むこれらのハイブリッドのみが、増幅されたフラグメントを産生する。
【０１６４】
体細胞ハイブリッドは、異なる哺乳動物（例えば、ヒトおよびマウス細胞）由来の体細胞を融合することによって調製される。ヒトおよびマウス細胞のハイブリッドが増殖および分裂する場合、これらは次第に、ランダムな順序でヒト染色体を喪失するが、マウスの染色体を保持する。特定の酵素を欠くのでマウス細胞は増殖し得ないが、ヒト細胞は増殖し得る媒地を使用することによって、必要とされる酵素をコードする遺伝子を含む１つのヒト染色体が保持される。種々の媒地を使用することによって、ハイブリッド細胞株のパネルが確立され得る。パネルにおける各細胞株は、単一のヒト染色体または少数のヒト染色体のいずれか、およびマウス染色体の全セットを含み、特定のヒト染色体に対する個々の遺伝子の容易なマッピングを可能にする。（Ｄ’Ｅｕｓｔａｃｈｉｏら、（１９８３）Ｓｃｉｅｎｃｅ  ２２０：９１９−９２４）。ヒト染色体のフラグメントのみを含む体細胞ハイブリッドはまた、転座および欠失を有するヒト染色体を使用することによって産生され得る。
【０１６５】
体細胞ハイブリッドのＰＣＲマッピングは、特定の配列を特定の染色体に割り当てるための素早い手順である。単一のサーマルサイクラー（ｔｈｅｒｍａｌ  ｃｙｃｌｅｒ）を使用して、１日当たり、３個以上の配列が割り当てられ得る。オリゴヌクレオチドプライマーを設計するために、２１５５６４７、２３５５８７５、３２２３８６７、３２２４６４６、３４８２６９９、またはＭａｍｍ−Ｘの配列を使用して、特定の染色体由来のフラグメントのパネルを用いて、準位置決定（ｓｕｂｌｏｃａｌｉｚａｔｉｏｎ）が達成され得る。
【０１６６】
ＤＮＡ配列の中期染色体スプレッド（ｓｐｒｅａｄ）に対する蛍光インサイチュハイブリダイゼーション（ＦＩＳＨ）は、さらに、一工程で正確な染色体位置を提供するために使用され得る。染色体スプレッドは、紡錘体を破壊するコルセミドのような化合物によって中期で分裂がブロックされた細胞を使用して作製され得る。染色体は、トリプシンで手短に処理され、次いで、Ｇｉｅｍｓａで染色される。明るいおよび暗いバンドのパターンが各染色体上で生成し、その結果、染色体が個々に同定され得る。このＦＩＳＨ技術は、５００または６００個の塩基ほどの短さのＤＮＡ配列を用いて使用され得る。しかし、１，０００個の塩基よりも大きいクローンは、サンプル検出に十分なシグナル強度を有する独特の染色体位置に結合する可能性がより高い。好ましくは、１，０００個の塩基、より好ましくは、２，０００個の塩基は、合理的な時間の量で良好な結果を得るのに十分である。この技術の総説については、Ｖｅｒｍａら、ＨＵＭＡＮ  ＣＨＲＯＭＯＳＯＭＥＳ：Ａ  ＭＡＮＵＡＬ  ＯＦ  ＢＡＳＩＣ  ＴＥＣＨＮＩＱＵＥＳ（Ｐｅｒｇａｍｏｎ  Ｐｒｅｓｓ、Ｎｅｗ  Ｙｏｒｋ  １９８８）を参照のこと。
【０１６７】
染色体マッピングのための試薬は、単一の染色体またはその染色体上の単一の部位をマークするために個々に使用され得るか、あるいは試薬のパネルが複数の部位および／または複数の染色体をマークするために使用され得る。実際、遺伝子の非コード領域に対応する試薬が、マッピングの目的のために好ましい。コード配列は、遺伝子ファミリー内でより保存されているようであり、それゆえ染色体マッピングの間、クロスハイブリダイゼーションの機会が増加する。
【０１６８】
一旦、配列が正確な染色体位置にマッピングされると、染色体上の配列の物理的位置が遺伝子マップデータと相関され得る。このようなデータは、例えば、Ｊｏｈｎｓ  Ｈｏｐｋｉｎｓ  Ｕｎｉｖｅｒｓｉｔｙ  Ｗｅｌｃｈ  Ｍｅｄｉｃａｌ  Ｌｉｂｒａｒｙからオンラインで入手可能な、ＭｃＫｕｓｉｃｋ、ＭＥＮＤＥＬＩＡＮ  ＩＮＨＥＲＩＴＡＮＣＥ  ＩＮ  ＭＡＮに見出される。次いで、同じ染色体領域にマッピングされる、遺伝子と疾患との間の関係は、連鎖分析（物理的に隣接する遺伝子の同時遺伝性）によって同定され得、例えば、Ｅｇｅｌａｎｄら（１９８７）Ｎａｔｕｒｅ、３２５：７８３−７８７に記載される。
【０１６９】
さらに、２１５５６４７、２３５５８７５、３２２３８６７、３２２４６４６、３４８２６９９、またはＭａｍｍ−Ｘの遺伝子と関連する疾患に感染した個体と感染していない個体との間のＤＮＡ配列における差が決定され得る。変異がいくらかのまたは全ての感染した個体において観測されるが、感染していないいずれの個体においても観測されない場合、この変異は、特定の疾患の原因因子であるようである。感染した個体と感染していない個体との比較は、一般的に、まず、染色体スプレッドから可視であるかまたはそのＤＮＡ配列に基づくＰＣＲを使用して検出可能な欠失または転座のような、染色体における構造的変化を探すことを包含する。最終的に、幾人かの個体からの遺伝子の完全な配列決定は、変異の存在を確認するため、そして多型性由来の変異を区別するために実施され得る。
【０１７０】
（組織型決定）
本発明の２１５５６４７、２３５５８７５、３２２３８６７、３２２４６４６、３４８２６９９、またはＭａｍｍ−Ｘの配列はまた、微小な生物学的サンプルから個体を同定するために使用され得る。この技術において、個体のゲノムＤＮＡは、１つ以上の制限酵素で消化され、そしてサザンブロットで検査され、同定のための独特のバンドを生成する。本発明の配列は、ＲＦＬＰ（米国特許第５，２７２，０５７号に記載される「制限酵素ＤＮＡ断片長の多型性」）についてさらなるＤＮＡマーカーとして有用である。
【０１７１】
さらに、本発明の配列は、個体のゲノムの選択された部分の実際の塩基ごとのＤＮＡ配列を決定する代替の技術を提供するために使用され得る。従って、本明細書中に記載される２１５５６４７、２３５５８７５、３２２３８６７、３２２４６４６、３４８２６９９、またはＭａｍｍ−Ｘの配列は、配列の５’および３’末端から２つのＰＣＲプライマーを調製するために使用され得る。次いで、これらのプライマーは、個体のＤＮＡを増殖し、そして続いてそれを配列決定するために使用され得る。
【０１７２】
この方法で調製される、個体からの対応するＤＮＡ配列のパネルは、各個体が対立遺伝子の差に起因するこのようなＤＮＡ配列の独特のセットを有するので、独特の個体同定を提供し得る。本発明の配列は、個体からおよび組織からのこのような同定配列を得るために使用され得る。本発明の２１５５６４７、２３５５８７５、３２２３８６７、３２２４６４６、３４８２６９９、またはＭａｍｍ−Ｘの配列は、ヒトゲノムの部分を独特に表す。対立遺伝子のバリエーションが、これらの配列のコード領域においてはある程度生じ、そして非コード領域においてはより大きな程度に生じる。個々のヒトの間の対立遺伝子のバリエーションは、５００個の塩基の各々当たり約１回の頻度で生じると見積もられる。対立遺伝子のバリエーションの大部分は、単一のヌクレオチド多型性（ＳＮＰ）に起因し、これは、制限酵素ＤＮＡ断片長の多型性（ＲＦＬＰ）を含む。
【０１７３】
本明細書中に記載された配列のそれぞれは、個体からのＤＮＡが同定の目的のために比較され得る標準として、ある程度、使用され得る。より多くの数の多型性が非コード領域において生じるので、より少ない配列が個体を区別するために必要である。配列番号１、３、５、７、９の非コード配列は、それぞれが１００個の塩基の非コード増幅配列を産生する、およそ１０〜１，０００個のプライマーのパネルを用いてポジティブな個体の同定を満足に提供し得る。推定されたコード配列（例えば、配列番号１、３、５、７、９における配列）が使用される場合、ポジティブな個体の同定のためのより適切な数のプライマーは、５００〜２，０００であり得る。
【０１７４】
（予測医療）
本発明はまた、診断アッセイ、予後アッセイ、薬物ゲノム（ｐｈａｒｍａｃｏｇｅｎｏｍｉｃｓ）およびモニタリング臨床試験が、予後（予測）の目的に使用され、これによって個体を予防的に処置する、予測医療の分野に関する。従って、本発明の１つの局面は、２１５５６４７、２３５５８７５、３２２３８６７、３２２４６４６、３４８２６９９、またはＭａｍｍ−Ｘのタンパク質および／または核酸の発現、ならびに２１５５６４７、２３５５８７５、３２２３８６７、３２２４６４６、３４８２６９９、またはＭａｍｍ−Ｘの活性を、生物学的サンプル（例えば、血液、血清、細胞、組織）の関連で決定し、これによって、異常な２１５５６４７、２３５５８７５、３２２３８６７、３２２４６４６、３４８２６９９、またはＭａｍｍ−Ｘの発現または活性に関連して、個体が疾患または障害に罹患するかどうか、あるいは障害を発症するリスクがあるかどうかを決定する。本発明はまた、２１５５６４７、２３５５８７５、３２２３８６７、３２２４６４６、３４８２６９９、またはＭａｍｍ−Ｘのタンパク質、核酸の発現または活性と関連した障害を発症するリスクがあるかどうかを決定するための予後的（または予測的）アッセイを提供する。例えば、２１５５６４７、２３５５８７５、３２２３８６７、３２２４６４６、３４８２６９９、またはＭａｍｍ−Ｘの遺伝子における変異が、生物学的サンプルにおいてアッセイされ得る。このようなアッセイは、予後的または予測的な目的に使用され得、これによって２１５５６４７、２３５５８７５、３２２３８６７、３２２４６４６、３４８２６９９、またはＭａｍｍ−Ｘのタンパク質、核酸の発現または活性によって特徴付けられるかまたは関連した障害の発病の前に個体を予防的に処置する。
【０１７５】
本発明の別の局面は、個体における２１５５６４７、２３５５８７５、３２２３８６７、３２２４６４６、３４８２６９９、またはＭａｍｍ−Ｘのタンパク質、核酸の発現あるいは２１５５６４７、２３５５８７５、３２２３８６７、３２２４６４６、３４８２６９９、またはＭａｍｍ−Ｘの活性を決定するための方法を提供し、これによって、その個体についての適切な治療的または予防的試薬（本明細書において「薬物ゲノム」とよばれる）を選択する。薬物ゲノムは、個体の遺伝型（例えば、特定の試薬に対して応答する個体の能力を決定するために試験された個体の遺伝型）に基づいて個体の治療的または予防的処置のための試薬（例えば、薬物）の選択を可能にする。
【０１７６】
本発明のなお別の局面は、臨床試験における２１５５６４７、２３５５８７５、３２２３８６７、３２２４６４６、３４８２６９９、またはＭａｍｍ−Ｘの発現または活性に対する試薬（例えば、薬剤、化合物）の影響をモニタリングすることに関する。
【０１７７】
これらおよび他の試薬は、以下の節でさらに詳細に記載される。
【０１７８】
（診断アッセイ）
生物学的サンプルにおける２１５５６４７、２３５５８７５、３２２３８６７、３２２４６４６、３４８２６９９、またはＭａｍｍ−Ｘの存在または非存在を検出するための例示的な方法は、試験被験体から生物学的サンプルを得る工程、およびその生物学的サンプルを２１５５６４７、２３５５８７５、３２２３８６７、３２２４６４６、３４８２６９９、もしくはＭａｍｍ−Ｘのタンパク質または２１５５６４７、２３５５８７５、３２２３８６７、３２２４６４６、３４８２６９９、もしくはＭａｍｍ−Ｘタンパク質をコードする核酸（例えば、ｍＲＮＡ、ゲノムＤＮＡ）を検出し得る化合物もしくは薬剤とを接触させ、その結果、２１５５６４７、２３５５８７５、３２２３８６７、３２２４６４６、３４８２６９９、もしくはＭａｍｍ−Ｘの存在が、その生物学的サンプルにおいて検出される、工程を包含する。２１５５６４７、２３５５８７５、３２２３８６７、３２２４６４６、３４８２６９９、またはＭａｍｍ−ＸのｍＲＮＡもしくはゲノムＤＮＡを検出するための薬剤は、２１５５６４７、２３５５８７５、３２２３８６７、３２２４６４６、３４８２６９９、またはＭａｍｍ−Ｘ  ｍＲＮＡもしくはゲノムＤＮＡにハイブリダイズし得る、標識された核酸プローブである。この核酸プローブは、例えば、全長の２１５５６４７、２３５５８７５、３２２３８６７、３２２４６４６、３４８２６９９、またはＭａｍｍ−Ｘの核酸（例えば、ＳＥＱ  ＩＤ  ＮＯ：１、３、５、７、９、もしくはその部分の核酸）（例えば、少なくとも、１５、３０、５０、１００、２５０もしくは５００ヌクレオチド長のオリゴヌクレオチドであり、ストリンジェントな条件下で２１５５６４７、２３５５８７５、３２２３８６７、３２２４６４６、３４８２６９９、もしくはＭａｍｍ−ＸのｍＲＮＡまたはゲノムＤＮＡと特異的にハイブリダイズするに十分である核酸）であり得る。本発明の診断アッセイにおける使用のための他の適切なプローブは本明細書において記載されている。
【０１７９】
２１５５６４７、２３５５８７５、３２２３８６７、３２２４６４６、３４８２６９９、またはＭａｍｍ−Ｘのタンパク質を検出するための薬剤は、２１５５６４７、２３５５８７５、３２２３８６７、３２２４６４６、３４８２６９９またはＭａｍｍ−Ｘのタンパク質に結合し得る抗体であり、好ましくは、検出可能な標識を有する抗体である。抗体は、ポリクローナルであり得るか、またはより好ましくはモノクローナル抗体であり得る。インタクトな抗体またはそのフラグメント（例えば、ＦａｂまたはＦ（ａｂ’）２）が使用され得る。用語「標識（された）」とは、プローブまたは抗体に関して、検出可能な物質をそのプローブもしくは抗体にカップリングさせる（すなわち、物理的に連結する）ことによってそのプローブまたは抗体を直接標識すること、ならびに、直接標識された別の試薬との反応性によってそのプローブもしくは抗体の間接的な標識をすることを包含することが意図される。間接的な標識の例としては、蛍光標識された二次抗体を用いた一次抗体の検出、および蛍光標識されたストレプトアビジンを用いて検出され得るようにＤＮＡプローブのビオチンを用いた末端標識が挙げられる。用語「生物学的サンプル」とは、被験体から単離された、組織、細胞および生物学的流体ならびに被験体に存在する組織、細胞および流体を含むことが意図される。すなわち、本発明の検出方法を用いて、２１５５６４７、２３５５８７５、３２２３８６７、３２２４６４６、３４８２６９９、またはＭａｍｍ−ＸのｍＲＮＡ、タンパク質またはゲノムＤＮＡを、生物学的サンプル中で、インビトロおよびインビボで検出し得る。例えば、２１５５６４７、２３５５８７５、３２２３８６７、３２２４６４６、３４８２６９９、またはＭａｍｍ−ＸのｍＲＮＡの検出のためのインビトロ技術としては、ノーザンハイブリダイゼーションおよびインサイチュハイブリダイゼーションが挙げられる。２１５５６４７、２３５５８７５、３２２３８６７、３２２４６４６、３４８２６９９、またはＭａｍｍ−Ｘのタンパク質の検出のためのインビトロ技術としては、酵素連結免疫吸着アッセイ（ＥＬＩＳＡ）、ウェスタンブロット、免疫沈降および免疫蛍光が挙げられる。２１５５６４７、２３５５８７５、３２２３８６７、３２２４６４６、３４８２６９９、またはＭａｍｍ−ＸのゲノムＤＮＡを検出するためのインビトロ技術としては、サザンハイブリダイゼーションが挙げられる。さらに、２１５５６４７、２３５５８７５、３２２３８６７、３２２４６４６、３４８２６９９、またはＭａｍｍ−Ｘの検出のためのインビボ技術としては、標識された抗２１５５６４７、２３５５８７５、３２２３８６７、３２２４６４６、３４８２６９９、またはＭａｍｍ−Ｘの抗体を被験体に導入することが挙げられる。例えば、その抗体は、放射性マーカーを用いて標識され得る。被験体における放射性マーカーの存在および位置は、標準的な画像化技術によって検出され得る。
【０１８０】
１つの実施態様において、この生物学的サンプルは、その試験被験体からのタンパク質分子を含む。あるいは、その生物学的サンプルは、その試験被験体からのｍＲＮＡ分子またはその試験被験体からのゲノムＤＮＡ分子を含み得る。好ましい生物学的サンプルは、被験体から従来の手段によって単離された末梢血白血球サンプルである。
【０１８１】
別の実施態様において、本発明の方法はさらに、コントロール被験体からコントロール生物学的サンプルを得る工程、そのコントロールサンプルを、２１５５６４７、２３５５８７５、３２２３８６７、３２２４６４６、３４８２６９９、またはＭａｍｍ−Ｘのタンパク質、ｍＲＮＡもしくはゲノムを検出し得る化合物もしくは薬剤と接触させ、その結果、２１５５６４７、２３５５８７５、３２２３８６７、３２２４６４６、３４８２６９９、もしくはＭａｍｍ−Ｘのタンパク質、ｍＲＮＡもしくはゲノムＤＮＡの存在がその生物学的サンプルにおいて検出される、工程、およびそのコントロールサンプルにおける２１５５６４７、２３５５８７５、３２２３８６７、３２２４６４６、３４８２６９９、もしくはＭａｍｍ−Ｘのタンパク質、ｍＲＮＡもしくはゲノムＤＮＡの存在と、その試験サンプルにおける２１５５６４７、２３５５８７５、３２２３８６７、３２２４６４６、３４８２６９９、もしくはＭａｍｍ−Ｘのタンパク質、ｍＲＮＡもしくはゲノムＤＮＡの存在とを比較する工程を包含する。
【０１８２】
本発明はまた、生物学的サンプルにおける２１５５６４７、２３５５８７５、３２２３８６７、３２２４６４６、３４８２６９９、またはＭａｍｍ−Ｘの存在を検出するためのキットを包含する。例えば、このキットは、以下を備え得る：生物学的サンプルにおいて２１５５６４７、２３５５８７５、３２２３８６７、３２２４６４６、３４８２６９９、またはＭａｍｍ−Ｘのタンパク質またはｍＲＮＡを検出し得る、標識された化合物もしくは薬剤；そのサンプルにおいて２１５５６４７、２３５５８７５、３２２３８６７、３２２４６４６、３４８２６９９、またはＭａｍｍ−Ｘの量を決定するための手段；およびそのサンプルにおいて、標準と、２１５５６４７、２３５５８７５、３２２３８６７、３２２４６４６、３４８２６９９、またはＭａｍｍ−Ｘの量とを比較するための手段。この化合物または薬剤は、適切な容器内に包装され得る。このキットは、さらに、２１５５６４７、２３５５８７５、３２２３８６７、３２２４６４６、３４８２６９９、またはＭａｍｍ−Ｘのタンパク質または核酸を検出するためにキットを用いるための指示書を備え得る。
【０１８３】
（予後アッセイ）
本明細書において記載された診断方法をさらに利用して、２１５５６４７、２３５５８７５、３２２３８６７、３２２４６４６、３４８２６９９、またはＭａｍｍ−Ｘの異常発現または異常活性に関連した疾患もしくは障害を有するかまたはその発症の危険にある被験体を同定し得る。例えば、本明細書に記載されるアッセイ（例えば、上述の診断アッセイまたは下記のアッセイ）を利用して、２１５５６４７、２３５５８７５、３２２３８６７、３２２４６４６、３４８２６９９、またはＭａｍｍ−Ｘのタンパク質、核酸の発現または活性に関連する障害（例えば、癌または線維症障害）を有するかまたはその発症の危険に有る被験体を同定し得る。あるいは、この予後アッセイを利用して、疾患または障害を有するかまたはその発症の危険に有る被験体を同定し得る。従って、本発明は、２１５５６４７、２３５５８７５、３２２３８６７、３２２４６４６、３４８２６９９、またはＭａｍｍ−Ｘの異常発現または異常活性に関連する疾患もしくは障害を同定するための方法を提供する。ここで、試験サンプルは、被験体から得られ、そして２１５５６４７、２３５５８７５、３２２３８６７、３２２４６４６、３４８２６９９、またはＭａｍｍ−Ｘのタンパク質または核酸（例えば、ｍＲＮＡ、ゲノムＤＮＡ）が検出され、ここで、２１５５６４７、２３５５８７５、３２２３８６７、３２２４６４６、３４８２６９９、またはＭａｍｍ−Ｘのタンパク質または核酸の存在は、２１５５６４７、２３５５８７５、３２２３８６７、３２２４６４６、３４８２６９９、またはＭａｍｍ−Ｘの異常発現または異常活性に関連する疾患または障害を有するかまたはその発症の危険にある被験体についての診断指標である。本明細書において使用される「試験サンプル」とは、目的の被験体から得られた生物学的サンプルをいう。例えば、試験サンプルは、生物学的流体（例えば、血清）、細胞サンプル、または組織であり得る。
【０１８４】
さらに、本明細書に記載される予後アッセイを使用して、被験体が薬剤（例えば、アゴニスト、アンタゴニスト、ペプチド模倣物、タンパク質、ペプチド、核酸、低分子、または他の薬物候補）が投与されて２１５５６４７、２３５５８７５、３２２３８６７、３２２４６４６、３４８２６９９、またはＭａｍｍ−Ｘの異常発現または異常活性に関連する疾患または障害を処置し得るか否かを決定し得る。例えば、そのような方法を用いて、被験体が疾患（例えば、癌または子癇前症（ｐｒｅｃｌａｍｐｓｉａ））について薬剤を用いて有効に処置され得るか否かを決定し得る。従って、本発明は、２１５５６４７、２３５５８７５、３２２３８６７、３２２４６４６、３４８２６９９、またはＭａｍｍ−Ｘの異常発現または異常活性に関連する障害についての薬剤を用いて被験体が有効に処置され得るか否かを決定するための方法を提供する。ここで、試験サンプルが得られ、そして２１５５６４７、２３５５８７５、３２２３８６７、３２２４６４６、３４８２６９９、またはＭａｍｍ−Ｘのタンパク質または核酸が検出される（例えば、ここで、２１５５６４７、２３５５８７５、３２２３８６７、３２２４６４６、３４８２６９９、またはＭａｍｍ−Ｘのタンパク質または核酸の存在は、２１５５６４７、２３５５８７５、３２２３８６７、３２２４６４６、３４８２６９９、またはＭａｍｍ−Ｘの異常発現または異常活性に関連する障害を処置するための薬剤をその被験体に投与し得ることについての診断指標である）。
【０１８５】
本発明の方法はまた、２１５５６４７、２３５５８７５、３２２３８６７、３２２４６４６、３４８２６９９、またはＭａｍｍ−Ｘの遺伝子における遺伝的損傷を検出し、それによって、その損傷遺伝子を有する被験体が異常な細胞増殖および／または分化によって特徴付けられる障害についての危険に有るか否かを決定するためにも使用され得る。種々の実施態様において、本発明の方法は、その被験体からの細胞のサンプルにおいて、２１５５６４７、２３５５８７５、３２２３８６７、３２２４６４６、３４８２６９９、またはＭａｍｍ−Ｘのタンパク質をコードする遺伝子の統合性に影響を与える変更の少なくとも１つによって特徴付けられる遺伝的損傷、あるいは２１５５６４７、２３５５８７５、３２２３８６７、３２２４６４６、３４８２６９９、またはＭａｍｍ−Ｘの遺伝子の誤発現の存在または非存在を検出する工程を包含する。例えば、そのような遺伝的損傷は、以下の少なくとも１つの存在を確認することによって検出され得る：（１）２１５５６４７、２３５５８７５、３２２３８６７、３２２４６４６、３４８２６９９、またはＭａｍｍ−Ｘの遺伝子からの１つ以上のヌクレオチドの欠失；（２）２１５５６４７、２３５５８７５、３２２３８６７、３２２４６４６、３４８２６９９、またはＭａｍｍ−Ｘの遺伝子への１つ以上のヌクレオチドの付加；（３）２１５５６４７、２３５５８７５、３２２３８６７、３２２４６４６、３４８２６９９、またはＭａｍｍ−Ｘの遺伝子の１つ以上のヌクレオチドの置換、（４）２１５５６４７、２３５５８７５、３２２３８６７、３２２４６４６、３４８２６９９、またはＭａｍｍ−Ｘの遺伝子の染色体再配置；（５）２１５５６４７、２３５５８７５、３２２３８６７、３２２４６４６、３４８２６９９、またはＭａｍｍ−Ｘの遺伝子のメッセンジャーＲＮＡ転写物のレベルにおける変更、（６）２１５５６４７、２３５５８７５、３２２３８６７、３２２４６４６、３４８２６９９、またはＭａｍｍ−Ｘの遺伝子の異常改変（例えば、ゲノムＤＮＡのメチル化パターンの異常改変）、（７）２１５５６４７、２３５５８７５、３２２３８６７、３２２４６４６、３４８２６９９、またはＭａｍｍ−Ｘの遺伝子のメッセンジャーＲＮＡ転写物の非野生型スプライシングパターンの存在、（８）２１５５６４７、２３５５８７５、３２２３８６７、３２２４６４６、３４８２６９９、またはＭａｍｍ−Ｘのタンパク質の非野生型レベル、（９）２１５５６４７、２３５５８７５、３２２３８６７、３２２４６４６、３４８２６９９、またはＭａｍｍ−Ｘの遺伝子の対立遺伝子の欠失、ならびに（１０）２１５５６４７、２３５５８７５、３２２３８６７、３２２４６４６、３４８２６９９、またはＭａｍｍ−Ｘのタンパク質の不適切な翻訳後修飾。本明細書において記載されるように、当該分野において、多数の公知のアッセイ技術が存在し、これらは、２１５５６４７、２３５５８７５、３２２３８６７、３２２４６４６、３４８２６９９、またはＭａｍｍ−Ｘの遺伝子における損傷を検出するために使用され得る。好ましい生物学的サンプルは、従来手段によって被験体から単離された末梢血白血球サンプルである。しかし、核酸を含む任意の生物学的サンプルが使用され得、これには、例えば、頬粘膜細胞が挙げられる。
【０１８６】
特定の実施態様において、損傷の検出は、ポリメラーゼ連鎖反応（ＰＣＲ）におけるプローブ／プライマーの使用を包含する（例えば、米国特許第４，６８３，１９５号および同４，６８３，２０２号を参照のこと）（例えば、アンカーＰＣＲまたはＲＡＣＥ  ＰＣＲ）あるいは、連結連鎖反応（ＬＣＲ）（例えば、Ｌａｎｄｅｇｒａｎら（１９８８）Ｓｃｉｅｎｃｅ  ２４１：１０７７−１０８０；およびＮａｋａｚａｗａら（１９９４）ＰＮＡＳ  ９１：３６０−３６４）を参照のこと。後者は、２１５５６４７、２３５５８７５、３２２３８６７、３２２４６４６、３４８２６９９、またはＭａｍｍ−Ｘの遺伝子における点変異を検出するために特に有用であり得る）（Ａｂｒａｖａｙａら（１９９５）ＮｕｃｌＡｃｉｄｓ  Ｒｅｓ  ２３：６７５−６８２を参照のこと）。この方法は、患者から細胞のサンプルを収集する工程、核酸（例えば、ゲノム、ｍＲＮＡまたはその両方）をそのサンプルの細胞から単離する工程、２１５５６４７、２３５５８７５、３２２３８６７、３２２４６４６、３４８２６９９、またはＭａｍｍ−Ｘの遺伝子に特異的にハイブリダイズする１つ以上のプライマーと、その核酸サンプルとを２１５５６４７、２３５５８７５、３２２３８６７、３２２４６４６、３４８２６９９、またはＭａｍｍ−Ｘの遺伝子のハイブリダイゼーションおよび増幅が（存在する場合）生じるような条件下で、接触させる工程、ならびに増幅産物の存在もしくは非存在を検出する工程、またはその増幅産物の大きさを検出する工程およびその大きさをコントロールサンプルと比較する工程を包含し得る。ＰＣＲおよび／またはＬＣＲは、本明細書に記載される変異を検出するために使用される技術のいずれかとともに予備的増幅工程として使用されるために所望され得ることが予想される。
【０１８７】
代替的な増幅方法としては、以下が挙げられる：自己維持配列複製（Ｇｕａｔｅｌｌｉら、１９９０、Ｐｒｏｃ  Ｎａｔｌ  Ａｃａｄ  Ｓｃｉ  ＵＳＡ  ８７：１８７４−１８７８）、転写増幅系（Ｋｗｏｈ、ら、１９８９、Ｐｒｏｃ  Ｎａｔｌ  Ａｃａｄ  Ｓｃｉ  ＵＳＡ  ８６：１１７３−１１７７）、Ｑ−βレプリカーゼ（Ｌｉｚａｒｄｉら、１９８８、ＢｉｏＴｅｃｈｎｏｌｏｇｙ  ６：１１９７）、または他の任意の核酸増幅方法、それに続いて、当業者に周知な技術を用いたその増幅された分子の検出。これらの検出スキームは、そのような分子が非常に極少数で存在する場合、核酸分子の検出のために特に有用である。
【０１８８】
代替の実施態様において、サンプル細胞からの２１５５６４７、２３５５８７５、３２２３８６７、３２２４６４６、３４８２６９９、またはＭａｍｍ−Ｘの遺伝子における変異は、制限酵素切断パターンにおける変更によって同定され得る。例えば、サンプルおよびコントロールのＤＮＡが単離され、増幅され（必要に応じて）、１つ以上の制限エンドヌクレアーゼを用いて消化され、そしてフラグメント長の大きさがゲル電気泳動によって決定され、そして比較される。サンプルＤＮＡとコントロールＤＮＡとの間のフラグメント長の大きさにおける差違は、そのサンプルＤＮＡにおける変異を示す。さらに、配列特異的なリボザイムの使用（例えば、米国特許第５，４９３，５３１号を参照のこと）を使用して、リボザイム切断部位の発生または喪失によって特異的な変異の存在についてスコア付けし得る。
【０１８９】
他の実施態様において、２１５５６４７、２３５５８７５、３２２３８６７、３２２４６４６、３４８２６９９、またはＭａｍｍ−Ｘにおける遺伝的変異は、サンプル核酸およびコントロール核酸（例えば、ＤＮＡまたはＲＮＡ）を、数百または数千のオリゴヌクレオチドプローブを含む高密度アレイに対してハイブリダイズさせることによって同定され得る（Ｃｒｏｎｉｎら（１９９６）Ｈｕｍａｎ  Ｍｕｔａｔｉｏｎ  ７：２４４−２５５；Ｋｏｚａｌら（１９９６）Ｎａｔｕｒｅ  Ｍｅｄｉｃｉｎｅ  ２：７５３−７５９）。例えば、２１５５６４７、２３５５８７５、３２２３８６７、３２２４６４６、３４８２６９９、またはＭａｍｍ−Ｘにおける遺伝的変異は、Ｃｒｏｎｉｎら、上記のように光生成ＤＮＡプローブを含む二次元アレイにおいて同定され得る。手短には、第一のプローブハイブリダイゼーションアレイを用いて、サンプルおよびコントロールにおける長いストレッチのＤＮＡを通じて走査して、連続的に重複するプローブの線形アレイを作成することによってその配列の間の塩基変化を同定し得る。この工程は、点変異の同定を可能にする。この工程に続いて、検出される全ての改変体または変異体に相補的な、より小さな特化されたプローブアレイを用いて、特定の変異の特徴付けを可能にする第二のハイブリダイゼーションアレイがある。各変異アレイは、一方が野生型遺伝子に対して相補的であり、そして他方が変異遺伝子に対して相補である並行プローブセットから構成される。
【０１９０】
なお別の実施態様において、当該分野で公知の種々の配列決定反応のいずれかを使用して、２１５５６４７、２３５５８７５、３２２３８６７、３２２４６４６、３４８２６９９、またはＭａｍｍ−Ｘの遺伝子を直接配列決定し得、そしてサンプルの２１５５６４７、２３５５８７５、３２２３８６７、３２２４６４６、３４８２６９９、またはＭａｍｍ−Ｘの配列と、対応する野生型（コントロール）配列とを比較することによって変異を検出し得る。配列決定反応の例としては、ＭａｘａｍおよびＧｉｌｂｅｒｔ（１９７７）ＰＮＡＳ  ７４：５６０またはＳａｎｇｅｒ（１９７７）ＰＮＡＳ  ７４：５４６３によって開発された技術に基づくものが挙げられる。診断アッセイを実施する場合、種々の自動化配列決定手順のいずれかを利用し得ることもまた意図される（Ｎａｅｖｅら、（１９９５）Ｂｉｏｔｅｃｈｎｉｑｕｅｓ  １９：４４８）。これらには、質量分析法による配列決定法（例えば、ＰＣＴ国際公開番号ＷＯ  ９４／１６１０１；Ｃｏｈｅｎら（１９９６）Ａｄｖ  Ｃｈｒｏｍａｔｏｇｒ  ３６：１２７−１６２；およびＧｒｉｆｆｉｎら（１９９３）Ａｐｐｌ  Ｂｉｏｃｈｅｍ  Ｂｉｏｔｅｃｈｎｏｌ  ３８  ：１４７−１５９を参照のこと）が含まれる。
【０１９１】
２１５５６４７、２３５５８７５、３２２３８６７、３２２４６４６、３４８２６９９、またはＭａｍｍ−Ｘの遺伝子における変異を検出するための他の方法としては、切断薬剤からの保護を使用して、ＲＮＡ／ＲＮＡもしくはＲＮＡ／ＤＮＡのヘテロ二重鎖におけるミスマッチ塩基を検出する方法が挙げられる（Ｍｙｅｒｓら（１９８５）Ｓｃｉｅｎｃｅ  ２３０：１２４２）。一般に、「ミスマッチ切断」の当該分野の技術は、野生型の２１５５６４７、２３５５８７５、３２２３８６７、３２２４６４６、３４８２６９９、またはＭａｍｍ−Ｘの配列を含む（標識された）ＲＮＡまたはＤＮＡを、組織サンプルから得られた潜在的な変異体ＲＮＡまたはＤＮＡとハイブリダイズさせることによって形成されるヘテロ二重鎖を提供することによって始まる。この二本鎖二重鎖を、二重鎖の一本鎖領域（例えば、そのコントロールとサンプルの鎖との間の塩基対ミスマッチに起因して存在するもの）を切断する薬剤を用いて処理する。例えば、ＲＮＡ／ＤＮＡ二重鎖を、ＲＮａｓｅを用いて消化し得、そしてＤＮＡ／ＤＮＡハイブリッドを、そのミスマッチ領域を酵素的に処理することに対してＳ１ヌクレアーゼを用いて処理し得る。他の実施態様において、ＤＮＡ／ＤＮＡまたはＲＮＡ／ＤＮＡのいずれかの二重鎖を、ミスマッチ領域を消化するために、ヒドロキシルアミンまたは四酸化オスミウムおよびピペリジンを用いて処理し得る。次いで、そのミスマッチ領域の消化後、得られた材料を変性ポリアクリルアミドゲルにおいて大きさにより分離して、変異の部位を決定する。例えば、Ｃｏｔｔｏｎら（１９８８）Ｐｒｏｃ  Ｎａｔｌ  Ａｃａｄ  Ｓｃｉ  ＵＳＡ  ８５：４３９７；Ｓａｌｅｅｂａら（１９９２）Ｍｅｔｈｏｄｓ  Ｅｎｚｙｍｏｌ  ２１７：２８６−２９５を参照のこと。１つの実施態様において、コントロールのＤＮＡまたはＲＮＡは、検出のために標識され得る。
【０１９２】
なお別の実施態様において、ミスマッチ切断反応は、二本鎖ＤＮＡにおけるミスマッチ塩基対を認識する１つ以上のタンパク質（いわゆる「ＤＮＡミスマッチ修復」酵素）を、細胞のサンプルから得られた２１５５６４７、２３５５８７５、３２２３８６７、３２２４６４６、３４８２６９９またはＭａｍｍ−Ｘ  ｃＤＮＡにおける点変異を検出およびマッピングするために規定された系において使用する。例えば、Ｅ．ｃｏｌｉのｍｕｔＹ酵素は、Ｇ／ＡミスマッチでＡを切断し、そしてＨｅＬａ細胞からのチミジンＤＮＡグリコシダーゼは、Ｇ／ＴミスマッチでＴを切断する（Ｈｓｕら（１９９４）Ｃａｒｃｉｎｏｇｅｎｅｓｉｓ  １５：１６５７〜１６６２）。例示的な実施態様に従って、２１５５６４７、２３５５８７５、３２２３８６７、３２２４６４６、３４８２６９９またはＭａｍｍ−Ｘの配列（例えば、野生型２１５５６４７、２３５５８７５、３２２３８６７、３２２４６４６、３４８２６９９またはＭａｍｍ−Ｘの配列）は、試験細胞由来のｃＤＮＡまたは他のＤＮＡ産物にハイブリダイズされる。二重鎖は、ＤＮＡミスマッチ修復酵素を用いて処理され、そしてその切断産物は、もしあれば、電気泳動プロトコルなどから検出され得る。例えば、米国特許第５，４５９，０３９号を参照のこと。
【０１９３】
他の実施態様において、電気泳動の移動度における変化は、２１５５６４７、２３５５８７５、３２２３８６７、３２２４６４６、３４８２６９９またはＭａｍｍ−Ｘの遺伝子における変異を同定するために使用される。例えば、一本鎖配座多型（ＳＳＣＰ）は、変異体と野生型核酸との間の電気泳動の移動度における差異を検出するために使用され得る（Ｏｒｉｔａら（１９８９）Ｐｒｏｃ  Ｎａｔｌ  Ａｃａｄ  Ｓｃｉ  ＵＳＡ：８６：２７６６、またＣｏｔｔｏｎ（１９９３）Ｍｕｔａｔ  Ｒｅｓ  ２８５：１２５〜１４４；Ｈａｙａｓｈｉ（１９９２）Ｇｅｎｅｔ  Ａｎａｌ  Ｔｅｃｈ  Ａｐｐｌ  ９：７３〜７９を参照のこと）。サンプルおよびコントロール２１５５６４７、２３５５８７５、３２２３８６７、３２２４６４６、３４８２６９９またはＭａｍｍ−Ｘの核酸の一本鎖ＤＮＡフラグメントは、変性され、そして再生させる。一本鎖核酸の二次構造は、配列に従って変化し、電気泳動の移動度において得られる変化は、１つの塩基変化さえも検出し得る。ＤＮＡフラグメントは、標識され得るか、または標識されたプローブを用いて検出され得る。アッセイの感度は、（ＤＮＡよりもむしろ）ＲＮＡを使用することによって増強され得、この二次構造は、配列中の変化に対してより感受的である。１つの実施態様において、本発明の方法は、ヘテロ二重鎖分析を利用して、電気泳動の移動度における変化に基づいて二本鎖のヘテロ二重鎖分子を分離する（Ｋｅｅｎら（１９９１）Ｔｒｅｎｄｓ  Ｇｅｎｅｔ  ７：５）。
【０１９４】
なお別の実施態様において、一定勾配の変性剤を含有するポリアクリルアミドゲルにおける変異体または野生型フラグメントの移動は、変性勾配ゲル電気泳動（ＤＧＧＥ）を使用してアッセイされる（Ｍｙｅｒｓら（１９８５）Ｎａｔｕｒｅ  ３１３：４９５）。ＤＧＧＥが分析の方法として使用される場合、ＤＮＡを改変して、例えば、ＰＣＲにより約４０ｂｐの高融点ＧＣリッチＤＮＡのＧＣクランプを付加することによって、完全に変性されないことを確実する。さらなる実施態様において、温度勾配は、コントロールおよびサンプルＤＮＡの移動度における差異を同定するために、変性剤勾配の代わりに使用される（ＲｏｓｅｎｂａｕｍおよびＲｅｉｓｓｎｅｒ（１９８７）Ｂｉｏｐｈｙｓ  Ｃｈｅｍ  ２６５：１２７５３）。
【０１９５】
点変異を検出するための他の技術の例としては、以下が挙げられるがこれらに限定されない：選択的オリゴヌクレオチドハイブリダイゼーション、選択的増幅、または選択的プライマー伸長。例えば、オリゴヌクレオチドプライマーは、既知の変異が中心的に配置されるように調製され得、次いで、完全なマッチが見出される場合にのみハイブリダイゼーションを許容する条件下で標的ＤＮＡにハイブリダイズされる（Ｓａｉｋｉら（１９８６）Ｎａｔｕｒｅ  ３２４：１６３）；Ｓａｉｋｉら（１９８９）Ｐｒｏｃ  Ｎａｔｌ  Ａｃａｄ  Ｓｃｉ  ＵＳＡ  ８６：６２３０）。このような対立遺伝子特異的オリゴヌクレオチドは、オリゴヌクレオチドがハイブリダイズする膜に付着され、そして標識された標的ＤＮＡとハイブリダイズされる場合に、ＰＣＲ増幅された標的ＤＮＡまたは多くの異なる変異にハイブリダイズされる。
【０１９６】
あるいは、選択的ＰＣＲ増幅に依存する対立遺伝子特異的増幅技術は、本発明と合わせて使用され得る。特異的増幅についてのプライマーとして使用されるオリゴヌクレオチドは、分子の中心において（その結果、増幅は、差次的ハイブリダイゼーションに依存する）（Ｇｉｂｂｓら（１９８９）Ｎｕｃｌｅｉｃ  Ａｃｉｄｓ  Ｒｅｓ  １７：２４３７〜２４４８）かもしくは適切な条件下でミスマッチが妨げされ得るかまたはポリメラーゼ伸長を減少し得る、１つのプライマーの極端な３’末端で、目的の変異を保有する（Ｐｒｏｓｓｎｅｒ（１９９３）Ｔｉｂｔｅｃｈ  １１：２３８）。さらに、変異の領域において新規な制限部位を導入することは、切断に基づく検出を行うために望ましくあり得る（Ｇａｓｐａｒｉｎｉら（１９９２）Ｍｏｌ  Ｃｅｌｌ  Ｐｒｏｂｅｓ  ６：１）。特定の実施態様において、増幅はまた、Ｔａｑリガーゼを使用して実施され得ることが予測される（Ｂａｒａｎｙ（１９９１）Ｐｒｏｃ  Ｎａｔｌ  Ａｃａｄ  Ｓｃｉ  ＵＳＡ  ８８：１８９）。このような場合において、連結は、５’配列の３’末端に完全なマッチが存在する場合にのみ生じ、それを増幅の存在または非存在を探索することによって特定の部位で公知の変異の存在を検出することを可能にする。
【０１９７】
本明細書中に記載される方法は、例えば、本明細書中に記載れる少なくとも１つのプローブ核酸または抗体試薬を含む、予めパッケージングされた診断キットを利用することによって実施され得、これは、例えば、２１５５６４７、２３５５８７５、３２２３８６７、３２２４６４６、３４８２６９９もしくはＭａｍｍ−Ｘの遺伝子を含む疾患または疾病の症状または家族履歴を示す患者を診断するための臨床的設定において簡便に使用され得る。
【０１９８】
さらに、２１５５６４７、２３５５８７５、３２２３８６７、３２２４６４６、３４８２６９９またはＭａｍｍ−Ｘが発現される任意の細胞型または組織（好ましくは、末梢血白血球）は、本明細書中に記載される予後アッセイにおいて利用され得る。しかし、有核細胞を含む任意の生物学的サンプル（例えば、頬粘膜細胞を含む）が、使用され得る。
【０１９９】
（薬理ゲノム学（Ｐｈａｒｍａｃｏｇｅｎｏｍｉｃｓ））
２１５５６４７、２３５５８７５、３２２３８６７、３２２４６４６、３４８２６９９またはＭａｍｍ−Ｘの活性（例えば、２１５５６４７、２３５５８７５、３２２３８６７、３２２４６４６、３４８２６９９またはＭａｍｍ−Ｘの遺伝子発現）に対する刺激性または阻害性の影響を有する因子、または調節因子は、本明細書中に記載されるスクリーニングアッセイによって同定されるように、異常な２１５５６４７、２３５５８７５、３２２３８６７、３２２４６４６、３４８２６９９またはＭａｍｍ−Ｘの活性に関連する障害（例えば、癌または妊娠性障害）を処置（予防的または治療的に）するために個体に投与され得る。このような処置と合わせて、個体の薬理ゲノム学（すなわち、個体の遺伝子型と外来薬物または薬物に対するその個体の応答との間の関係についての研究）が、考慮され得る。治療剤の代謝における差異は、薬理学的に活性な薬物の用量と血中濃度との間の関係を変更することによって、毒性および治療の失敗を重篤にし得る。従って、個体の薬理ゲノム学は、個体の遺伝子型の考慮に基づく予防的または治療的処置のために有効な薬剤（例えば、薬物）の選択を許容する。このような薬理ゲノム学は、さらに、適切な投薬量および治療剤レジメンを決定するために使用され得る。従って、２１５５６４７、２３５５８７５、３２２３８６７、３２２４６４６、３４８２６９９またはＭａｍｍ−Ｘのタンパク質の活性、２１５５６４７、２３５５８７５、３２２３８６７、３２２４６４６、３４８２６９９またはＭａｍｍ−Ｘの核酸の発現、あるいは個体における２１５５６４７、２３５５８７５、３２２３８６７、３２２４６４６、３４８２６９９またはＭａｍｍ−Ｘの遺伝子の変異含量が決定されて、それによって個体の治療的または予防的処置のために適切な薬剤を選択し得る。
【０２００】
薬理ゲノム学は、罹患された人において変更された薬物の性質および異常な作用に起因する薬物への応答において臨床的に有意な遺伝性バリエーションを扱う。例えば、Ｅｉｃｈｅｌｂａｕｍ、Ｃｌｉｎ  Ｅｘｐ  Ｐｈａｒｍａｃｏｌ  Ｐｈｙｓｔｏｌ，１９９６，２３：９８３〜９８５およびＬｉｎｄｅｒ、Ｃｌｉｎ  Ｃｈｅｍ，１９９７，４３：２５４〜２６６を参照のこと。一般に、２つの型の薬理ゲノム学状態が、区別され得る。遺伝的状態は、薬物が身体に作用する方法を変更する１つの因子として伝達されたか（変更された薬物作用）、または遺伝的状態は、身体が薬物に作用する方法を変更する１つの因子として伝達された（変更された薬物代謝）。これらの薬理ゲノム学状態は、稀な欠損としてかまたは多型としてのいずれかで生じ得る。例えば、グルコース−６−リン酸デヒドロゲナーゼ（Ｇ６ＰＤ）欠損は、一般的な遺伝性酵素病であり、この主な臨床的合併症は、酸化剤薬物（抗マラリア剤、スルホンアミド、鎮痛薬、ニトロフラン）の摂取およびソラマメの摂取（ｃｏｎｓｏｍｐｔｉｏｎ）後の溶血である。
【０２０１】
例示的な実施態様として、薬物代謝酵素の活性は、薬物作用の強度および期間の両方の主要な決定因子である。薬物代謝酵素（例えば、Ｎ−アセチルトランスフェラーゼ２（ＮＡＴ２）およびシトクロムＰ４５０酵素ＣＹＰ２Ｄ６およびＣＹＰ２Ｃ１９）の遺伝的多型の発見は、幾人かの患者が予期される薬物効果を得ないか、または薬物の標準的かつ安全な用量を摂取した後に過大な薬物応答および深刻な毒性を示さないことに関しての説明を提供する。これらの多型は、集団において２つの表現型（高い代謝能を持つ人（ｅｘｔｅｎｓｉｖｅ  ｍｅｔａｂｏｌｉｚｅｒ）（ＥＭ）および低い代謝能を持つ人（ｐｏｏｒ  ｍｅｔａｂｏｌｉｚｅｒ）（ＰＭ））で発現される。ＰＭの罹患率は、異なる集団の間で異なる。例えば、ＣＹＰ２Ｄ６をコードする遺伝子は高度に多型であり、そしていくらかの変異がＰＭにおいて同定されており、この全ては機能的ＣＹＰ２Ｄ６の非存在に至る。ＣＹＰ２Ｄ６およびＣＹＰ２Ｃ１９の低い代謝能を持つ人は、彼らが標準的な用量を受ける場合に、かなり頻繁に過大な薬物応答および副作用を経験する。代謝産物が活性な治療的部分である場合、そのＣＹＰ２Ｄ６形成代謝産物であるモルヒネによって媒介されるコデインの鎮痛効果について実証されるように、ＰＭは治療的応答を示さない。他の極端なものは、標準的な用量に応答しない、いわゆる超迅速な代謝能を持つ人である。最近、超迅速な代謝の基準となる分子は、ＣＹＰ２Ｄ６遺伝子増幅に起因していることが同定されている。
【０２０２】
従って、２１５５６４７、２３５５８７５、３２２３８６７、３２２４６４６、３４８２６９９またはＭａｍｍ−Ｘのタンパク質の活性、２１５５６４７、２３５５８７５、３２２３８６７、３２２４６４６、３４８２６９９またはＭａｍｍ−Ｘの核酸の発現、あるいは個体における２１５５６４７、２３５５８７５、３２２３８６７、３２２４６４６、３４８２６９９またはＭａｍｍ−Ｘの遺伝子の変異内容を決定されて、それによって、その個体の治療的および予防的処置のために適切な薬剤を選択し得る。さらに、薬理ゲノム学の研究を使用して、個体の薬物応答性の表現型の同定に対して薬物代謝酵素をコードする多型対立遺伝子の遺伝子型を適用し得る。この知見は、用量または薬物選択に適用される場合、有害な反応または治療の失敗を回避し得、従って、被験体を２１５５６４７、２３５５８７５、３２２３８６７、３２２４６４６、３４８２６９９またはＭａｍｍ−Ｘの調節因子（例えば、本明細書中に記載される例示的なスクリーニングアッセイの１つによって同定される調節因子）を用いて処置する場合に治療的または予防的効率を増強し得る。
【０２０３】
（臨床試験の間の効果のモニタリング）
２１５５６４７、２３５５８７５、３２２３８６７、３２２４６４６、３４８２６９９またはＭａｍｍ−Ｘの発現または活性（例えば、異常な細胞増殖および／または分化を調節する能力）に対する薬剤（例えば、薬物、化合物）の影響をモニタリングすることは、基本的なスクリーニングにおいてのみならず、臨床試験においてもまた適用され得る。例えば、２１５５６４７、２３５５８７５、３２２３８６７、３２２４６４６、３４８２６９９もしくはＭａｍｍ−Ｘの遺伝子発現、タンパク質レベルを増加するため、または２１５５６４７、２３５５８７５、３２２３８６７、３２２４６４６、３４８２６９９もしくはＭａｍｍ−Ｘの活性をアップレギュレートするために、本明細書中に記載されるようなスクリーニングアッセイによって決定される薬剤の効力は、減少した２１５５６４７、２３５５８７５、３２２３８６７、３２２４６４６、３４８２６９９もしくはＭａｍｍ−Ｘの遺伝子発現、タンパク質レベル、またはダウンレギュレートした２１５５６４７、２３５５８７５、３２２３８６７、３２２４６４６、３４８２６９９もしくはＭａｍｍ−Ｘの活性を示す被験体の臨床試験においてモニターされ得る。あるいは、２１５５６４７、２３５５８７５、３２２３８６７、３２２４６４６、３４８２６９９もしくはＭａｍｍ−Ｘの遺伝子発現、タンパク質レベルを減少、または２１５５６４７、２３５５８７５、３２２３８６７、３２２４６４６、３４８２６９９もしくはＭａｍｍ−Ｘの活性をダウンレギュレートするためのスクリーニングアッセイによって決定される薬剤の効力は、増加した２１５５６４７、２３５５８７５、３２２３８６７、３２２４６４６、３４８２６９９もしくはＭａｍｍ−Ｘの遺伝子発現、タンパク質レベル、またはアップレギュレートした２１５５６４７、２３５５８７５、３２２３８６７、３２２４６４６、３４８２６９９もしくはＭａｍｍ−Ｘの活性を示す被験体の臨床試験においてモニターされ得る。このような臨床試験において、２１５５６４７、２３５５８７５、３２２３８６７、３２２４６４６、３４８２６９９もしくはＭａｍｍ−Ｘの発現または活性、および好ましくは、例えば細胞性増殖に関与している他の遺伝子が、「読み出し（ｒｅａｄ  ｏｕｔ）」マーカーまたは特定の細胞の免疫応答のマーカーとして使用され得る。
【０２０４】
例えば、限定の目的ではないが、２１５５６４７、２３５５８７５、３２２３８６７、３２２４６４６、３４８２６９９またはＭａｍｍ−Ｘを含む遺伝子（これは、２１５５６４７、２３５５８７５、３２２３８６７、３２２４６４６、３４８２６９９またはＭａｍｍ−Ｘの活性（例えば、本明細書中に記載されるようなスクリーニングアッセイにおいて同定される）を調節する薬剤（例えば、化合物、薬物または低分子）を用いる処置によって細胞内で調節される）が、同定され得る。従って、細胞性増殖障害に対する薬剤の効果を研究するために、例えば、臨床試験において，細胞が単離され得、そしてＲＮＡが調製され得、そして２１５５６４７、２３５５８７５、３２２３８６７、３２２４６４６、３４８２６９９またはＭａｍｍ−Ｘおよびこの障害に関与する他の遺伝子の発現のレベルについて分析され得る。遺伝子発現のレベル（すなわち、遺伝子発現パターン）は、本明細書中に記載されるように、ノーザンブロット分析もしくはＲＴ−ＰＣＲによるか、あるいは産生されるタンパク質の量を測定することによるか、本明細書中に記載されるような方法の１つによるか、あるいは２１５５６４７、２３５５８７５、３２２３８６７、３２２４６４６、３４８２６９９もしくはＭａｍｍ−Ｘまたは他の遺伝子の活性のレベルを測定することによって、定量され得る。この方法において、この遺伝子パターンは、この薬剤に対する細胞の生理学的応答の指標であるマーカーとして、作用し得る。従って、この応答状態は、この薬剤を用いる個体の処置の前に、そして処置の間の種々の時点で、決定され得る。
【 ０２０５】
１つの実施態様において、本発明は、薬剤（例えば、アゴニスト、アンタゴニスト、タンパク質、ペプチド、ペプチド模倣物、核酸、低分子、または本明細書中に記載されるスクリーニングアッセイによって同定される他の薬物候補物）を用いて被験体の処置の効力をモニタリングするための方法を提供し、これは、以下の工程を包含する：（ｉ）薬剤の投与の前に、被験体から投与前サンプルを得る工程；（ｉｉ）この投与前サンプルにおいて、２１５５６４７、２３５５８７５、３２２３８６７、３２２４６４６、３４８２６９９もしくはＭａｍｍ−Ｘのタンパク質、ｍＲＮＡ、またはゲノムＤＮＡの発現のレベルを検出する工程；（ｉｉｉ）この被験体から１つ以上の投与後サンプルを得る工程；（ｉｖ）この投与後サンプルにおいて、２１５５６４７、２３５５８７５、３２２３８６７、３２２４６４６、３４８２６９９もしくはＭａｍｍ−Ｘのタンパク質、ｍＲＮＡ、またはゲノムＤＮＡの発現または活性のレベルを検出する工程；（ｖ）この投与前サンプルにおける２１５５６４７、２３５５８７５、３２２３８６７、３２２４６４６、３４８２６９９もしくはＭａｍｍ−Ｘのタンパク質、ｍＲＮＡ、またはゲノムＤＮＡの発現または活性のレベルを、この投与後サンプルにおける２１５５６４７、２３５５８７５、３２２３８６７、３２２４６４６、３４８２６９９もしくはＭａｍｍ−Ｘのタンパク質、ｍＲＮＡ、またはゲノムＤＮＡの発現または活性のレベルと比較する工程；ならびに（ｖｉ）従って、この被験体に対する薬剤の投与を変更する工程。例えば、この薬剤の増加した投与は、検出されるよりも高いレベルに２１５５６４７、２３５５８７５、３２２３８６７、３２２４６４６、３４８２６９９もしくはＭａｍｍ−Ｘの発現または活性を増加するために（すなわち、この薬剤の効力を増加するために）望ましくあり得る。あるいは、この薬剤の減少した投与は、検出されるよりも低いレベルに２１５５６４７、２３５５８７５、３２２３８６７、３２２４６４６、３４８２６９９もしくはＭａｍｍ−Ｘの発現または活性を減少するために（すなわち、この薬剤の効力を減少するために）望ましくあり得る。
【０２０６】
（処置の方法）
本発明は、異常な２１５５６４７、２３５５８７５、３２２３８６７、３２２４６４６、３４８２６９９もしくはＭａｍｍ−Ｘの発現または活性に関連する障害の危険性のある（すなわち疑いのある）か、またはこの障害を有する被験体を処置する予防的および治療的方法の両方を提供する。
【０２０７】
（障害）
（その疾患または障害に罹患していない被験体と比較して）増加したレベルまたは生物学的活性によって特徴付けられる疾患または障害は、活性をアンタゴナイズする（すなわち、低減または阻害する）治療剤を用いて処置され得る。活性をアンタゴナイズする治療剤は、治療的または予防的様式で、投与され得る。利用され得る治療剤としては、以下が挙げられるが、これらに限定されない：（ｉ）上述のペプチド、あるいはそのアナログ、誘導体、フラグメントまたはホモログ；（ｉｉ）上述のペプチドに対する抗体；（ｉｉｉ）上述のペプチドをコードする核酸；（ｉｖ）アンチセンス核酸および「機能不全性」である（すなわち、上述のペプチドのコード配列内の異種挿入物に起因する）核酸の投与が、相同組換えによって上述のペプチドの内因性機能を「ノックアウトする」ために利用される（例えば、Ｃａｐｅｃｃｈｉ、１９８９、Ｓｃｉｅｎｃｅ  ２４４：１２８８〜１２９２を参照のこと）；または（ｖ）上述のペプチドとその結合パートナーとの間の相互作用を変化させる、調節因子（すなわち、インヒビター、アゴニストおよびアンタゴニスト（本発明のさらなるペプチド模倣物または本発明のペプチドに対して特異的な抗体を含む））。
【０２０８】
（その疾患または障害に罹患していない被験体と比較して）減少したレベルまたは生物学的活性によって特徴付けられる疾患または障害は、活性を増加させる（すなわち、活性に対するアゴニストである）治療剤を用いて処置され得る。活性をアップレギュレートする治療剤は、治療的または予防的様式で、投与され得る。利用され得る治療剤としては、以下が挙げられるが、これらに限定されない：上述のペプチド、あるいはそのアナログ、誘導体、フラグメントまたはホモログ；あるいはバイオアベイラビリティーを増加させるアゴニスト。
【０２０９】
増加したレベルまたは減少したレベルは、ペプチドおよび／またはＲＮＡを定量することによって、容易に検出され得る。この定量は、患者の組織サンプルを（例えば、生検組織から）入手し、そしてそのサンプルを、その発現したペプチドのＲＮＡレベルまたはペプチドレベル、構造および／または活性（あるいは上述のペプチドのｍＲＮＡ）をインビボでアッセイすることによる。当該分野において周知の方法としては、以下が挙げられるが、これらに限定されない：イムノアッセイ（例えば、ウェスタンブロット分析、ドデシル硫酸ナトリウム（ＳＤＳ）ポリアクリルアミドゲル電気泳動後の免疫沈降、免疫細胞学などによる）および／またはｍＲＮＡの発現を検出するためのハイブリダイゼーションアッセイ（例えば、ノーザンアッセイ、ドットブロット、インサイチュハイブリダイゼーションなど）。
【０２１０】
（予防的方法）
１つの局面において、本発明は、被験体において、異常な、２１５５６４７、２３５５８７５、３２２３８６７、３２２４６４６、３４８２６９９、またはＭａｍｍ−Ｘの、発現または活性と関連する疾患または状態を、以下を調節する薬剤を被験体に投与することによって予防するための方法を提供する：２１５５６４７、２３５５８７５、３２２３８６７、３２２４６４６、３４８２６９９、またはＭａｍｍ−Ｘの発現、あるいは少なくとも１つの２１５５６４７、２３５５８７５、３２２３８６７、３２２４６４６、３４８２６９９、またはＭａｍｍ−Ｘの活性。異常な、２１５５６４７、２３５５８７５、３２２３８６７、３２２４６４６、３４８２６９９、またはＭａｍｍ−Ｘの、発現または活性によって引き起こされるかまたはこれらに起因する、疾患にかかる危険がある被験体は、例えば、本明細書中に記載の診断アッセイまたは予後アッセイのいずれか、あるいはそれらの組み合わせによって、同定され得る。予防薬剤の投与は、疾患または障害が予防されるか、あるいはその進行を遅らせられるように、この２１５５６４７、２３５５８７５、３２２３８６７、３２２４６４６、３４８２６９９、またはＭａｍｍ−Ｘの異常を特徴とする症状の発現の前に生じ得る。この２１５５６４７、２３５５８７５、３２２３８６７、３２２４６４６、３４８２６９９、またはＭａｍｍ−Ｘの異常の型に依存して、例えば、２１５５６４７、２３５５８７５、３２２３８６７、３２２４６４６、３４８２６９９、またはＭａｍｍ−Ｘのアゴニスト薬剤、あるいは２１５５６４７、２３５５８７５、３２２３８６７、３２２４６４６、３４８２６９９、またはＭａｍｍ−Ｘのアンタゴニスト薬剤が、その被験体を処置するために使用され得る。その適切な薬剤は、本明細書中に記載のスクリーニングアッセイに基づいて、決定され得る。本発明の予防方法は、以下の小区分において、さらに議論される。
【０２１１】
（治療方法）
本発明の別の局面は、治療目的のために、２１５５６４７、２３５５８７５、３２２３８６７、３２２４６４６、３４８２６９９、またはＭａｍｍ−Ｘの、発現または活性を調節する方法に関する。本発明の調節方法は、細胞を、その細胞に関する、２１５５６４７、２３５５８７５、３２２３８６７、３２２４６４６、３４８２６９９、またはＭａｍｍ−Ｘのタンパク質活性の活性のうちの１つ以上を調節する薬剤と接触させる工程を包含する。２１５５６４７、２３５５８７５、３２２３８６７、３２２４６４６、３４８２６９９、またはＭａｍｍ−Ｘのタンパク質活性を調節する薬剤は、本明細書中に記載されるような薬剤であり得る。そのような薬剤は、例えば、２１５５６４７、２３５５８７５、３２２３８６７、３２２４６４６、３４８２６９９、またはＭａｍｍ−Ｘタンパク質の、核酸、タンパク質、これらのタンパク質の天然に存在する同属リガンド、ペプチド、２１５５６４７、２３５５８７５、３２２３８６７、３２２４６４６、３４８２６９９、またはＭａｍｍ−Ｘのペプチド模倣物、あるいは他の低分子である。１つの実施態様において、この薬剤は、２１５５６４７、２３５５８７５、３２２３８６７、３２２４６４６、３４８２６９９、またはＭａｍｍ−Ｘのタンパク質活性のうちの１つ以上を刺激する。このような刺激薬剤の例としては、以下が挙げられる：その細胞に導入された、活性な２１５５６４７、２３５５８７５、３２２３８６７、３２２４６４６、３４８２６９９、またはＭａｍｍ−Ｘのタンパク質、および２１５５６４７、２３５５８７５、３２２３８６７、３２２４６４６、３４８２６９９、またはＭａｍｍ−Ｘをコードする核酸分子。別の実施態様において、この薬剤は、２１５５６４７、２３５５８７５、３２２３８６７、３２２４６４６、３４８２６９９、またはＭａｍｍ−Ｘのタンパク質活性のうちの１つ以上を阻害する。このような阻害薬剤の例としては、２１５５６４７、２３５５８７５、３２２３８６７、３２２４６４６、３４８２６９９、またはＭａｍｍ−Ｘのアンチセンス核酸分子、および抗２１５５６４７抗体、抗２３５５８７５抗体、抗３２２３８６７抗体、抗３２２４６４６抗体、抗３４８２６９９抗体、または抗Ｍａｍｍ−Ｘ抗体が挙げられる。これらの調節方法は、インビトロで（例えば、その薬剤とともにその細胞を培養することによって）、あるいはインビボで（例えば、被験体にその薬剤を投与することによって）、実施され得る。このように、本発明は、２１５５６４７、２３５５８７５、３２２３８６７、３２２４６４６、３４８２６９９、またはＭａｍｍ−Ｘの、タンパク質または核酸分子の、異常な発現または異常な活性によって特徴付けられる、疾患または障害に罹患した個体を処置する方法を提供する。１つの実施態様において、この方法は、２１５５６４７、２３５５８７５、３２２３８６７、３２２４６４６、３４８２６９９、またはＭａｍｍ−Ｘの、発現または活性を調節する（例えば、アップレギュレートまたはダウンレギュレートする）、薬剤（例えば、本明細書中に記載のスクリーニングアッセイによって同定される薬剤）あるいはそのような薬剤の組み合わせを投与する工程を包含する。別の実施態様において、この方法は、２１５５６４７、２３５５８７５、３２２３８６７、３２２４６４６、３４８２６９９、またはＭａｍｍ−Ｘの、タンパク質または核酸分子を、２１５５６４７、２３５５８７５、３２２３８６７、３２２４６４６、３４８２６９９、またはＭａｍｍ−Ｘの、低減したかまたは異常な、発現または活性を補償するための治療として、投与する工程を包含する。
【０２１２】
２１５５６４７、２３５５８７５、３２２３８６７、３２２４６４６、３４８２６９９、またはＭａｍｍ−Ｘの活性の刺激は、２１５５６４７、２３５５８７５、３２２３８６７、３２２４６４６、３４８２６９９、またはＭａｍｍ−Ｘが異常にダウンレギュレートされている状況、および／あるいは２１５５６４７、２３５５８７５、３２２３８６７、３２２４６４６、３４８２６９９、またはＭａｍｍ−Ｘの活性の増加が有益な効果を有するようである状況において、望ましい。このような状況の１つの例は、被験体が、異常な細胞増殖および／または細胞分化によって特徴付けられる障害（例えば、癌）を有する場合である。このような状況の別の例は、被験体が妊娠疾患（例えば、子癇前症）を有する場合である。
【０２１３】
（悪性疾患）
本発明の上記のタンパク質またはポリヌクレオチドは、細胞増殖の調節に関与し得る。従って、本発明の治療剤は、細胞の過剰増殖および／または細胞増殖の制御の欠損（例えば、癌、悪性疾患および腫瘍）に関連する疾患または障害の治療的処置または予防的処置において有用であり得る。そのような過剰増殖障害の総説について、例えば、Ｆｉｓｈｍａｎら、１９８５、ＭＥＤＩＣＩＮＥ、第２版、Ｊ．Ｂ．Ｌｉｐｐｉｎｃｏｔｔ  Ｃｏ．、Ｐｈｉｌａｄｅｌｐｈｉａ、ＰＡを参照のこと。
【０２１４】
本発明の治療剤を、悪性疾患および関連する障害の処置または予防における効力について、当該分野内において公知の任意の方法によってアッセイし得る。そのようなアッセイとしては、形質転換された細胞または患者の腫瘍由来の細胞を利用するインビトロアッセイ、ならびに癌または悪性疾患の動物モデルを使用するインビボアッセイが挙げられるが、これらに限定されない。可能性のある有効な治療剤は、例えば、コントロールと比較して、培養物中での腫瘍由来細胞または形質転換細胞の増殖を阻害するか、または動物モデルにおいて腫瘍の後退を生じる治療剤である。
【０２１５】
本発明の実施において、一旦、悪性疾患または癌が、活性を調節すること（すなわち、阻害するか、アンタゴナイズするか、またはアゴナイズする）による処置に対して感受性であることが示されると、引き続いて、その癌または悪性疾患が、タンパク質機能を調節するように作用する治療剤の投与によって処置または予防され得る。
【０２１６】
（前悪性状態）
癌または悪性疾患の治療または予防処置において有効な本発明の治療剤はまた、前悪性状態の処置および／または前悪性から新生物状態もしくは悪性疾患状態への進行を防ぐための処置のために投与され得る。そのような予防的用途または治療的用途が、先行する新生物または癌への進行が知られているか、またはそれが疑われる状態（特に、過形成、化生、または最も特に、異形成からなる非新生物細胞増殖が生じた場合）において、示される。そのような異常な細胞増殖の総説について、例えば、ＲｏｂｂｉｎｓおよびＡｎｇｅｌｌ、１９７６、ＢＡＳＩＣ  ＰＡＴＨＯＬＯＧＹ、第２版、Ｗ．Ｂ．Ｓａｕｎｄｅｒｓ  Ｃｏ．、Ｐｈｉｌａｄｅｌｐｈｉａ、ＰＡを参照のこと。
【０２１７】
過形成は、細胞の構造または機能における有意な変化なしに、組織または器官における細胞数の増加を含む、制御された細胞の増殖の形成である。例えば、子宮内膜の過形成は、しばしば子宮内膜癌に進行することが実証されている。化生は、成熟した細胞または十分に分化した細胞の１つの型が、成熟した細胞の別の型に置換する、制御された細胞増殖の形成である。化生は、上皮組織細胞または結合組織細胞において生じ得る。異形成は、一般に癌の前駆体であると考えられ、そして上皮において主に見出される。異形成は、非新生物細胞増殖の最も無秩序な形態であり、個々の細胞の均一性および細胞の構築上の配向の損失を含む。異形成は、慢性の刺激または炎症が存在する場所で特徴的に生じ、そしてしばしば、頸部、気道、口腔、および胆嚢において見出される。
【０２１８】
あるいは、または過形成、化生、または異形成として特徴付けられる異常な細胞増殖の存在に代えて、またはこれらに加えて、患者由来の細胞サンプル内で、インビボまたはインビトロのいずれかにおいて示される形質転換表現型または悪性疾患表現型の１つ以上の特徴の存在が、上記のタンパク質の活性を調節する能力を有する治療剤の予防的／治療的投与の望ましさの指標である。形質転換された表現型の特徴としては、以下が挙げられるが、これらに限定されない：（ｉ）形態学的変化；（ｉｉ）よりゆるい、下層への付着；（ｉｉｉ）細胞間接触阻止の喪失；（ｉｖ）足場依存性の喪失；（ｖ）プロテアーゼ放出；（ｖｉ）増加した糖輸送；（ｖｉｉ）減少した血清要求性；（ｖｉｉ）胎児抗原の発現；（ｉｘ）２５０ｋＤａ細胞表面タンパク質の消滅など。例えば、Ｒｉｃｈａｒｄｓら１９８６、ＭＯＬＥＣＵＬＡＲ  ＰＡＴＨＯＬＯＧＹ、Ｗ．Ｂ．Ｓａｕｎｄｅｒｓ  Ｃｏ、Ｐｈｉｌａｄｅｌｐｈｉａ、ＰＡを参照のこと。
【０２１９】
本発明の特定の実施態様において、悪性疾患についての以下の１つ以上の素因を示す患者が、治療剤の有効量の投与によって処置される：（ｉ）悪性疾患に関連する染色体転座（例えば、慢性骨髄性白血病についてのフィラデルフィア染色体（ｂｃｒ／ａｂｌ）および濾胞性リンパ腫についてのｔ（１４；１８）など）；（ｉｉ）家族性ポリープ症またはガードナー症候群（結腸癌の可能性のある前兆）；（ｉｉｉ）未確認の重要性の単一クローン性高ガンマグロブリン血症（多発性骨髄腫の可能性のある前駆体）；ならびに（ｖｉ）メンデル（遺伝子）遺伝パターンを示す癌または前癌疾患（例えば、結腸の家族性ポリープ症、ガードナー症候群、遺伝性外骨腫症、多発性内分泌腺腫症（ｐｏｌｙｅｎｄｏｃｒｉｎｅ  ａｄｅｎｏｍａｔｏｓｉｓ）、ポイツ−ジェガーズ症候群、フォン・レックリングハウゼン病の神経線維腫症、アミロイド産生および褐色細胞腫をともなう甲状腺髄様癌（ｍｅｄｕｌｌａｒｙ  ｔｈｙｒｏｉｄ  ｃａｒｉｃｉｎｏｍａ）、網膜芽細胞腫、頸動脈小体腫瘍、皮膚の黒色癌、眼内の黒色癌、色素性乾皮症、毛細血管拡張性運動失調、チェディアック−東症候群、白子症、ファンコーニ再生不良性貧血およびブルーム症候群）を有する人の一親等。
【０２２０】
別の実施態様において、本発明の治療剤が、ヒト患者に投与されて、乳癌、結腸癌、肺癌、膵臓癌、または子宮癌、あるいは黒色腫または肉腫の進行を防ぐ。
【 ０２２１】
（過剰増殖性障害および異常増殖性（ｄｙｓｐｒｏｌｉｆｅｒａｔｉｖｅ）障害）
本発明の１つの実施態様において、治療剤が、過剰増殖性障害または良性の異常増殖性障害の治療的処置または予防的処置において投与される。過剰増殖性疾患または障害の処置または予防における本発明の治療剤の効力が、当該分野において公知の任意の方法によってアッセイされ得る。そのようなアッセイとしては、インビトロの細胞増殖アッセイ、過剰増殖性疾患または障害の動物モデルを使用するインビトロまたはインビボアッセイなどが挙げられる。可能性のある効果的な治療剤は、例えば、コントロールとの比較において、培養物中の細胞増殖を促進し得るか、あるいは動物モデルにおける増殖または細胞増殖を生じ得る。
【０２２２】
本発明の特定の実施態様は、肝臓の肝硬変（瘢痕が、通常の肝臓再生プロセスを上回る状態）；瘢痕プロセスが通常の再生を妨げる、皮膚の形状を損じることを生じるケロイド（過形成性瘢痕）形成の処置；乾癬（皮膚の過剰な増殖および適切な細胞運命の決定の遅延によって特徴付けられる一般的な皮膚の状態）；良性腫瘍；線維性嚢状態および組織肥厚（例えば、良性膵臓肥厚）の処置または予防に向けられる。
【０２２３】
（神経変性性障害）
２１５５６４７、２３５５８７５、３２２３８６７、３２２４６４６、３４８２６９９、またはＭａｍｍ−Ｘのタンパク質は、細胞成熟の脱調節およびアポトーシス（この両方が神経変性性疾患の特徴である）に関係し得る。従って、本発明の治療剤（限定されることはないが、特に上記のタンパク質の活性を調節（または供給）する治療剤）が、神経変性性疾患の処置または予防において効果的でああり得る。神経変性性障害に関与する上記のタンパク質の活性を調節する本発明の治療剤を、そのような神経変性性疾患または障害を処置または予防することにおける効力について、当該分野において公知の任意の方法によってアッセイし得る。そのようなアッセイとしては、調節された細胞成熟もしくはアポトーシスの阻害についてのインビトロアッセイ、または神経変性性疾患または障害の動物モデルを使用するインビボアッセイ、あるいは以下に記載する任意のアッセイが挙げられる。可能性のある効果的な治療剤は、例えば限定されないが、コントロールと比較して、調節された細胞成熟を促進し、培養物中の細胞アポトーシスを防ぎ、あるいは動物モデルにおける神経変性を減少する。
【０２２４】
一旦、神経変性性疾患または障害が、調節活性による処置に対して感受性であることが示されると、その神経変性性疾患または障害が、活性を調節する治療剤の投与によって処置または予防され得る。そのような疾患としては、加齢に関与する全ての変性性障害（特に、変形性関節症および神経変性性障害）が挙げられる。
【０２２５】
（器官移植に関連する障害）
２１５５６４７、２３５５８７５、３２２３８６７、３２２４６４６、３４８２６９９またはＭａｍｍ−Ｘは、器官移植に関連する障害（特に、限定されないが、器官拒絶反応）に関係し得る。本発明の治療剤（特に、活性を調節（または供給）する治療剤）は、器官移植に関連する疾患または障害の処置または予防において効果的であり得る。本発明の治療剤（特に、上記タンパク質のレベルまたは活性を調節する治療剤）は、このような器官移植に関連する疾患および障害の処置または予防における効力について、当該分野で公知の任意の方法によってアッセイされ得る。このようなアッセイとしては、下記のような細胞培養モデルを使用するインビトロアッセイ、または器官移植に関連する疾患および障害の動物モデルを使用するインビボアッセイが挙げられ、例えば、以下を参照のこと。潜在的に効果的な治療剤は、例えば、限定されないが、コントロールに対して比較して、動物モデルにおける免疫拒絶応答を減少する。
【０２２６】
従って、一旦、器官移植に関連する疾患および障害が、活性の調節による処置に受け入れ可能であることが示されると、このような疾患または障害は、活性を調節する治療剤の投与によって処置または予防され得る。
【０２２７】
（心臓血管疾患）
２１５５６４７、２３５５８７５、３２２３８６７、３２２４６４６、３４８２６９９またはＭａｍｍ−Ｘは、アテローム性動脈硬化症のプラーク形成を含む、心臓血管障害に関係し得る。心臓血管疾患（脳血栓症または脳出血を含む）、虚血性心疾患または虚血性腎疾患、末梢血管疾患、または他の主要な血管の血栓症、および他の疾患（真性糖尿病、高血圧、甲状腺機能不全、コレステロールエステル貯蔵病、全身性エリテマトーデス、ホモシステイン症（ｈｏｍｏｃｙｓｔｅｉｎｅｍｉａ）、および家族性のタンパク質または脂質プロセシング疾患などを含む）のような疾患は、アテローム性動脈硬化症に直接的または間接的に関連する。本発明の治療剤（特に、活性または形成を調節（または供給）する治療剤）は、アテローム性動脈硬化症に関連する疾患または障害の処置または予防に有効であり得る。従って、本発明の治療剤（特に、レベルまたは活性を調節する治療剤）は、このような疾患および障害の処置または予防における効力について、当該分野で公知の任意の方法（以下に記載の方法を含む）によってアッセイされ得る。
【０２２８】
広範な動物モデルおよび細胞培養モデルが、アテローム性動脈硬化症に関与するプロセスについて存在する。動物モデルの限定的かつ非排他的リストは、以下を含む：早発性アテローム性動脈硬化症についてのノックアウトマウス（ＫｕｒａｂａｙａｓｈｉおよびＹａｚａｋｉ，１９９６、Ｉｎｔ．Ａｎｇｉｏｌ．１５：１８７−１９４）、アテローム動脈硬化症のトランスジェニックマウスモデル（Ｋａｐｐｅｌら、１９９４、ＦＡＳＥＢ  Ｊ．８：５８３−５９２）、動物モデルのアンチセンスオリゴヌクレオチド処置（Ｃａｌｌｏｗ，１９９５、Ｃｕｒｒ．Ｏｐｉｎ．Ｃａｒｄｉｏｌ．１０：５６９−５７６）、アテローム性動脈硬化症についてのトランスジェニックウサギモデル（Ｔａｙｌｏｒ，１９９７，Ａｎｎ．Ｎ．Ｙ．Ａｃａｄ．Ｓｃｉ  ８１１：１４６−１５２）、高コレステロール血症動物モデル（Ｒｏｓｅｎｆｅｌｄ，１９９６，Ｄｉａｂｅｔｅｓ  Ｒｅｓ．Ｃｌｉｎ．Ｐｒａｃｔ．３０  Ｓｕｐｐｌ．：１−１１）、高脂血症マウス（Ｐａｉｇｅｎら、１９９４、Ｃｕｒｒ．Ｏｐｉｎ．Ｌｉｐｉｄｏｌ．５：２５８−２６４）、および動物におけるリポキシゲナーゼの阻害（Ｓｉｇａｌら、１９９４、Ａｎｎ．Ｎ．Ｙ．Ａｃａｄ．Ｓｃｉ．７１４：２１１−２２４）。さらに、インビトロ細胞モデルとしては、以下が挙げられるが、これらに限定されない：低密度リポタンパク質に曝露された単球（Ｆｒｏｓｔｅｇａｒｄら、１９９６、Ａｔｈｅｒｏｓｃｌｅｒｏｓｉｓ  １２１：９３−１０３）、クローン化された血管平滑筋細胞（Ｓｕｔｔｌｅｓら、１９９５、Ｅｘｐ．Ｃｅｌｌ  Ｒｅｓ．２１８：３３１−３３８）、化学誘引物質に曝露された内皮細胞由来のＴ細胞（Ｋａｚら、１９９４、Ｊ．Ｌｅｕｋｏｃ．Ｂｉｏｌ．５５：５６７−５７３）、培養されたヒト大動脈内皮細胞（Ｆａｒｂｅｒら、１９９２、Ａｍ．Ｊ．Ｐｈｙｓｉｏｌ．２６２：Ｈ１０８８−１０８５）、および泡沫細胞培養物（Ｌｉｂｂｙら、１９９６、Ｃｕｒｒ  Ｏｐｉｎ  Ｌｉｐｉｄｏｌ  ７：３３０−３３５）。潜在的に効果的な治療剤は、例えば、限定されないが、コントロールに対して比較して、細胞培養モデルにおける泡沫細胞形成、またはアテローム性動脈硬化症の高コレステロール血症マウスモデルにおけるアテローム性動脈硬化症のプラーク形成を減少する。
【０２２９】
従って、一旦、アテローム性動脈硬化症に関連する疾患または障害が、活性または形成の調節による処置に受け入れ可能であることが示されると、このような疾患または障害は、活性を調節する治療剤の投与によって処置または予防され得る。
【０２３０】
（サイトカインおよび細胞増殖／分化活性）
本発明の２１５５６４７、２３５５８７５、３２２３８６７、３２２４６４６、３４８２６９９またはＭａｍｍ−Ｘタンパク質は、サイトカイン活性、細胞増殖活性（誘導するか、または阻害するかのいずれか）、または細胞分化（誘導するか、または阻害するかのいずれか）を示し得るか、あるいは特定の細胞集団における他のサイトカインの産生を誘導し得る。全ての既知のサイトカインを含む、現在までに発見された多くのタンパク質因子は、因子依存性の１以上の細胞増殖アッセイにおいて活性を示し、従って、これらのアッセイは、サイトカイン活性の簡便な確認法として作用する。本発明のタンパク質の活性は、以下を含むが、これらに限定されない細胞株についての多くの従来の因子依存性細胞増殖アッセイの任意の１つによって確認される：３２Ｄ、ＤＡ２、ＤＡ１Ｇ、Ｔ１０、Ｂ９、Ｂ９／１１、ＢａＦ３、ＭＣ９／Ｇ、Ｍ＋（ｐｒｅＢ  Ｍ＋）、２Ｅ８、ＲＢ５、ＤＡ１、１２３、Ｔ１１６５、ＨＴ２、ＣＴＬＬ２、ＴＦ−１、Ｍｏ７ｅおよびＣＭＫ。
【０２３１】
本発明のタンパク質の活性は、数ある方法でもとりわけ、以下の方法によって測定され得る：以下に記載されるアッセイを含むが、これらに限定されない、Ｔ細胞増殖または胸腺細胞増殖についてのアッセイ：Ｃｕｒｒｅｎｔ  Ｐｒｏｔｏｃｏｌｓ  ｉｎ  Ｉｍｍｕｎｏｌｏｇｙ，Ｃｏｌｉｇａｎら編、Ｇｒｅｅｎ  Ｐｕｂｌｉｓｈｉｎｇ  Ａｓｓｏｃｉａｔｅｓ  ａｎｄ  Ｗｉｌｅｙ−Ｉｎｔｅｒｓｃｉｅｎｃｅ（第３章および第７章）；Ｔａｋａｉら、Ｊ  Ｉｍｍｕｎｏｌ  １３７：３４９４−３５００、１９８６；Ｂｅｒｔａｇｎｏｌｌｉら、Ｊ  Ｉｍｍｕｎｏｌ  １４５：１７０６−１７１２、１９９０；Ｂｅｒｔａｇｎｏｌｌｉら、Ｃｅｌｌ  Ｉｍｍｕｎｏｌ  １３３：３２７−３４１、１９９１；Ｂｅｒｔａｇｎｏｌｌｉら、Ｊ  Ｉｍｍｕｎｏｌ  １４９：３７７８−３７８３、１９９２；Ｂｏｗｍａｎら、Ｊ  Ｉｍｍｕｎｏｌ  １５２：１７５６−１７６１，１９９４。
【０２３２】
脾細胞、リンパ節細胞または胸腺細胞のサイトカイン産生および／または増殖についてのアッセイとしては、ＫｒｕｉｓｂｅｅｋおよびＳｈｅｖａｃｈ，Ｉｎ：Ｃｕｒｒｅｎｔ  Ｐｒｔｏｃｏｌｓ  ｉｎ  Ｉｍｍｕｎｏｌｏｇｙ．Ｃｏｌｉｇａｎら編、第１巻、３．１２．１−１４頁、Ｊｏｈｎ  Ｗｉｌｅｙ  ａｎｄ  Ｓｏｎｓ，Ｔｏｒｏｎｔｏ  １９９４；およびＳｃｈｒｅｉｂｅｒ、Ｉｎ：Ｃｕｒｒｅｎｔ  Ｐｒｏｔｏｃｏｌｓ  ｉｎ  Ｉｍｍｕｎｏｌｏｇｙ．Ｃｏｌｉｇａｎら編、第１巻、６．８．１−８頁、Ｊｏｈｎ  Ｗｉｌｅｙ  ａｎｄ  Ｓｏｎｓ，Ｔｏｒｏｎｔｏ  １９９４に記載のアッセイが挙げられるが、これらに限定されない。
【０２３３】
造血細胞およびリンパ球産生細胞の増殖および分化についてのアッセイとしては、以下によって記載されるアッセイが挙げられるが、これに限定されない：Ｂｏｔｔｏｍｌｙら，Ｉｎ：Ｃｕｒｒｅｎｔ  Ｐｒｏｔｏｃｏｌｓ  ｉｎ  Ｉｍｍｕｎｏｌｏｇｙ．Ｃｏｌｉｇａｎら編、第１巻、６．３．１−６．３．１２頁、Ｊｏｈｎ  Ｗｉｌｅｙ  ａｎｄ  Ｓｏｎｓ，Ｔｏｒｏｎｔｏ  １９９１；ｄｅＶｒｉｅｓら、Ｊ  Ｅｘｐ  Ｍｅｄ  １７３：１２０５−１２１１，１９９１；Ｍｏｒｅａｕら、Ｎａｔｕｒｅ  ３３６：６９０−６９２、１９８８；Ｇｒｅｅｎｂｅｒｇｅｒら、Ｐｒｏｃ  Ｎａｔｌ  Ａｃａｄ  Ｓｃｉ  Ｕ．Ｓ．Ａ．８０：２９３１−２９３８，１９８３；Ｎｏｒｄａｎ，Ｉｎ：Ｃｕｒｒｅｎｔ  Ｐｒｏｔｏｃｏｌｓ  ｉｎ  Ｉｍｍｕｎｏｌｏｇｙ．Ｃｏｌｉｇａｎら編、第１巻、６．６．１−５頁、Ｊｏｈｎ  Ｗｉｌｅｙ  ａｎｄ  Ｓｏｎｓ，Ｔｏｒｏｎｔｏ  １９９１；Ｓｍｉｔｈら、Ｐｒｏｃ  Ｎａｔｌ  Ａｃａｄ  Ｓｃｉ  Ｕ．Ｓ．Ａ．８３：１８５７−１８６１，１９８６；Ｍｅａｓｕｒｅｍｅｎｔ  ｏｆ  ｈｕｍａｎ  Ｉｎｔｅｒｌｅｕｋｉｎ  １１−Ｂｅｎｎｅｔｔら、Ｉｎ：Ｃｕｒｒｅｎｔ  Ｐｒｏｔｏｃｏｌｓ  ｉｎ  Ｉｍｍｕｎｏｌｏｇｙ．Ｃｏｌｉｇａｎら編、第１巻、６．１５．１頁、Ｊｏｈｎ  Ｗｉｌｅｙ  ａｎｄ  Ｓｏｎｓ，Ｔｏｒｏｎｔｏ  １９９１；Ｃｉａｒｌｅｔｔａら、Ｉｎ：Ｃｕｒｒｅｎｔ  Ｐｒｏｔｏｃｏｌｓ  ｉｎ  Ｉｍｍｕｎｏｌｏｇｙ．Ｃｏｌｉｇａｎら編、第１巻、６．１３．１頁、Ｊｏｈｎ  Ｗｉｌｅｙ  ａｎｄ  Ｓｏｎｓ，Ｔｏｒｏｎｔｏ  １９９１。
【０２３４】
抗原に対するＴ細胞クローン応答についてのアッセイ（とりわけ、増殖およびサイトカイン産生を測定することによって、ＡＰＣ−Ｔ細胞相互作用をもたらし、そしてＴ細胞の効果を指向するタンパク質を同定する）としては、以下に記載されるアッセイが挙げられるが、これらに限定されない：Ｃｕｒｒｅｎｔ  Ｐｒｏｔｏｃｏｌｓ  ｉｎ  Ｉｍｍｕｎｏｌｏｇｙ．Ｃｏｌｉｇａｎら編、Ｇｒｅｅｎ  Ｐｕｂｌｉｓｈｉｎｇ  Ａｓｓｏｃｉａｔｅｓ  ａｎｄ  Ｗｉｌｅｙ−Ｉｎｔｅｒｓｃｉｅｎｃｅ（第３章、第６章および第７章）；Ｗｅｉｎｂｅｒｇｅｒら、Ｐｒｏｃ  Ｎａｔｌ  Ａｃａｄ  Ｓｃｉ  ＵＳＡ  ７７：６０９１−６０９５，１９８０；Ｗｅｉｎｂｅｒｇｅｒら、Ｅｕｒ  Ｊ  Ｉｍｍｕｎ  １１：４０５−４１１，１９８１；Ｔａｋａｉら、Ｊ  Ｉｍｍｕｎｏｌ  １３７：３４９４−３５００，１９８６；Ｔａｋａｉら、Ｊ  Ｉｍｍｕｎｏｌ  １４０：５０８−５１２，１９８８。
【０２３５】
（免疫刺激活性または免疫抑制活性）
本発明の２１５５６４７、２３５５８７５、３２２３８６７、３２２４６４６、３４８２６９９またはＭａｍｍ−Ｘタンパク質はまた、免疫刺激活性または免疫抑制活性（そのアッセイが本明細書中に記載される活性を含むが、これらに限定されない）を示し得る。タンパク質は、種々の免疫不全および免疫障害（重症複合型免疫不全（ＳＣＤＩ）を含む）の処置（例えば、Ｔリンパ球および／またはＢリンパ球の成長および増殖を（上方または下方）の調節、ならびにＮＫ細胞および他の細胞集団の細胞溶解活性の誘発）において有用であり得る。これらの免疫不全は、遺伝性であり得るか、またはウイルス（例えば、ＨＩＶ）感染および細菌感染または真菌感染によって引き起こされ得るか、あるいは自己免疫障害から生じ得る。よい詳細には、ウイルス感染、細菌感染、真菌感染または他の感染によって引き起こされる感染性疾患は、本発明のタンパク質を使用して処置可能であり得、これらには、ＨＩＶ、肝炎ウイルス、ヘルペスウイルス、ミコバクテリア、Ｌｅｉｓｈｍａｎｉａ種、マラリア種による感染、およびカンジダ症のような種々の真菌感染が挙げられる。もちろん、この点に関して、本発明のタンパク質は、免疫系に対するブーストが、一般に所望され得る（すなわち、癌の処置において）場合に有用であり得る。
【０２３６】
本発明のタンパク質を使用して処置され得る自己免疫障害としては、例えば、以下が挙げられる：結合組織疾患、多発性硬化症、全身性エリテマトーデス、慢性関節リウマチ、自己免疫性肺炎、Ｇｕｉｌｌａｉｎ−Ｂａｒｒｅ症候群、自己免疫性甲状腺炎、インスリン依存性真性糖尿病、重症筋無力症、対宿主性移植片病および自己免疫性炎症性眼疾患。本発明のこのようなタンパク質はまた、喘息（特に、アレルギー性喘息）または他の呼吸系障害のような、アレルギー反応およびアレルギー状態の処置に有用であり得る。免疫抑制が所望される他の状態（例えば、器官移植を含む）もまた、本発明のタンパク質を使用して処置可能であり得る。
【０２３７】
本発明のタンパク質を使用して、多くの方法で、免疫応答を    することが可能であり得る。下方調節は、すでに進行中の免疫応答を阻害またはブロックする形態であり得るか、免疫応答の誘導を妨げることを含み得る。活性化Ｔ細胞の機能は、Ｔ細胞応答を抑制することによってか、またはＴ細胞における特異的寛容を誘導することによってか、あるいはその両方によって阻害され得る。Ｔ細胞応答の免疫抑制は、一般に、抑制剤に対するＴ細胞の連続的曝露を必要とする、能動的な非抗原特異的プロセスである。寛容（Ｔ細胞における非応答性またはアネルギー（ｅｎｅｒｇｙ）を誘導することを含む）は、免疫抑制と識別可能である。つまり、寛容は、一般的に抗原特異的であり、そして寛容化剤に対する曝露が停止した後で持続する。操作的には、寛容は、寛容化剤の非存在下における特異的抗原に対する再曝露の際に、Ｔ細胞応答の欠如によって実証され得る。
【０２３８】
１以上の抗原機能を（Ｂリンパ球抗原機能（例えば、Ｂ７のような）を含むが、限定されない）を下方調節するか、または妨げること（例えば、活性化Ｔ細胞による高レベルのリンホカイン合成を妨げること）は、組織、皮膚および器官の移植の状況、ならびに対宿主性移植片病（ＧＶＨＤ）において有用である。例えば、Ｔ細胞機能のブロックは、組織移植における組織破壊の減少を生じるはずである。代表的に、組織移植において、移植片の拒絶は、Ｔ細胞によるその外来としての認識、それに続く移植片を破壊する免疫反応を介して開始される。移植前の、Ｂ７リンパ球抗原の免疫細胞上のその天然のリガンドとの相互作用を阻害またはブロックする分子（例えば、可溶性の、Ｂ７−２活性を有するペプチドのモノマー形態単独、あるいは別のＢリンパ球抗原（例えば、Ｂ７−１、Ｂ７−３）またはブロッキング抗体の活性を有するペプチドのモノマー形態との組み合わせ）は、対応する同時刺激シグナルの移行を伴わずに、その分子の免疫細胞上の天然のリガンドへの結合を導き得る。このような形態でＢリンパ球抗原機能をブロックすることは、免疫細胞（例えば、Ｔ細胞）によるサイトカイン合成を妨げ、従って、免疫抑制剤として作用する。さらに、同時刺激の欠如はまた、Ｔ細胞を活性化して、それによって被験体において寛容を誘導するのに十分であり得る。Ｂリンパ球抗原ブロッキング試薬による長期の寛容の誘導は、これらのブロッキング試薬の繰り返しの投与の必要性を回避し得る。被験体において十分な免疫抑制または寛容を達成するために、Ｂリンパ球抗原の機能をブロックすることが必要であり得る。
【０２３９】
器官移植片拒絶またはＧＶＨＤの予防における特定のブロッキング試薬の効力は、ヒトにおける効力を予測する動物モデルを使用して評価され得る。使用され得る適切なシステムの例は、ラットにおける同種異系の心臓移植片およびマウスにおける外因性膵臓島細胞移植片が挙げられ、その両方は、Ｌｅｎｓｃｈｏｗら、Ｓｃｉｅｎｃｅ  ２５７：７８９−７９２（１９９２）およびＴｕｒｋａら、Ｐｒｏｃ  Ｎａｔｌ  Ａｃａｄ  Ｓｃｉ  ＵＳＡ、８９：１１１０２−１１１０５（１９９２）に記載されるようなインビボでのＣＴＬＡ４Ｉｇ融合タンパク質の免疫抑制効果を試験するために使用されている。さらに、ＧＶＤＨのマウスモデル（Ｐａｕｌ編、Ｆｕｎｄａｍｅｎｔａｌ  Ｉｍｍｕｎｏｌｏｇｙ、Ｒａｖｅｎ  Ｐｒｅｓｓ、Ｎｅｗ  Ｙｏｒｋ、１９８９、８４６〜８４７頁を参照のこと）は、その疾患の発症に対する、インビボでのＢリンパ球抗原機能のブロックの効果を決定するために使用され得る。
【０２４０】
ブロッキング抗原機能はまた、自己免疫疾患の処置に治療的に有用であり得る。多くの自己免疫疾患は、自己組織に対して反応性であり、そしてその疾患の病理に関係するサイトカインおよび自己抗体の産生を促進する、Ｔ細胞の不適切な活性化の結果である。自己反応性Ｔ細胞の活性化の予防は、疾患の症状を軽減し得るか、または排除し得る。Ｂリンパ球抗原のレセプター：リガンド相互作用を破壊することによってＴ細胞の同時刺激をブロックする試薬の投与は、Ｔ細胞の活性化を阻害し、そしてその疾患プロセスに関係し得る自己抗体またはＴ細胞誘導性サイトカインの産生を妨げるために使用され得る。さらに、ブロッキング試薬は、疾患の長期の軽減を導き得る自己反応性Ｔ細胞の抗原特異的寛容を誘導し得る。自己免疫障害の予防または軽減におけるブロッキング試薬の効力は、ヒト自己免疫疾患のよく特徴付けられた多くの動物モデルを使用して決定され得る。例としては、マウス実験用自己免疫脳炎、ＭＲＬ／ｌｐｒ／ｌｐｒマウスまたはＮＺＢハイブリッドマウスにおける全身性エリテマトーデス、マウス自己免疫コラーゲン関節炎、ＮＯＤマウスおよびＢＢラットにおける真性糖尿病。およびマウス実験用重症筋無力症が挙げられる（Ｐａｕｌ編、Ｆｕｎｄａｍｅｎｔａｌ  Ｉｍｍｕｎｏｌｏｇｙ、Ｒａｖｅｎ  Ｐｒｅｓｓ、Ｎｅｗ  Ｙｏｒｋ，１９８９、８４０〜８５６頁を参照のこと）。
【０２４１】
免疫応答を上方調節する手段として、抗原機能（好ましくは、Ｂリンパ球抗原機能）の上方調節もまた、治療に有用であり得る。免疫応答の上方調節は、既存の免疫応答を増強するか、または開始免疫応答を誘発する形態であり得る。例えば、Ｂリンパ球抗原機能の刺激を介して免疫応答を増強することは、ウイルス感染の場合において有用であり得る。さらに、全身性ウイルス疾患（例えば、インフルエンザ、感冒および脳炎）は、Ｂリンパ球抗原の刺激形態の全身性投与によって軽減され得る。
【０２４２】
あるいは、抗ウイルス免疫応答は、患者からＴ細胞を除去し、本発明のペプチドを発現するか、または本発明の可溶性ペプチドの刺激形態を伴うかのいずれかの、ウイルス抗原をパルスしたＡＰＣで、このＴ細胞をインビトロで同時刺激し、そして患者にこのインビトロ活性化Ｔ細胞を再導入することによって、感染患者において増強され得る。抗ウイルス免疫応答を増強する別の方法は、患者から感染細胞を単離し、本明細書中に記載されるような本発明のタンパク質をコードする核酸で、この感染細胞をトランスフェクトして（その結果、これらの細胞がその表面上でこのタンパク質の全てまたは一部を発現する）、そしてこのトランスフェクト細胞を患者に再導入することである。ここで、この感染細胞は、インビボでＴ細胞に対して同時刺激シグナルを送達し、それによってＴ細胞を活性化することが可能である。
【０２４３】
別の適用では、抗原機能（好ましくはＢリンパ球抗原機能）のアップレギュレーションまたは増大が腫瘍免疫の誘導において有用であり得る。本発明の少なくとも１つのペプチドをコードする核酸でトランスフェクトされた腫瘍細胞（例えば、肉腫、黒色腫、リンパ腫、白血病、神経芽細胞腫、癌腫）を、被験体中の腫瘍特異的耐性を克服するために被験体に投与され得る。所望であれば、腫瘍細胞はトランスフェクトされてペプチドの組み合わせを発現し得る。例えば、患者から得られた腫瘍細胞を、Ｂ７−２−様活性を有するペプチド単独、またはＢ７−１−様活性および／またはＢ７−３−様活性を有するペプチドを組み合わせて発現する発現ベクターを用いて、エクスビボでトランスフェクトされ得る。このトランスフェクトされた腫瘍細胞は、患者に戻され、トランスフェクトされた細胞の表面上にペプチドの発現を生じる。あるいは、遺伝子治療技法を用いて、インビボのトランスフェクションのために腫瘍細胞を標的化する。
【０２４４】
腫瘍細胞の表面上のＢ細胞リンパ球抗原の活性を有する本発明のペプチドの存在は、Ｔ細胞に対する必要な同時刺激シグナルを提供し、トランスフェクトされた腫瘍細胞に対するＴ細胞媒介免疫応答を誘導する。さらに、ＭＨＣクラスＩまたはＭＨＣクラスＩＩ分子を欠くか、または十分な量のＭＨＣクラスＩまたはＭＨＣクラスＩＩ分子を再発現しない腫瘍細胞は、ＭＨＣクラスＩａ鎖タンパク質およびｂ２マイクログロブリンタンパク質、またはＭＨＣクラスＩＩａ鎖タンパク質およびＭＨＣクラスＩＩｂ鎖タンパク質のすべてまたは一部（例えば、細胞質−ドメイン切り欠き部分）をコードする核酸でトランスフェクトされ得、それによって細胞表面上にＭＨＣクラスＩまたはＭＨＣクラスＩＩタンパク質を発現する。Ｂリンパ球抗原（例えば、Ｂ７−１、Ｂ７−２、Ｂ７−３）の活性を有するペプチドと組み合わせた適切なクラスＩまたはクラスＩＩ  ＭＨＣの発現は、トランスフェクトされた腫瘍細胞に対する、Ｔ細胞媒介性免疫応答を誘導する。必要に応じて、不変鎖のようなＭＨＣクラスＩＩ関連タンパク質の発現をブロックするアンチセンス構築物をコードする遺伝子もまた、Ｂリンパ球抗原の活性を有するペプチドをコードするＤＮＡで同時トランスフェクトされ得、腫瘍関連抗原の提示を促進し、そして腫瘍特異的免疫を誘導する。従って、ヒト被験体におけるＴ細胞媒介免疫応答の誘導は、被験体における腫瘍特異的耐性を克服するに十分であり得る。
【０２４５】
本発明のタンパク質の活性は、とりわけ、以下の方法により測定され得る：制限されないで、ＣＵＲＲＥＮＴ  ＰＲＯＴＯＣＯＬＳ  ＩＮ  ＩＭＭＵＮＯＬＯＧＹ．Ｃｏｌｉｇａｎら編、Ｇｒｅｅｎｅ  Ｐｕｂｌｉｓｈｉｎｇ  Ａｓｓｏｃｉａｔｅｓ  ａｎｄ  Ｗｉｌｅｙ−Ｉｎｔｅｒｓｃｉｅｎｃｅ（第３章、第７章）；Ｈｅｒｒｍａｎｎら、Ｐｒｏｃ  Ｎａｔｌ  Ａｃａｄ  Ｓｃｉ  ＵＳＡ  ７８：２４８８−２４９２、１９８１；Ｈｅｒｒｍａｎｎら、Ｊ  Ｉｍｍｕｎｏｌ  １２８：１９６８−１９７４、１９８２；Ｈａｎｄａら、Ｊ  Ｉｍｍｕｎｏｌ  １３５：１５６４−１５７２、１９８５：Ｔａｋａｉら、Ｊ  Ｉｍｍｕｎｏｌ  １３７：３４９４−３５００、１９８６；Ｔａｋａｉら、Ｊ  Ｉｍｍｕｎｏｌ  １４０：５０８−５１２、１９８８；Ｈｅｒｒｍａｎｎら、Ｐｒｏｃ  Ｎａｔｌ  Ａｃａｄ  Ｓｃｉ  ＵＳＡ  ７８：２４８８−２４９２、１９８１；Ｈｅｒｒｍａｎｎら、Ｊ  Ｉｍｍｕｎｏｌ  １２８：１９６８−１９７４、１９８２；Ｈａｎｄａら、Ｊ  Ｉｍｍｕｎｏｌ  １３５：１５６４−１５７２、１９８５；Ｔａｋａｉら、Ｊ  Ｉｍｍｕｎｏｌ  １３７：３４９４−３５００、１９８６；Ｂｏｗｍａｎら、Ｊ  Ｖｉｒｏｌｏｇｙ  ６１：１９９２−１９９８；Ｔａｋａｉら、Ｊ  Ｉｍｍｕｎｏｌ  １４０：５０８−５１２、１９８８；Ｂｅｒｔａｇｎｏｌｌｉら、Ｃｅｌｌ  Ｉｍｍｕｎｏｌ  １３３：３２７−３４１、１９９１；Ｂｒｏｗｎら、Ｊ  Ｉｍｍｕｎｏｌ  １５３：３０７９−３０９２、１９９４に記載のアッセイを含む、胸腺細胞または脾細胞の細胞傷害性のための適切なアッセイ。
【０２４６】
Ｔ細胞依存性免疫グロブリン応答およびアイソタイプスイッチングのための（特に、Ｔ細胞依存性抗体応答を調節し、しかもＴｈ１／Ｔｈ２プロフィールに影響するタンパク質を同定する）アッセイは、制限されないで：Ｍａｌｉｓｚｅｗｓｋｉ、Ｊ  Ｉｍｍｕｎｏｌ  １４４：３０２８−３０３３、１９９０；ならびにＣＵＲＲＥＮＴ  ＰＲＯＴＯＣＯＬＳ  ＩＮ  ＩＭＭＵＮＯＬＯＧＹ、Ｃｏｌｉｇａｎら編、Ｖｏｌ  １、３．８．１．−３．８．１６、Ｊｏｈｎ  Ｗｉｌｅｙ  ａｎｄ  Ｓｏｎｓ、Ｔｏｒｏｎｔｏ  １９９４中のＭｏｎｄおよびＢｒｕｎｓｗｉｃｋに記載のようなアッセイを含む。
【０２４７】
混合リンパ球反応（ＭＬＲ）アッセイ（特に、優先的にＴｈ１およびＣＴＬ応答を生成するタンパク質を同定するアッセイ）は、制限なくして：ＣＵＲＲＥＮＴ  ＰＲＯＴＯＣＯＬＳ  ＩＮ  ＩＭＭＵＮＯＬＯＧＹ．Ｃｏｌｉｇａｎら編、Ｇｒｅｅｎｅ  Ｐｕｂｌｉｓｈｉｎｇ  Ａｓｓｏｃｉａｔｅｓ  ａｎｄ  Ｗｉｌｅｙ−Ｉｎｔｅｒｓｃｉｅｎｃｅ（第３章、第７章）；Ｔａｋａｉら、Ｊ  Ｉｍｍｕｎｏｌ  １３７：３４９４−３５００、１９８６；Ｔａｋａｉら、Ｊ  Ｉｍｍｕｎｏｌ  １４０：５０８−５１２、１９８８；Ｂｅｒｔａｇｎｏｌｌｉら、Ｊ  Ｉｍｍｕｎｏｌ  １４９：３７７８−３７８３、１９９２に記載のアッセイを含む。
【０２４８】
樹状細胞依存性アッセイ（特に、ネイティブＴ細胞を活性化する樹状細胞により発現されるタンパク質を同定するアッセイ）は、制限なくして：Ｇｕｅｒｙら、Ｊ  Ｉｍｍｕｎｏｌ  １３４：５３６−５４４、１９９５；Ｉｎａｂａら、Ｊ  Ｅｘｐ  Ｍｅｄ  １７３：５４９−５５９、１９９１；Ｍａｃａｔｏｎｉａら、Ｊ  Ｉｍｍｕｎｏｌ  １５４：５０７１−５０７９、１９９５；Ｐｏｒｇａｄｏｒら、Ｊ  Ｅｘｐ  Ｍｅｄ  １８２：２５５−２６０、１９９５；Ｎａｉｒら、Ｊ  Ｖｉｒｏｌ  ６７：４０６２−４０６９、１９９３；Ｈｕａｎｇら、Ｓｃｉｅｎｃｅ  ２６４：９６１−９６５、１９９４；Ｍａｃａｔｏｎｉａら、Ｊ．Ｅｘｐ  Ｍｅｄ  １６９：１２５５−１２６４、１９８９；Ｂｈａｒｄｗａｊら、Ｊ  Ｃｌｉｎ  Ｉｎｖｅｓｔｉｇ  ９４：７９７−８０７、１９９４；およびＩｎａｂａら、Ｊ  Ｅｘｐ  Ｍｅｄ  １７２：６３１−６４０、１９９０に記載のアッセイを含む。
【０２４９】
リンパ球生存／アポトーシスのためのアッセイ（特に、スーパー抗原誘導後アポトーシスを妨げるタンパク質およびリンパ球ホメオスタシスを調節するタンパク質を同定する）は、制限されずに：Ｄａｒｚｙｎｋｉｅｗｉｃｚら、Ｃｙｔｏｍｅｔｒｙ  １３：７９５−８０８、１９９２；Ｇｏｒｃｚｙｃａら、Ｌｅｕｋｅｍｉａ  ７：６５９−６７０、１９９３；Ｇｏｒｃｚｙｃａら、Ｃａｎｃｅｒ  Ｒｅｓ  ５３：１９４５−１９５１、１９９３；Ｉｔｏｈら、Ｃｅｌｌ  ６６：２３３−２４３、１９９１；Ｚａｃｈａｒｃｈｕｋ、Ｊ  Ｉｍｍｕｎｏｌ  １４５：４０３７−４０４５、１９９０；Ｚａｍａｉら、Ｃｙｔｏｍｅｔｒｙ  １４：８９１−８９７、１９９３；Ｇｏｒｃｚｙｃａら、Ｉｎｔｅｒｎａｔ  Ｊ  Ｏｎｃｏｌ  １：６３９−６４８、１９９２に記載のアッセイを含む。
【０２５０】
Ｔ細胞の拘束および発生の初期工程に影響するタンパク質のアッセイは、制限されないで：Ａｎｔｉｃａら、Ｂｌｏｏｄ  ８４：１１１−１１７、１９９４；Ｆｉｎｅら、Ｃｅｌｌ  Ｉｍｍｕｎｏｌ  １５５：１１１−１２２、１９９４；Ｇａｌｙら、Ｂｌｏｏｄ  ８５：２７７０−２７７８、１９９５；Ｔｏｋｉら、Ｐｒｏｃ  Ｎａｔ  Ａｃａｄ  Ｓｃｉ  ＵＳＡ  ８８：７５４８−７５５１、１９９１に記載のアッセイを含む。
【０２５１】
（造血調節活性）
本発明の２１５５６４７、２３５５８７５、３２２３８６７、３２２４６４６、３４８２６９９、またはＭａｍｍ−Ｘタンパク質は、造血の調節において、そして結果として骨髄細胞欠損またはリンパ球細胞欠損の処置において有用であり得る。コロニー形成性細胞またはファクター依存性細胞株を支援する周縁の生物学的活性でさえ、造血を調節することにおける、例えば、単独またはその他のサイトカインとの組み合わせで、赤血球系前駆体細胞の成長および増殖を支援することにおける関与を示し、それによって、例えば、種々の貧血を処置することにおけるか、または赤血球系前駆体細胞および／または赤血球細胞の産生を刺激するための照射／化学的療法と組み合わせた使用のための有用性；例えば、結果として骨髄抑制を防ぐかまたは処置するための化学的療法と組み合わせて有用な、顆粒球のような骨髄細胞および単球／マクロファージの成長および増殖を支持する（すなわち伝統的なＣＳＦ活性）ことにおける有用性；巨核球そして結果として血小板の成長および増殖を支持し、それによって血小板減少症のような種々の血小板障害の予防または処置を可能にすること、そして一般に、血小板輸血に代わる使用か、またはそれへの優待のための有用性；および／または上記の造血幹細胞の任意およびすべてに成熟し得、そしてそれ故、種々の幹細胞障害（制限されずに、再生不良性貧血および発作性夜行性ヘモグロビン尿を含む、通常、移植で処置されるような障害）における治療有用性を見出す／造血幹細胞の成長および増殖を支持することにおける有用性、ならびに正常細胞または遺伝子治療のために遺伝子操作された細胞として、インビボまたはエキソビボ（すなわち、骨髄移植または末梢前駆体細胞移植（同種または異種）と組み合わせた）のいずれかで、照射／化学的療法後に幹細胞区画を再増殖させることにおける有用性、を示す。
【０２５２】
本発明のタンパク質の活性は、特に、適切なアッセイにより測定され得る。種々の造血株の増殖および分化の適切なアッセイは上記で引用される。
【０２５３】
胚幹細胞分化のアッセイ（特に、胚分化造血に影響するタンパク質を同定するアッセイ）は、制限されずに：Ｊｏｈａｎｓｓｏｎら、Ｃｅｌｌ  Ｂｉｏｌ  １５：１４１−１５１、１９９５；Ｋｅｌｌｅｒら、Ｍｏｌ  Ｃｅｌｌ  Ｂｉｏｌ  １３：４７３−４８６、１９９３；ＭｃＣｌａｎａｈａｎら、Ｂｌｏｏｄ  ８１：２９０３−２９１５、１９９３に記載のアッセイを含む。
【０２５４】
幹細胞生存および分化のアッセイ（特にリンパ−造血を調節するタンパク質を同定するアッセイ）は、制限されずに：メチルセルロースコロニー形成アッセイ、ＣＵＬＴＵＲＥ  ＯＦ  ＨＥＭＡＴＯＰＯＩＥＴＩＣ  ＣＥＬＬＳ．Ｆｒｅｓｈｎｅｙら、編、Ｖｏｌ  ２６５−２６８頁、Ｗｉｌｅｙ−Ｌｉｓｓ，Ｉｎｃ．Ｎｅｗ  Ｙｏｒｋ、Ｎ．Ｙ  １９９４における、Ｆｒｅｓｈｎｅｙ、Ｍ．Ｇ．；Ｈｉｒａｙａｍａら、Ｐｒｏｃ  Ｎａｔｌ  Ａｃａｄ  Ｓｃｉ  ＵＳＡ  ８９：５９０７−５９１１、１９９２；ＣＵＬＴＵＲＥ  ＯＦ  ＨＥＭＡＴＯＰＯＩＥＴＩＣ  ＣＥＬＬＳ．Ｆｒｅｓｈｎｅｙら、編、Ｖｏｌ  ２３−３９頁、Ｗｉｌｅｙ−Ｌｉｓｓ，Ｉｎｃ．Ｎｅｗ  Ｙｏｒｋ、Ｎ．Ｙ  １９９４における、ＭｃＮｉｅｃｅおよびＢｒｉｄｄｅｌｉ；Ｎｅｂｅｎら、Ｅｘｐ  Ｈｅｍａｔｏｌ  ２２：３５３−３５９、１９９４；ＣＵＬＴＵＲＥ  ＯＦ  ＨＥＭＡＴＯＰＯＩＥＴＩＣ  ＣＥＬＬＳ．Ｆｒｅｓｈｎｅｙら、編、Ｖｏｌ  １−２１頁、Ｗｉｌｅｙ−Ｌｉｓｓ，Ｉｎｃ．Ｎｅｗ  Ｙｏｒｋ、Ｎ．Ｙ  １９９４における、Ｐｌｏｅｍａｃｈｅｒ；ＣＵＬＴＵＲＥ  ＯＦ  ＨＥＭＡＴＯＰＯＩＥＴＩＣ  ＣＥＬＬＳ．Ｆｒｅｓｈｎｅｙら、編、Ｖｏｌ  １３９−１６２頁、Ｗｉｌｅｙ−Ｌｉｓｓ，Ｉｎｃ．Ｎｅｗ  Ｙｏｒｋ、Ｎ．Ｙ  １９９４における、Ｓｐｏｏｎｃｅｒｅｔら；ＣＵＬＴＵＲＥ  ＯＦ  ＨＥＭＡＴＯＰＯＩＥＴＩＣ  ＣＥＬＬＳ．Ｆｒｅｓｈｎｅｙら、編、Ｖｏｌ  １６３−１７９頁、Ｗｉｌｅｙ−Ｌｉｓｓ，Ｉｎｃ．Ｎｅｗ  Ｙｏｒｋ、Ｎ．Ｙ  １９９４における、Ｓｕｔｈｅｒｌａｎｄ、に記載のアッセイを含む。
【０２５５】
（組織増殖活性）
本発明の２１５５６４７、２３５５８７５、３２２３８６７、３２２４６４６、３４８２６９９、またはＭａｍｍ−Ｘタンパク質はまた、骨、軟骨、腱、靭帯および／または神経組織成長または再生のために使用される組成物、ならびに創傷治癒および組織修復および組織置換のために使用される組成物、そして火傷、切開および潰瘍の処置における有用性を有し得る。
【０２５６】
本発明のタンパク質は、骨が正常に形成されない状況で軟骨および／または骨増殖を誘導し、ヒトおよびその他の動物における骨折および軟骨損傷または欠損の治癒における適用を有する。本発明のタンパク質を採用するこのような調製物は、閉鎖骨折整復および開放骨折整復における予防的使用、そしてまた人工間接の改善された固定における使用を有し得る。骨形成剤により誘導されたデノボ骨形成は、先天的、外傷誘導、または腫瘍切除誘導脳顔面頭蓋欠陥の修復に寄与し、そしてまた美容成形手術に有用である。
【０２５７】
本発明のタンパク質はまた、歯周病の処置において、およびその他の歯修復プロセスで用いられ得る。このような薬剤は、骨形成性細胞を誘因するか、骨形成性細胞の増殖を刺激するか、骨形成性細胞の前駆体の分化を誘導する環境を提供し得る。本発明のタンパク質はまた、骨および／または軟骨修復の刺激によるか、または炎症プロセスにより媒介される組織破壊の炎症またはプロセス（コラゲナーゼ活性、破骨細胞活性など）をブロックすることによるような、骨粗鬆症または変形性関節炎の処置で有用であり得る。
【０２５８】
本発明のタンパク質に寄与し得る組織再生活性の別のカテゴリーは、腱／靭帯形成である。このような組織が通常形成されない状況で、腱／靭帯様組織またはその他の組織形成を誘導する本発明のタンパク質は、ヒトおよびその他の動物における、腱または靭帯断裂、変形およびその他の腱または靭帯欠陥の治癒における適用を有する。腱／靭帯様組織誘導性タンパク質を採用するこのような調製物は、腱または靭帯組織への損傷を防ぐことにおける予防的使用、ならびに腱または靭帯の骨またはその他の組織の改善された固定、および腱または靭帯組織への欠陥を修復することにおける使用を有し得る。本発明の組成物により誘導されるデノボの腱／靭帯様組織形成は、先天的、外傷誘導、またはその他の起源のその他の腱または靭帯欠陥の修復に寄与し、そしてまた腱または靭帯の付着または修復のための美容成形手術で有用である。本発明の組成物は、腱形成性細胞または靭帯形成性細胞を誘引するか、腱形成性細胞または靭帯形成性細胞の増殖を刺激するか、腱形成性細胞または靭帯形成性細胞の前駆体の分化を誘導するか、または組織修復を行うためにインビボに戻すためにエキソビボで腱／靭帯の細胞または前駆体の増殖を誘導する環境を提供し得る。本発明の組成物はまた、腱炎、毛根管症候群およびその他の腱または靭帯欠陥の処置において有用であり得る。この組成物はまた、当該分野で周知であるキャリアとして、適切なマトリックスおよび／または金属イオン封鎖剤を含み得る。
【０２５９】
本発明のタンパク質はまた、ニューロン細胞の増殖のため、および神経および脳組織の再生のために、すなわち、中枢神経系疾患および末梢神経系疾患および神経障害、ならびにニューロン細胞または神経組織への変性、死滅または外傷を含む機械的および外傷障害の処置のために有用であり得る。より詳細には、タンパク質は、末梢神経損傷、末梢神経障害および局所神経障害のような末梢神経系の疾患、ならびにアルツハイマー病，パーキンソン病、ハンチントン病、筋萎縮側索硬化症、およびシャイ−ドレーガー症候群のような中枢神経系の疾患の処置で用いられ得る。本発明に従って処置され得るさらなる症状は、脊髄障害，頭部外傷および発作のような脳血管性疾患のような機械的および外傷的障害を含み得る。化学的療法またはその他の医療治療から生じる抹消神経障害もまた、本発明のタンパク質を用いて治療可能であり得る。
【０２６０】
本発明のタンパク質はまた、圧迫性潰瘍、血管不全に関連する潰瘍、手術または外傷創傷などを含むがこれらに限定されない非治癒創傷のより良好な、またはより迅速な閉鎖を促進するために有用であり得る。
【０２６１】
本発明のタンパク質がまた、器官（例えば、膵臓、肝臓、腸、腎臓、皮膚、内皮を含む）、筋肉（平滑筋、骨格筋または心筋）および血管（血管内皮を含む）組織のようなその他の組織の生成または再生に、またはこのような組織を含む細胞の増殖を促進するために活性を示し得ることが予想される。所望の効果の一部分は、繊維症瘢痕の阻害または調整によってであり得、正常組織を再生させる。本発明のタンパク質はまた、血管形成活性を示し得る。
【０２６２】
本発明のタンパク質はまた、腸の保護または再生のため、または肺若しくは肝臓の繊維症、種々の組織における再灌流傷害、および全身サイトカイン損傷から生じる症状の処置のために有用であり得る。
【０２６３】
本発明のタンパク質はまた、前駆体組織または細胞から上記の組織の分化を促進若しくは阻害するため；または上記の組織の増殖を阻害するために有用であり得る。
【０２６４】
本発明のタンパク質の活性はまた、特に、以下の方法により測定され得る：
組織生成活性のためのアッセイは、制限されずに：国際特許公開番号ＷＯ９５／１６０３５（骨、軟骨、腱）；国際特許公開番号ＷＯ９５／０５８４６（神経、ニューロン）；国際特許公開番号ＷＯ９１／０７４９１（皮膚、内皮）に記載されるアッセイを含む。
【０２６５】
創傷治癒活性のためのアッセイは、制限されずに：ＥａｇｌｓｔｅｉｎおよびＭｅｎｚ、Ｊ．Ｉｎｖｅｓｔ．Ｄｅｒｍａｔｏｌ  ７１：３８２−８４（１９７８）によって改変されるような、Ｗｉｎｔｅｒ、Ｅｐｉｄｅｒｍａｌ  Ｗｏｕｎｄ  Ｈｅａｌｉｎｇ、７１−１１２頁（Ｍａｉｂａｃｈ、ＨＩおよびＲｏｖｅｅ、ＤＴ編）、Ｙｅａｒ  Ｂｏｏｋ  Ｍｅｄｉｃａｌ  Ｐｕｂｌｉｓｈｅｒｓ、Ｉｎｃ．、Ｃｈｉｃａｇｏに記載のアッセイを含む。
【０２６６】
（アクチビン／インヒビン活性）
本発明の２１５５６４７、２３５５８７５、３２２３８６７、３２２４６４６、３４８２６９９、またはＭａｍｍ−Ｘタンパク質はまた、アクチビン関連活性またはインヒビン関連活性を示し得る。インヒビンは、卵胞刺激ホルモン（ＦＳＨ）の放出を阻害するその能力によって特徴付けられ、一方、アクチビンは、卵胞刺激ホルモン（ＦＳＨ）の放出を刺激するその能力によって特徴付けられる。従って、本発明のタンパク質は、単独またはインヒビンファミリーのメンバーとのヘテロ二量体において、雌性哺乳動物における受胎能を減少し、そして雄性哺乳動物における精子形成を減少するインヒビンの能力に基づく避妊薬として有用であり得る。他のインヒビンの十分な量の投与は、これら哺乳動物における不妊症を誘導し得る。あるいは、本発明のタンパク質は、ホモ二量体としてか、またはインヒビンｂ群の他のタンパク質サブユニットとのヘテロ二量体として、下垂体前葉の細胞からのＦＳＨ放出を刺激するアクチビン分子の能力に基づいて、受胎能誘導治療として有用であり得る。例えば、米国特許第４，７９８，８８５号を参照のこと。本発明のタンパク質はまた、ウシ、ヒツジ、およびブタのような家畜の一生の生殖効率を増加するように、性的に未熟な哺乳動物における受胎能の開始の促進のために有用であり得る。
【０２６７】
本発明のタンパク質の活性は、とりわけ、以下の方法によって測定され得る：  アクチビン／インヒビン活性のアッセイとしては、以下に記載されるものが挙げられるが、これらに限定されない：Ｖａｌｅら、Ｅｎｄｏｃｒｉｎｏｌｏｇｙ  ９１：５６２〜５７２、１９７２；Ｌｉｎｇら、Ｎａｔｕｒｅ  ３２１：７７９〜７８２、１９８６；Ｖａｌｅら、Ｎａｔｕｒｅ  ３２１：７７６〜７７９、１９８６；Ｍａｓｏｎら、Ｎａｔｕｒｅ  ３１８：６５９〜６６３、１９８５；Ｆｏｒａｇｅら、Ｐｒｏｃ．Ｎａｔｌ．Ａｃａｄ．Ｓｃｉ．ＵＳＡ  ８３：３０９１〜３０９５、１９８６。
【０２６８】
（走化性／ケモキネシス活性）
本発明のタンパク質は、哺乳動物細胞（例えば、単球、線維芽細胞、好中球、Ｔ細胞、肥満細胞、好酸球、上皮細胞および／または内皮細胞を含む）についての走化性またはケモキネシス活性（例えば、ケモカインとして作用する）を有し得る。走化性およびケモキネシスタンパク質を使用して、所望の細胞集団を所望の作用部位に動員または誘引し得る。走化性またはケモキネシスタンパク質は、組織に対する創傷および他の外傷の処置、ならびに局所的感染の処置において、特に利点を提供する。例えば、リンパ球、単球、好中球の、腫瘍または感染部位への誘引は、腫瘍または感染因子に対する改善された免疫応答を生じ得る。
【０２６９】
タンパク質またはペプチドは、それが直接的または間接的に、特定の細胞集団の指向された方向付けまたは移動を刺激し得る場合、そのような細胞集団について走化性活性を有する。好ましくは、タンパク質またはペプチドは、細胞の移動を直接刺激する能力を有する。特定のタンパク質が細胞の集団について走化性活性を有するか否かは、細胞の走化性についての任意の公知のアッセイにおいて、そのようなタンパク質またはペプチドを使用することによって、容易に決定され得る。
【０２７０】
本発明のタンパク質の活性は、とりわけ、以下の方法によって測定され得る。走化性活性についてのアッセイ（走化性を誘導するか、または妨げるタンパク質を同定する）は、細胞の膜を横切っての移動を誘導するタンパク質の能力、ならびに１つの細胞集団の別の細胞集団に対する接着を誘導するタンパク質の能力を測定するアッセイからなる。移動および接着についての適切なアッセイとしては以下に記載されるものが挙げられるが、これらに限定されない：ＣＵＲＲＥＮＴ  ＰＲＯＴＯＣＯＬＳ  ＩＮ  ＩＭＭＵＮＯＬＯＧＹ、Ｃｏｌｉｇａｎら編（第６．１２章、Ｍｅａｓｕｒｅｍｅｎｔ  ｏｆ  ａｌｐｈａ  ａｎｄ  ｂｅｔａ  Ｃｈｅｍｏｋｉｎｅｓ  ６．１２．１〜６．１２．２８）；Ｔａｕｂら、Ｊ  Ｃｌｉｎ  Ｉｎｖｅｓｔ  ９５：１３７０〜１３７６、１９９５；Ｌｉｎｄら、ＡＰＭＩＳ  １０３：１４０〜１４６、１９９５；Ｍｕｌｌｅｒら、Ｅｕｒ  Ｊ  Ｉｍｍｕｎｏｌ  ２５：１７４４〜１７４８；Ｇｒｕｂｅｒｅｔら、Ｊ  Ｉｍｍｕｎｏｌ  １５２：５８６０〜５８６７、１９９４；Ｊｏｈｎｓｔｏｎら、Ｊ  Ｉｍｍｕｎｏｌ  １５３：１７６２〜１７６８、１９９４。
【０２７１】
（うっ血活性および血栓崩壊活性）
本発明のタンパク質はまた、うっ血活性または血栓崩壊活性を示し得る。結果として、そのようなタンパク質は、種々の凝固障害（血友病のような遺伝性疾患を含む）の処置において有用であること、または凝固および外傷、外科手術または他の原因によって生じる創傷の処置における他のうっ血事象を促進することが予測される。本発明のタンパク質はまた、血栓症の溶解または形成阻害のため、およびそこから生じる状態（例えば、心臓血管および中枢神経系血管の梗塞（例えば、発作））の処置および予防のために有用であり得る。
【０２７２】
本発明のタンパク質の活性は、とりわけ、以下の方法によって測定され得る。うっ血および血栓崩壊活性のアッセイとしては、以下に記載されるものが挙げられるが、これらに限定されない：Ｌｉｎｅｔら、Ｊ．Ｃｌｉｎ．Ｐｈａｒｍａｃｏｌ．２６：１３１〜１４０、１９８６；Ｂｕｒｄｉｃｋら、Ｔｈｒｏｍｂｏｓｉｓ  Ｒｅｓ．４５：４１３〜４１９、１９８７；Ｈｕｍｐｈｒｅｙら、Ｆｉｂｒｉｎｏｌｙｓｉｓ  ５：７１〜７９（１９９１）；Ｓｃｈａｕｂ、Ｐｒｏｓｔａｇｌａｎｄｉｎｓ  ３５：４６７〜４７４、１９８８。
【０２７３】
（レセプター／リガンド活性）
本発明のタンパク質はまた、レセプター、レセプターリガンドまたはレセプター／リガンド相互作用のインヒビターもしくはアゴニストとしての活性を実証し得る。そのようなレセプターおよびリガンドの例としては、限定することなく、サイトカインレセプターおよびそのリガンド、レセプターキナーゼおよびそのリガンド、レセプターホスファターゼおよびそのリガンド細胞間相互作用に関与するレセプターおよびそのリガンド（限定することなく、細胞接着分子（セレクチン、インテグリンおよびそのリガンド）、ならびに抗原提示、抗原認識および細胞性免疫応答および液性免疫応答の発生に関与するレセプター／リガンド対を含む）が挙げられる。レセプターおよびリガンドはまた、関連するレセプター／リガンド相互作用の可能性のあるペプチドまたは低分子インヒビターのスクリーニングにおいて有用である。本発明のタンパク質（限定することなく、レセプターおよびリガンドのフラグメントを含む）が、それ自体で、レセプター／リガンド相互作用のインヒビターとして有用であり得る。
【０２７４】
本発明のタンパク質の活性は、とりわけ、以下の方法によって測定され得る。レセプター−リガンド活性の適切なアッセイとしては、限定することなく、以下に記載されるものが挙げられる：ＣＵＲＲＥＮＴ  ＰＲＯＴＯＣＯＬＳ  ＩＮ  ＩＭＭＵＮＯＬＯＧＹ、Ｃｏｌｉｇａｎら編、Ｇｒｅｅｎｅ  Ｐｕｂｌｉｓｈｉｎｇ  Ａｓｓｏｃｉａｔｅｓ  ａｎｄ  Ｗｉｌｅｙ−Ｉｎｔｅｒｓｃｉｅｎｃｅ（第７．２８章、Ｍｅａｓｕｒｅｍｅｎｔ  ｏｆ  Ｃｅｌｌｕｌａｒ  Ａｄｈｅｓｉｏｎ  ｕｎｄｅｒ  ｓｔａｔｉｃ  ｃｏｎｄｉｔｉｏｎｓ  ７．２８．１−７．２８．２２）、Ｔａｋａｉら、Ｐｒｏｃ．Ｎａｔｌ．Ａｃａｄ．Ｓｃｉ．ＵＳＡ  ８４：６８６４〜６８６８、１９８７；Ｂｉｅｒｅｒら、Ｊ．Ｅｘｐ．Ｍｅｄ．１６８：１１４５〜１１５６、１９８８；Ｒｏｓｅｎｓｔｅｉｎら、Ｊ．Ｅｘｐ．Ｍｅｄ．１６９：１４９〜１６０  １９８９；Ｓｔｏｌｔｅｎｂｏｒｇら、Ｊ．Ｉｍｍｕｎｏｌ．Ｍｅｔｈｏｄｓ  １７５：５９〜６８、１９９４；Ｓｔｉｔｔら、Ｃｅｌｌ  ８０：６６１〜６７０、１９９５。
【０２７５】
（抗炎症活性）
本発明のタンパク質はまた、抗炎症活性を示し得る。抗炎症活性は、炎症応答に関与する細胞に対する刺激を提供すること（細胞間相互作用（例えば、細胞接着）を阻害するか、または促進することによって）によってか、炎症プロセスに関与する細胞の走化性を阻害するか、または促進することによってか、細胞の血管外遊出を阻害するか、または促進するかによってか、あるいは炎症応答を直接的により阻害するか、またはより促進する他の因子の産生を刺激するか、または抑制することによって、達成され得る。そのような活性を示すタンパク質を使用して、炎症状態（慢性状態または急性状態を含む）（限定することなく、感染に関連する炎症（例えば、敗血症性ショック、敗血症または全身性炎症応答症候群（ＳＩＲＳ））、虚血−灌流損傷、内毒素の致死性、関節炎、補体媒介性激症拒絶症、腎炎、サイトカイン誘導性胚損傷またはケモカイン誘導性胚損傷、炎症性腸疾患、クローン病、またはＴＮＦもしくはＩＬ−１のようなサイトカインの過剰産生より生じるものが挙げられる）を処置し得る。本発明のタンパク質はまた、抗原性物質または抗原性材料に対する、アナフィラキシーおよび過敏症の処置のためにも、有用であり得る。
【０２７６】
（腫瘍阻害活性）
腫瘍の免疫学的処置または予防について上記に記載された活性に加えて、本発明のタンパク質は、他の抗腫瘍活性を示し得る。タンパク質は、直接的または間接的（例えば、ＡＤＣＣを介して）腫瘍増殖を阻害し得る。タンパク質は、腫瘍組織または腫瘍前駆体組織に作用することによって、腫瘍増殖を支持するために必要な組織の形成を阻害することによって（例えば、新脈管形成を阻害することによって）、腫瘍増殖を阻害する他の因子、物質または細胞型の産生を生じることによって、あるいは腫瘍増殖を促進する因子、物質または細胞型を、抑制、除去または阻害することによって、その腫瘍阻害活性を示し得る。
【０２７７】
（他の活性）
本発明のタンパク質はまた、以下のさらなる活性または効果の１つ以上を示し得る：限定はされないが、細菌、ウイルス、真菌および他の寄生生物を含む感染因子の、増殖、感染または機能を阻害するか、あるいは死滅させること；身体的特徴（限定することなく身長、体重、髪の色、目の色、皮膚、赤肉に対する脂肉の比、または他の組織色素沈着、あるいは器官または身体部分のサイズまたは形状（例えば、胸部増大または減少、骨の形態または形状の変化）が挙げられる）を生じること；バイオリズムあるいはサーカディアンサイクルまたはサーカディアンリズムを生じること；雄性被験体または雌性被験体の受胎能を生じること；食事脂肪、脂質、タンパク質、炭水化物、ビタミン、ミネラル、補因子または他の栄養因子もしくは栄養成分の、代謝、異化作用、同化作用、プロセシング、利用、貯蔵または除去を生じること；行動的特徴（食欲、性欲、ストレス、認識（認識障害を含む）、うつ病（抑うつ障害を含む）および狂暴症を含むが、これらに限定されない）を生じること；鎮痛性効果または他の疼痛減少効果を提供すること；造血系列以外の系列における胚性幹細胞の分化または増殖を促進すること；ホルモン活性または内分泌活性；酵素の場合、酵素の欠損を矯正すること、および欠損関連疾患を処置すること；過剰増殖障害（例えば、乾癬）の処置；免疫グロブリン様活性（例えば、抗原または補体に結合する活性）；ならびにワクチン組成物において抗原として作用し、そのようなタンパク質または他の物質あるいはそのようなタンパク質と交差反応する実体に対する免疫応答を惹起する能力。
【０２７８】
本発明は、本明細書の以下に記載される特定の実施態様によって、範囲が限定されることはない。実際、本明細書において記載されたものに加えて、本発明の種々の改変が、上記の記載および添付の図面から、当業者に明らかとなる。そのような改変は、添付の特許請求の範囲の範囲内にあることが意図される。
【０２７９】
本発明はさらに、以下の実施例によって記載されるが、これらは、限定として解釈されるべきではない。本出願を通じて引用される全ての引用文献、特許および公開された特許出願が、本明細書によって参考として援用される。
【０２８０】
（実施例）
（１．哺乳動物細胞および昆虫細胞中でのクローン２１５５６４７の発現）
（１．１．哺乳動物細胞および昆虫細胞での発現のための２１５５６４７  ｃＤＮＡのクローニング）
推定された読み枠に基づき、ｈ２１５５６４７のコード領域を増幅するために、ＰＣＲプライマーを設計した。正方向プライマーは、
【０２８１】
【化１】
2004500011.tif 000003
であった。ＰＣＲを、２５μｌのＭｉｘ１（７５ｐｍｏｌｅのプライマー、４μｇの成人骨髄ｃＤＮＡ、５μｍｏｌｅのｄＮＴＰ）および２５μｌのＭｉｘ２［１単位のＦｉｄｅｌｉｔｙ　Ｅｘｐａｎｄ　ｐｏｌｙｍｅｒａｓｅ（Ｂｏｅｈｒｉｎｇｅｒ　Ｍａｎｎｈｅｉｍ）、５μｌ　１０×　Ｆｉｄｅｌｉｔｙ　Ｅｘｐａｎｄ緩衝液］を別々に９６℃で２０秒間加熱することによって、開始した。次に、Ｍｉｘ１および２をプールして、以下のＰＣＲサイクルパラメーターを使用した：９６℃、３分（１サイクル）；９６℃、３０秒、５５℃、１分、６８℃、２分（１０サイクル）；９６℃、３０秒、６０℃、１分、６８℃、２分（２０サイクル）；７２℃、７分（１サイクル）。ＰＣＲの後、約０．４ｋｂの１つのＤＮＡフラグメントを得た。このＤＮＡフラグメントを、ＢｇｌＩＩおよびＸｈｏＩ制限酵素で消化し、そしてｐＣＤＮＡ３．１　Ｖ５Ｈｉｓベクター（Ｉｎｖｉｔｒｏｇｅｎ，　Ｃａｒｌｓｂａｄ，　ＣＡ）またはｐＢｌｇＨｉｓベクター（ＣｕｒａＧｅｎ　Ｃｏｒｐｏｒａｔｉｏｎ）中にクローニングした。２１５５６４７挿入物をＤＮＡ配列分析によって確認した。生じる発現ベクターを、哺乳動物腎臓２９３細胞発現についてｐＣＤＮＡ３．１Ｖ５Ｈｉｓ２１５５６４７と称し、そして昆虫細胞発現についてｐＢｌｇＨｉｓ２１５５６４７と称する。
【０２８２】
（１．２．ヒト胎児性腎臓２９３細胞中でのｈ２１５５６４７の発現）
ｐＣＤＮＡ３．１Ｖ５Ｈｉｓ２１５５６４７ベクターを、ＬｉｐｏｆｅｃｔａｍｉｎＰｌｕｓ試薬を製造業者の指示（Ｇｉｂｃｏ／ＢＲＬ）に従って使用して、２９３細胞中にトランスフェクトした。細胞のペレットおよび上清を、トランスフェクションの７２時間後に収集して、ｈ２１５５６４７発現について抗Ｖ５抗体を用いるウェスタンブロット（還元条件）によって試験した。ｈ２１５５６４７タンパク質は、２９３細胞によって分泌される２０−ｋＤａタンパク質として発現した。
【０２８３】
（１．３．ｐＢＩｇＨｉｓバキュロ発現ベクターの構築）
ｐＢＩｇＨｉｓ発現ベクターを構築するために、本発明者らはオリゴヌクレオチドプライマーを設計して、ヒト免疫グロブリン重鎖のＦｃフラグメントを増幅した。正方向プライマーは、５’−ＣＣＧＣＴＣＧＡＧＴＧＡＧＣＣＣＡＡＡＴＣＴＴＧＴＧＡＣＡＡＡ（配列番号２１）であり、そして逆方向プライマーは、５’−ＧＣＴＣＴＡＧＡＣＴＴＴＴＡＣＣＣＧＧ　ＧＧＡＣＡＧＧＧＡＧ（配列番号２２）であった。ＰＣＲを、２５μｌのＭｉｘ１（７５ｐｍｏｌｅプライマー、４μｇ成体精巣ｃＤＮＡ，５μｍｏｌｅ　ｄＮＴＰ）および２５μｌのＭｉｘ２（１ユニットのＦｉｄｅｌｉｔｙ　Ｅｘｐａｎｄポリメラーゼ（Ｂｏｅｈｒｉｎｇｅｒ　Ｍａｎｎｈｅｉｍ）、５μｌの１０×Ｆｉｄｅｌｉｔｙ　Ｅｘｐａｎｄ　Ｂｕｆｆｅｒ）を、別々に９６℃にて２０秒間加熱することによって開始した。次いで、Ｍｉｘ１およびＭｉｘ２をプールし、そして以下のＰＣＲサイクリングパラメーターを使用した：９６℃、３分（１サイクル）；９６℃、３０秒、５５℃、１分、６８℃、２分（１０サイクル）；９６℃、３０秒、６０℃、１分、６８℃、２分（２０サイクル）；７２℃、７分（１サイクル）。ＰＣＲ後、約６．７５ｋｂの単一のＤＮＡフラグメントを得た。このＤＮＡフラグメントを、ＸｈｏＩおよびＸｂａＩ制限酵素で消化し、そしてｐＣＤＮＡ３．１ＶｇＨｉｓ（Ｂ）発現ベクター（Ｉｎｖｉｔｒｏｇｅｎ，Ｃａｒｌｓｂａｄ，ＣＡ）にクローニングした。このベクターはｐＣＤＮＡ３．１　Ｉｇと命名され、そしてＶ５エピトープおよび６×Ｈｉｓタグに融合されたＦｃフラグメントを含む。ＦｃフラグメントのＮ末端に隣接する（組換えＴＥＶプロテアーゼ）切断部位を導入するために、本発明者らは、２つのオリゴヌクレオチド（配列番号１３：５’−ＡＡＴＴＣＴＧＣＡＧＣＧＡＡＡＡＣＣＴＧＴＡＴＴＴＴＣＡＧＧＧＴおよび配列番号１４：５’−ＴＣＧＡＡＣＣＣＴＧＡＡＡＡＴＡＣＡＧＧＴＴＴＴＣＧＣＴＧＣＡＧ）を設計し、そしてアニールしたオリゴを２０％ポリアクリルアミドゲル上で精製した。次いで、二本鎖オリゴＤＮＡを、ＥｃｏＲＩおよびＸｈｏＩで消化したｐＣＮＡ３．１　Ｉｇに連結した。得られたプラスミドを、ＰｓｔＩおよびＰｍｅＩで消化して、約０．９ｋｂのＤＮＡフラグメントを放出させ、このフラグメントを、ＰｓｔＩおよびＳｍａＩ（Ｉｎｖｉｔｒｏｇｅｎ，Ｃａｒｌｓｂａｄ，ＣＡ）で消化したｐＢｌｕｅＢａｃ４．５に連結した。得られたプラスミド構築物を、ｐＢＩｇＨｉｓと命名する。Ｆｃフラグメントを、配列分析によって確認した。
【０２８４】
（１．４．ｈ２１５５６４７を発現する組換え細胞の構築および単離）
ｐＢＩｇＨｉｓ２１５５６４７プラスミドＤＮＡを、製造業者（Ｉｎｉｔｒｏｇｅｎ）によって記載されるリポソーム媒介移入を使用して、線状化バキュロウイルスＤＮＡ（Ｂａｃ−Ｎ−Ｂｌｕｅ）を用いて、ＳＦ９昆虫細胞に同時トランスフェクトした。簡単に述べると、４μｇのｐＢＩｇＨｉｓ２１５５６４７、０．５μｇのＢａｃ−Ｎ−ＢｌｕｅＴＭおよびＩｎｓｅｃｔｉｎＰｌｕｓＴＭリポソームを含有するトランスフェクション混合物を、２×１０６ＳＦ９細胞を播種した６０ｍｍ培養ディッシュに添加し、そして揺らしながら２７℃にて４時間ンインキュベートした。次いで、新鮮な培養培地を添加し、そして培養を、４日間さらにインキュベートした。次いで、この培養培地を収集し、そして組換えウイルスを、標準的なプラーク精製手順を使用して単離した。マーカーとしてβ−ガラクトシダーゼを発現する組換えウイルスを、青色プラークについてのアガロース重層を可視的に検査することによって、非組換えウイルスから容易に識別した。ウイルスストックを、ＳＦ９細胞における増殖によって作製し、そしてｈ２１５５６４７タンパク質の発現について、ＳＤＳ−ＰＡＧＥおよびウエスタンブロット分析（還元条件、抗Ｖ５抗体）によってスクリーニングした。ｈ２１５５６４７タンパク質は、４５ｋＤａのタンパク質として分泌され、これは、ＩｇＦｃ配列との２１５５６４７の融合物に対応する。
【０２８５】
クローン２１５５６４７  ｃＤＮＡもまた、ｐｃＤＮＡ３哺乳動物発現因子にサブクローニングし、そしてマウス線維芽細胞（ＮＩＨ３Ｔ３）へのトランスフェクション後に形質転換活性をアッセイした。病巣は、クローン２１５５６４７  ｃＤＮＡによっては生成されず、このことは、この系においてそれが形質転換しないことを示す。
【０２８６】
同じ構築物を使用して、クローン２１５５６５７を、ヒト２９３腎臓上皮細胞に、一過的にトランスフェクトした。これらの細胞からの上清が、２１５５６４７タンパク質を含むことを見出し、そしてＴａｑＭａｎアッセイによって、即時初期応答遺伝子（ＥＧＲ−１、ＡＴＦ−３、ＦＯＳ、ＭＫＰ−１、ｃ−ＪＵＮ、ＪＵＮＢ）を活性化する能力をアッセイした。即時初期応答遺伝子の活性化は、２１５５６４７で処置した細胞においては見出されなかった。
【０２８７】
（２．クローン３２２４６４６のノーザン分析）
（２．１．プローブの生成）
ｐＣＲ２．１（Ｉｎｖｉｔｒｏｇｅｎ）にクローニングした３２２４６４６遺伝子にフラグメント（ヌクレオチド４０〜６０６）を、ＰＣＲ反応におけるテンプレートとして使用した。増幅において使用したプライマー（配列番号１５（Ｍ１３ＦＳＰ６）：５’−ＧＧＡＴＣＣＡＴＴＴＡＧＧＴＧＡＣＡＣＴＡＴＡＧＡＡＧＣＣＣＡＧＴＣＡＣＧＡＣＧＴＴＧＴＡＡＡＡＣＧＡＣＧＧＣ−３’および配列番号１６（Ｍ１３ＲＴ３）：５’−ＣＧＧＣＣＧＡＡＴＴＡＣＣＣＴＣＡＣＴＡＡＡＧＧＧＡＣＧＧＡＴＡＡＣＡＡＴＴＴＣＡＣＡＣＡＧＧＡＡＡＣＡＧＣ−３’）は、３２２４６４６インサートに隣接し、そしてＭ１３正方向および逆方向配列決定プライマー部位に結合する。Ｍ１３ＦＳＰ６（配列番号１５）およびＭ１３ＲＴ３（配列番号１６）は、それぞれ、ＳＰ６およびＴＳ  ＲＮＡポリメラーゼについてのプロモーターを含む。ＰＣＲミックスは、１ｎｇのプラスミドＤＮＡ、０．２μＭのＭ１３ＦＳＰ６、０．２μＭのＭ１３ＲＴ３、２００ｍＭのｄＮＴＰ、０．５μｌのＡｄｖａｎｔａｇｅ  ｃＤＮＡポリメラーゼミックス（５０倍；Ｃｌｏｎｔｅｃｈ）を１×ＰＣＲ緩衝液（Ａｄｖａｎｔａｇｅ  ｃＤＮＡ  Ｐｏｌｙｍｅｒａｓｅ  Ｋｉｔ，Ｃｌｏｎｔｅｃｈ）中に含有した。ＰＣＲサイクリングパラメーターは、以下の通りであった：９４℃、２分（１サイクル）；９４℃、５秒、７２℃、５分（５サイクル）；９４℃、５秒、７０℃、３分（５サイクル）；９４℃、５秒、６８℃、３分（１５サイクル）。増幅後、目的の遺伝子フラグメントを含むＰＣＲ産物を、１％低融点アガロースゲルによって電気泳動し、そしてＱｉａｅｘＩＩゲル抽出キット（Ｑｉａｇｅｎ）を使用して精製した。
【０２８８】
アンチセンスＲＮＡプローブを、Ｓｔｉｐ−ＥＺ  ＲＮＡプローブ合成キット（Ａｍｂｉｏｎ，Ｉｎｃ．）を製造業者の指示に従って使用して、ＰＣＲ産物から生成した。１００ｎｇのＰＣＲ産物を、２５μＣｉ３３Ｐ−ＵＴＰ（３ｍＭ；Ａｍｅｒｓｈａｍ）を用いて、ＳＰ６  ＲＮＡポリメラーゼを使用する合成反応において、標識した。ＲＮＡ転写後、１μｌのＤＮａｓｅＩを添加し、そして反応を、１５分間３７℃にて進行させた。取り込まれなかったヌクレオチドを、ＰｒｏｂｅＱｕａｎｔ  Ｇ−５０マイクロカラム（Ｐｈａｒｍａｃｉａ  Ｂｉｏｔｅｃｈ）を製造業者の指示に従って用いて除去した。このプローブを、Ｂｉｏｓｃａｎ  ＱＣ−４０００を製造業者の指示（Ｂｉｏｓｃａｎ）に従って用いて定量した。
【０２８９】
（２．２．ハイブリダイゼーション）
ＲＮＡプローブを、４つの市販のＮｏｒｔｈｅｒｎ  Ｂｌｏｔｓ（Ｃｌｏｎｔｅｃｈ）に、６５℃にて、Ｒｏｂｂｉｎｓ  Ｓｃｉｅｎｔｉｆｉｃ  Ｍｏｄｅｌ  ４００ハイブリダイゼーションインキュベーターにおいてハイブリダイズした。簡単に述べると、このブロットを、１５×３００ｍｍのガラス管に挿入し、そして６５℃にて、１０ｍｌのＺｉｐ−Ｈｙｂ（Ａｍｂｉｏｎ，Ｉｎｃ．）において３０分間プレハイブリダイズした。ＲＮＡプローブ（１．０×１０６ｄｐｍ／ｍｌ）を、１．０ｍｌの６５℃  Ｚｉｐ−Ｈｙｂに添加し、そしてプレハイブリダイズしたノーザンブロットとともにガラス管に置いた。このプローブのハイブリダイゼーションを、２時間進行させた。ハイブリダイゼーション後、緩衝液を除去し、そしてこのブロットを、１５分間、ガラス管中で、６５℃にて２回洗浄した。第１の洗浄を、予め温めた（６５℃）２×ＳＳＣ、０．１％ＳＤＳで行い、一方、第２の洗浄を、予め温めた０．１×ＳＳＣ、０．１％ＳＤＳで行った。このブロットを、このガラス管から取り出し、Ｓａｒａｎ  Ｗｒａｐでラップし、そしてリン光体（ｐｈｏｓｐｈｏｒ）スクリーン（Ｍｏｌｅｃｕｌａｒ  Ｄｙｎａｍｉｃｓ）に一晩曝露させた。このリン光体スクリーンを、Ｍｏｌｅｃｕｌａｒ  Ｄｙｎａｍｉｃｓ  Ｓｔｏｒｍ  ８４０において、５０ミクロンの解像度にて、翌日に走査した。
【０２９０】
（３．ヒト３２２４６４６のマッピング）
（３．１．オリゴヌクレオチドの設計および合成）
プライマー対（配列番号１７：５’ＧＡＴＴＴＣＴＴＣＴＴＧＣＴＴＴＴＧＡＣＴＣ３’、配列番号１８：５’ＡＣＴＣＡＧＣＴＧＴＴＴＴＡＴＧＧＴＧＧ３’）を設計して（Ｐｒｉｍｅｒ３プライマー選択ソフトウェアパッケージ）、３２２４６４６遺伝子のセグメントを増幅した。オリゴヌクレオチドを、Ｉｎｔｅｇｒａｔｅｄ  ＤＮＡ  Ｔｅｃｈｎｏｌｏｇｉｅｓ（Ｃｏｒａｌｖｉｌｌｅ，ＩＡ）によって合成した。
【０２９１】
（３．２．ＰＣＲ、電気泳動および画像化の条件）
ＰＣＲを、ＧｅｎｅＢｒｉｄｇｅ４ヒト放射ハイブリッドパネル（Ｒｅｓｅｒｃｈ  Ｇｅｎｅｔｉｃｓ  Ｉｎｃ．，Ｈｕｎｔｓｖｉｌｌｅ，ＡＬ）をテンプレートとして使用して行った。マッピングパネル中の９３ハイブリッドに加えて、ハムスターおよびヒトのゲノムＤＮＡを、コントロールとして使用した。ＲＨ細胞株（５０ｎｇ）由来のＤＮＡを、４．５ｐｍｏｌｅのプライマー、４０μＭのｄＮＴＰ、１０％Ｒｅｄｉｌｏａｄ（Ｒｅｓｅａｒｃｈ  Ｇｅｎｅｔｉｃｓ，Ｉｎｃ．，Ｈｕｎｔｓｖｉｌｌｅ，ＡＬ）および１／３倍濃度のＡｄｖａｎｔａｇｅ  ｃＤＮＡポリメラーゼミックス（Ｃｌｏｎｔｅｃｈ，Ｉｎｃ．，Ｐａｌｏ  Ａｌｔｏ，ＣＡ）を含有する１０μｌの反応において増幅した。ＰＣＲを、Ｔｅｔｒａｄサーマルサイクラーを使用して、オイルフリーシステム（ＭＪ  Ｒｅｓｅａｒｃｈ）において、以下の「タッチダウン（ｔｏｕｃｈｄｏｗｎ）」ＰＣＲプロフィールを用いて行った：３分、９４℃（１サイクル）；９４℃、３０秒、６７℃、３０秒、６８℃、３０秒（２サイクル）；９４℃、３０秒、６５℃、３０秒、６８℃、３０秒（２サイクル）；９４℃、３０秒、６７℃、３０秒（３１サイクル）。
【０２９２】
サンプルを、０．５μｇ／ｍｌのエチジウムブロマイドを含有する３％アガロースゲル（１×ＴＢＥ）において電気泳動し、そしてＡｌｐｈＩｍａｇｅｒ  ９５０ｓｔｉｌｌ  ｖｉｄｅｏ  ｓｙｓｔｅｍ（Ａｌｐｈａ  Ｉｎｎｏｔｅｃｈ，Ｓａｎ  Ｌｅａｎｄｒｏ，ＣＡ）を使用して画像化した。単一のマーカーについて集団的なセット（ｃｏｌｌｅｃｔｉｖｅ  ｓｅｔ）のスコア（０＝増幅なし；１＝増幅；２＝未特定）を、ＲＨベクターと呼ぶ。３２２４６４６マーカーを、二連でアッセイして、エラーを減少させ、そしてコンセンサスを、二連のベクターから生成した。
【０２９３】
ヒト３２２４６４６遺伝子の染色体配置を、Ｇｅｎｏｍｅ  Ｒｅｓｅｒｃｈ放射ハイブリッドマッピングウェブサイトについてのＷｈｉｔｅｈｅａｄ  Ｉｎｓｔｉｔｕｔｅ／Ｍａｓｓａｃｈｕｓｅｔｔｓ  Ｉｎｓｔｉｔｕｔｅ  ｏｆ  Ｔｅｃｈｎｏｌｏｇｙ  Ｃｅｎｔｅｒからの情報を使用して、達成した。
【０２９４】
（３．３．結果）
ヒト３２２４６４６遺伝子は、ヒト第３染色体上に、＞２２のＬＯＤスコアにてマッピングする。正確な配置は、３ｑ２１（Ｄ３Ｓ１５７６よりも１．６ｃｅｎｔｉＲａｙ（ｃＲ）下にあり、かつＷＩ−３５２２よりも４．６ｃＲ上にある）である。１ｃＲは、１％の切断の可能性であるマーカー間の距離である。
【０２９５】
（４．腎臓２９３細胞におけるマンマグロビン（ｍａｍｍａｇｌｏｂｉｎ）（ＭａｍｍＸ）発現）
（４．１．腎臓２９３細胞における発現のためのＭａｍｍＸ  ｃＤＮＡのクローニング）
推定リーディングフレームに基いて、本発明者らは、ＰＣＲプライマーを設計して、ｈＭａｍｍＸのコード領域を増幅した。正方向プライマーは、配列番号１９（５’ＧＧＡＴＣＣＡＣＣＡＴＧＡＡＧＣＴＧＣＴＧＡＴＧＧＴＣＣＴＣＡＴＧＣＴＧ−３’）であり、そして逆方向プライマーは、配列番号２０（５’−ＣＴＣＧＡＧＡＴＴＡＣＴＣＴＴＣＡＴＡＴＴＡＣＡＣＣＡＡＡＴＧＣＴ−３’）であった。ＰＣＲを、以下を別々に９６℃にて３０秒間加熱することによって開始した：２５μｌのＭｉｘ１（７５ｐｍｏｌｅのプライマー、４μｇの成体骨髄ｃＤＮＡ、５μｍｏｌｅのｄＮＴＰ）および２５μｌのＭｉｘ２（１ユニットのＦｅｄｅｌｉｔｙ  Ｅｘｐａｎｄポリメラーゼ（Ｂｏｅｈｒｉｎｇｅｒ  Ｍａｎｎｈｅｉｍ）、５μｌの１０×Ｆｅｄｅｌｉｔｙ  Ｅｘｐａｎｄ緩衝液（Ｂｏｅｈｒｉｎｇｅｒ  Ｍａｎｎｈｅｉｍ））。次いで、Ｍｉｘ１およびＭｉｘ２をプールし、以下のＰＣＲサイクリングパラメーターを使用した：９６℃、３分（１サイクル）；９６℃、３０秒、５５℃、１分、６８℃、２分（１０サイクル）；９６℃、３０秒、６０℃、１分、６８℃、２分（２０サイクル）；７２℃、７分（１サイクル）。ＰＣＲ後、約０．３ｋｂの単一のＤＮＡフラグメントを得た。このＤＮＡフラグメントを、ｐｃＤＮＡ３．１Ｖ５Ｈｉｓ  ＴＯＰＯベクター（Ｉｎｖｉｔｒｏｇｅｎ，Ｃａｒｌｓｂａｄ，ＣＡ）にクローニングした。ＭａｍｍＸインサートを、ＤＮＡ配列分析によって確認した。得られた発現ベクターｐｃＤＮＡ３．１Ｖ５ＨｉｓＭａｍｍＸを、哺乳動物腎臓２９３細胞における一過性のタンパク質発現のために使用した。
【０２９６】
（４．２．ヒト胎児性腎臓２９３細胞におけるｈＭａｍｍＸの発現）
ｐｃＤＮＡ３．１Ｖ５ＨｉｓＭａｍｍＸベクターを、ＬｉｐｏｆｅｃｔａｍｉｎｅＰｌｕｓ試薬を製造業者の指示（Ｇｉｂｃｏ／ＢＲＬ）に従って使用して、２９３細胞にトランスフェクトした。細胞ペレットおよび上清を、トランスフェクションの７２時間後に収集し、そしてｈＭａｍｍＸの発現を、ウエスタンブロッティング（還元条件）によって、抗Ｖ５抗体を用いて試験した。１０ｋＤａのｈＭａｍｍＸタンパク質を、細胞ペレットにおいて検出した。ＭａｍｍＸの分泌形態は検出されなかった。
【０２９７】
（等価物）
本発明の具体的な実施態様の前述の詳細な説明から、コード核酸、ポリペプチドに関する特定の新規な組成物および方法、検出方法および処置方法が記載されていることが明らかなはずである。これらの特定の実施態様は、本明細書中に詳細に開示されているが、これは、例示のためにのみ実施例によってなされており、そして上記の添付の特許請求の範囲に関して限定することは意図されない。特に、本発明者らによって、種々の置換、変更および改変が、特許請求の範囲によって規定される本発明の精神および範囲から逸脱せずに、本発明に対して、当業者に対して慣用的な事項としてなされ得ることが意図される。
【０２９８】
（配列および対応する配列番号）
本明細書中で議論される配列および対応する配列番号（ＳＥＱ  ＩＤ  ＮＯ）としては、以下が挙げられる：
【０２９９】
【表１】
2004500011.tif 000004
【図面の簡単な説明】
【図１Ａ】
図１Ａは、クローン２３５５８７５のヌクレオチド配列（配列番号３）およびアミノ酸配列（配列番号４）を示す説明である。
【図１Ｂ】
図１Ｂは、クローン２３５５８７５の最新のヌクレオチド配列（配列番号２７）を示す説明である。
【図２】
図２は、クローン３２２３８６７のヌクレオチド配列（配列番号５）およびアミノ酸配列（配列番号６）を示す説明である。
【図３Ａ】
図３Ａは、クローン３２２４６４６のコード鎖ヌクレオチド配列（配列番号７）およびアミノ酸配列（配列番号８）を示す説明である。
【図３Ｂ】
図３Ｂは、クローン３２２４６４６の非コード鎖ヌクレオチド配列（配列番号２６）を示す説明である。
【図４】
図４は、クローン３４８２６９９のヌクレオチド配列（配列番号９）およびアミノ酸配列（配列番号１０）を示す説明である。
【図５Ａ】
図５Ａは、クローン２１５６６４７のヌクレオチド配列（配列番号１）およびアミノ酸配列（配列番号２）を示す説明である。
【図５Ｂ】
図５Ｂは、クローン２１５６６４７の最新のヌクレオチド配列（配列番号２５）を示す説明である。
【図６】
図６は、クローンＭＡＭＭＸのヌクレオチド配列（配列番号１１）およびアミノ酸配列（配列番号１２）を示す説明である。
【図１Ａ】
2004500011.tif 000005
【図１Ｂ】
2004500011.tif 000006
【図２】
2004500011.tif 000007
【図３Ａ】
2004500011.tif 000008
【図３Ａ】
2004500011.tif 000009
【図３Ｂ】
2004500011.tif 000010
【図４】
2004500011.tif 000011
【図５Ａ】
2004500011.tif 000012
【図５Ｂ】
2004500011.tif 000013
【図６】
2004500011.tif 000014
【国際公開パンフレット】
2004500011.tif 000015
2004500011.tif 000016
2004500011.tif 000017
2004500011.tif 000018
2004500011.tif 000019
2004500011.tif 000020
2004500011.tif 000021
2004500011.tif 000022
2004500011.tif 000023
2004500011.tif 000024
2004500011.tif 000025
2004500011.tif 000026
2004500011.tif 000027
2004500011.tif 000028
2004500011.tif 000029
2004500011.tif 000030
2004500011.tif 000031
2004500011.tif 000032
2004500011.tif 000033
2004500011.tif 000034
2004500011.tif 000035
2004500011.tif 000036
2004500011.tif 000037
2004500011.tif 000038
2004500011.tif 000039
2004500011.tif 000040
2004500011.tif 000041
2004500011.tif 000042
2004500011.tif 000043
2004500011.tif 000044
2004500011.tif 000045
2004500011.tif 000046
2004500011.tif 000047
2004500011.tif 000048
2004500011.tif 000049
2004500011.tif 000050
2004500011.tif 000051
2004500011.tif 000052
2004500011.tif 000053
2004500011.tif 000054
2004500011.tif 000055
2004500011.tif 000056
2004500011.tif 000057
2004500011.tif 000058
2004500011.tif 000059
2004500011.tif 000060
2004500011.tif 000061
2004500011.tif 000062
2004500011.tif 000063
2004500011.tif 000064
2004500011.tif 000065
2004500011.tif 000066
2004500011.tif 000067
2004500011.tif 000068
2004500011.tif 000069
2004500011.tif 000070
2004500011.tif 000071
2004500011.tif 000072
2004500011.tif 000073
2004500011.tif 000074
2004500011.tif 000075
2004500011.tif 000076
2004500011.tif 000077
2004500011.tif 000078
2004500011.tif 000079
2004500011.tif 000080
2004500011.tif 000081
2004500011.tif 000082
2004500011.tif 000083
2004500011.tif 000084
2004500011.tif 000085
2004500011.tif 000086
2004500011.tif 000087
2004500011.tif 000088
2004500011.tif 000089
2004500011.tif 000090
2004500011.tif 000091
2004500011.tif 000092
2004500011.tif 000093
2004500011.tif 000094
2004500011.tif 000095
2004500011.tif 000096
2004500011.tif 000097
2004500011.tif 000098
2004500011.tif 000099
2004500011.tif 000100
2004500011.tif 000101
2004500011.tif 000102
2004500011.tif 000103
2004500011.tif 000104
2004500011.tif 000105
2004500011.tif 000106
2004500011.tif 000107
2004500011.tif 000108
2004500011.tif 000109
2004500011.tif 000110
2004500011.tif 000111
2004500011.tif 000112
2004500011.tif 000113
2004500011.tif 000114
2004500011.tif 000115
2004500011.tif 000116
2004500011.tif 000117
2004500011.tif 000118
2004500011.tif 000119
2004500011.tif 000120
2004500011.tif 000121
2004500011.tif 000122
2004500011.tif 000123
2004500011.tif 000124
2004500011.tif 000125
2004500011.tif 000126
2004500011.tif 000127
2004500011.tif 000128
2004500011.tif 000129
2004500011.tif 000130
2004500011.tif 000131
2004500011.tif 000132
【国際公開パンフレット（コレクトバージョン）】
2004500011.tif 000133
2004500011.tif 000134
【国際公開パンフレット（コレクトバージョン）】
2004500011.tif 000135
【国際調査報告】
2004500011.tif 000136
2004500011.tif 000137
2004500011.tif 000138
2004500011.tif 000139
2004500011.tif 000140
2004500011.tif 000141